(57)【要約】  物理アップリンク共有チャネル（ＰＵＳＣＨ）上でセミパーシステントチャネル状態情報（ＳＰ−ＣＳＩ）を送信するユーザ装置、基地局および方法が提供される。ユーザ装置は、ＰＵＳＣＨ上での少なくともひとつのＳＰ  ＣＳＩレポート設定でユーザ装置を設定する制御シグナリングメッセージを受信するよう構成された処理回路を含み、メッセージがＳＰ  ＣＳＩレポーティング周期を特定する。ユーザ装置はまた、少なくともひとつのＳＰ  ＣＳＩレポート設定を特定し活性化する物理レイヤ制御シグナリングを受信する。送信器回路は、複数のＳＰ  ＣＳＩレポートを送信するよう構成され、レポートは周期で送信され、かつ、物理レイヤ制御シグナリングおよび制御シグナリングメッセージにしたがって送信される。【選択図】図１８
2020516140.tif 000002
【特許請求の範囲】
【請求項１】
物理アップリンク共有チャネル、ＰＵＳＣＨ、上でセミパーシステントチャネル状態情報、ＳＰ  ＣＳＩ、を送信するユーザ装置（１４）であって、
ＰＵＳＣＨ上での少なくともひとつのＳＰ  ＣＳＩレポート設定で前記ユーザ装置（１４）を設定するための制御シグナリングメッセージを受信することであって、前記メッセージがＳＰ  ＣＳＩレポーティング周期を特定する、受信することと、
前記少なくともひとつのＳＰ  ＣＳＩレポート設定を特定し活性化する物理レイヤ制御シグナリングを受信することと、を行うよう構成された処理回路（３２）と、
複数のＳＰ  ＣＳＩレポートを送信するよう構成された送信器回路（２８）であって、前記レポートは前記ＳＰ  ＣＳＩレポーティング周期で送信され、かつ、前記物理レイヤ制御シグナリングおよび前記制御シグナリングメッセージにしたがって送信される、送信器回路（２８）と、を備えるユーザ装置（１４）。
【請求項２】
前記処理回路（３２）はさらに、以前に活性化されたＳＰ  ＣＳＩレポート設定を不活性化するための物理レイヤ制御シグナリングを受信するよう構成される請求項１に記載のユーザ装置（１４）。
【請求項３】
前記制御シグナリングメッセージは無線リソース制御、ＲＲＣ、メッセージである請求項１に記載のユーザ装置（１４）。
【請求項４】
前記少なくともひとつＳＰ  ＣＳＩレポート設定は少なくともひとつのＳＰ  ＣＳＩレポートセッティングを含む請求項１から３のいずれか一項に記載のユーザ装置（１４）。
【請求項５】
前記少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む請求項１から４のいずれか一項に記載のユーザ装置（１４）。
【請求項６】
前記少なくともひとつＳＰ  ＣＳＩレポートセッティングは少なくともひとつのＣＳＩフィードバックタイプを含む請求項４に記載のユーザ装置（１４）。
【請求項７】
前記少なくともひとつＳＰ  ＣＳＩレポートセッティングは、前記ＳＰ  ＣＳＩが測定され報告されるべき少なくともひとつの周波数帯域を含む請求項４に記載のユーザ装置（１４）。
【請求項８】
前記少なくともひとつＳＰ  ＣＳＩレポートセッティングはさらに、前記少なくともひとつのＳＰ  ＣＳＩレポート設定のそれぞれのスロットオフセットを含む請求項４、６および７のいずれか一項に記載のユーザ装置（１４）。
【請求項９】
前記少なくともひとつＳＰ  ＣＳＩレポート設定はさらに、特別セル無線ネットワークテンポラリ識別子、Ｃ−ＲＮＴＩを含む請求項１から８のいずれか一項に記載のユーザ装置（１４）。
【請求項１０】
前記少なくともひとつのＳＰ  ＣＳＩリソースセッテイングは、チャネル測定のリソースおよび干渉測定のリソースのうちの少なくともひとつを含む請求項４、６−８のいずれか一項に記載のユーザ装置（１４）。
【請求項１１】
前記物理レイヤ制御シグナリングは、物理ダウンリンク制御チャネル、ＰＤＣＣＨ、上のダウンリンク制御情報、ＤＣＩ、である請求項１に記載のユーザ装置（１４）。
【請求項１２】
前記物理レイヤ制御シグナリングは、複数のＳＰ  ＣＳＩレポートを運ぶＰＵＳＣＨのリソース割り当ておよび変調についての情報を含む請求項１または１１に記載のユーザ装置（１４）。
【請求項１３】
前記物理制御シグナリングは符号化レートを含む請求項１、１１および１２のいずれか一項に記載のユーザ装置（１４）。
【請求項１４】
前記特定することは、前記ダウンリンク制御情報、ＤＣＩ、における前記少なくともひとつのＳＰ  ＣＳＩレポート設定についての情報を含む請求項１から１３のいずれか一項に記載のユーザ装置（１４）。
【請求項１５】
前記活性化することは、前記ダウンリンク制御情報、ＤＣＩ、におけるビットフィールドの組み合わせによって暗に示される請求項１から１４のいずれか一項に記載のユーザ装置（１４）。
【請求項１６】
前記特別セル無線ネットワークテンポラリ識別子、Ｃ−ＲＮＴＩ、を用いることによって、前記ダウンリンク制御情報、ＤＣＩ、に対応する巡回冗長検査、ＣＲＣ、ビットをスクランブルし、オプションで、前記特別Ｃ−ＲＮＴＩは、前記少なくともひとつのＳＰ  ＣＳＩレポート設定を活性化するか不活性化するために用いられる前記ＤＣＩをスクランブルするためだけに用いられる請求項１から１５のいずれか一項に記載のユーザ装置（１４）。
【請求項１７】
前記少なくともひとつのＳＰ  ＣＳＩレポート設定の活性化または不活性化のうちの少なくともひとつは、前記物理レイヤ制御シグナリングにおける前記ダウンリンク制御情報、ＤＣＩ、に対応する巡回冗長検査、ＣＲＣ、ビットをスクランブルする際に用いられる前記特別セル無線ネットワークテンポラリ識別子、Ｃ−ＲＮＴＩ、によって部分的に示される請求項１から１６のいずれか一項に記載のユーザ装置（１４）。
【請求項１８】
異なるユーザ装置からの複数のＳＰ  ＣＳＩレポートは前記ＰＵＳＣＨにおいて多重化可能である請求項１から１７のいずれか一項に記載のユーザ装置（１４）。
【請求項１９】
前記多重化は空間多重化である請求項１８に記載のユーザ装置（１４）。
【請求項２０】
複数のＳＰ  ＣＳＩレポートの異なるコンポーネントは独立して符号化される請求項１から１９のいずれか一項に記載のユーザ装置（１４）。
【請求項２１】
前記処理回路はさらに、ＳＰ  ＣＳＩを測定することおよび送信することの少なくともひとつの特徴を特定するための、物理レイヤ制御シグナリングを受信するよう構成される請求項１から２０のいずれか一項に記載のユーザ装置（１４）。
【請求項２２】
前記少なくともひとつＳＰ  ＣＳＩレポート設定は少なくともひとつのＳＰ  ＣＳＩリソースセッティングへの関連性を含む請求項１から２１のいずれか一項に記載のユーザ装置（１４）。
【請求項２３】
物理アップリンク共有チャネル、ＰＵＳＣＨ、上でセミパーシステントチャネル状態情報、ＳＰ  ＣＳＩ、を送信するユーザ装置（１４）における方法であって、
ＰＵＳＣＨ上での少なくともひとつのＳＰ  ＣＳＩレポート設定で前記ユーザ装置（１４）を設定する制御シグナリングメッセージを受信することであって、前記メッセージがＳＰ  ＣＳＩレポーティング周期を特定する、受信すること（Ｓ１４４）と、
前記少なくともひとつのＳＰ  ＣＳＩレポート設定を特定し活性化する物理レイヤ制御シグナリングを受信すること（Ｓ１４６）と、
複数のＳＰ  ＣＳＩレポートを送信することであって、前記レポートは前記周期で送信され、かつ、前記物理レイヤ制御シグナリングおよび前記制御シグナリングメッセージにしたがって送信される、送信すること（Ｓ１４８）と、を含む方法。
【請求項２４】
以前に活性化されたＳＰ  ＣＳＩレポート設定を不活性化するための物理レイヤ制御シグナリングを受信することをさらに含む請求項２３に記載の方法。
【請求項２５】
前記制御シグナリングメッセージは無線リソース制御、ＲＲＣ、メッセージである請求項２３に記載の方法。
【請求項２６】
前記少なくともひとつＳＰ  ＣＳＩレポート設定は少なくともひとつのＳＰ  ＣＳＩレポートセッティングを含む請求項２３から２５のいずれか一項に記載の方法。
【請求項２７】
前記少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む請求項２３から２６のいずれか一項に記載の方法。
【請求項２８】
前記少なくともひとつＳＰ  ＣＳＩレポートセッティングは少なくともひとつのＣＳＩフィードバックタイプを含む請求項２６に記載の方法。
【請求項２９】
前記少なくともひとつＳＰ  ＣＳＩレポートセッティングは、前記ＳＰ  ＣＳＩが測定され報告されるべき少なくともひとつの周波数帯域を含む請求項２６に記載の方法。
【請求項３０】
前記少なくともひとつＳＰ  ＣＳＩレポートセッティングはさらに、前記少なくともひとつのＳＰ  ＣＳＩレポート設定のそれぞれのスロットオフセットを含む請求項２３から２６のいずれか一項に記載の方法。
【請求項３１】
前記少なくともひとつＳＰ  ＣＳＩレポート設定はさらに、特別セル無線ネットワークテンポラリ識別子、Ｃ−ＲＮＴＩを含む請求項２３から３０のいずれか一項に記載の方法。
【請求項３２】
前記少なくともひとつのＳＰ  ＣＳＩリソースセッテイングは、チャネル測定のリソースおよび干渉測定のリソースのうちの少なくともひとつを含む請求項２６または２７に記載の方法。
【請求項３３】
前記物理レイヤ制御シグナリングは、物理ダウンリンク制御チャネル、ＰＤＣＣＨ、上のダウンリンク制御情報、ＤＣＩ、である請求項２３に記載の方法。
【請求項３４】
前記物理レイヤ制御シグナリングは、複数のＳＰ  ＣＳＩレポートを運ぶＰＵＳＣＨのリソース割り当ておよび変調についての情報を含む請求項２３または３３に記載の方法。
【請求項３５】
前記物理制御シグナリングは符号化レートを含む請求項２３、３３および３４のいずれか一項に記載の方法。
【請求項３６】
前記特定することは、前記ダウンリンク制御情報、ＤＣＩ、における前記少なくともひとつのＳＰ  ＣＳＩレポート設定についての情報を含む請求項２３から３５のいずれか一項に記載の方法。
【請求項３７】
前記活性化することまたは不活性化することのうちの少なくともひとつは、前記ダウンリンク制御情報、ＤＣＩ、に対応するビットの組み合わせによって暗に示される請求項２３から３６のいずれか一項に記載の方法。
【請求項３８】
前記特別セル無線ネットワークテンポラリ識別子、Ｃ−ＲＮＴＩ、を用いることによって、前記ダウンリンク制御情報、ＤＣＩ、に対応する巡回冗長検査、ＣＲＣ、ビットをスクランブルし、オプションで、前記特別Ｃ−ＲＮＴＩは、前記少なくともひとつのＳＰ  ＣＳＩレポート設定を活性化するか不活性化するために用いられる前記ＤＣＩをスクランブルするためだけに用いられる請求項２３から３７のいずれか一項に記載の方法。
【請求項３９】
前記少なくともひとつのＳＰ  ＣＳＩレポート設定の活性化または不活性化のうちの少なくともひとつは、前記物理レイヤ制御シグナリングにおける前記ダウンリンク制御情報、ＤＣＩ、に対応する巡回冗長検査、ＣＲＣ、ビットをスクランブルする際に用いられる前記特別セル無線ネットワークテンポラリ識別子、Ｃ−ＲＮＴＩ、によって部分的に示される請求項２３から３８のいずれか一項に記載の方法。
【請求項４０】
異なるユーザ装置からの前記複数のＳＰ  ＣＳＩレポートは前記ＰＵＳＣＨにおいて多重化可能である請求項２３から３９のいずれか一項に記載の方法。
【請求項４１】
前記多重化は空間多重化である請求項４０に記載の方法。
【請求項４２】
前記複数のＳＰ  ＣＳＩレポートの異なるコンポーネントは独立して符号化される請求項２３から４１のいずれか一項に記載の方法。
【請求項４３】
前記物理レイヤ制御シグナリングは、ＳＰ  ＣＳＩを測定することおよび送信することの少なくともひとつの特徴を特定する請求項２３から４２のいずれか一項に記載の方法。
【請求項４４】
物理アップリンク共有チャネル、ＰＵＳＣＨ、上でセミパーシステントチャネル状態情報、ＳＰ  ＣＳＩ、を適応的に設定する基地局（１２）であって、
前記ＰＵＳＣＨ上での少なくともひとつのＳＰ  ＣＳＩレポート設定でユーザ装置（１４）を設定するための制御シグナリングメッセージを送信することであって、前記メッセージがＳＰ  ＣＳＩレポーティング周期を特定する、送信することと、
前記少なくともひとつのＳＰ  ＣＳＩレポート設定を特定し活性化する物理レイヤ制御シグナリングを送信することと、を行うよう構成された処理回路（２０）と、
複数のＳＰ  ＣＳＩレポートを受信するよう構成された受信器回路（１８）であって、前記レポートは前記周期で送信され、かつ、前記物理レイヤ制御シグナリングおよび前記制御シグナリングメッセージにしたがって送信される、受信器回路（１８）と、を備える基地局（１２）。
【請求項４５】
前記処理回路（２０）はさらに、以前に活性化されたＳＰ  ＣＳＩレポート設定を不活性化するための物理レイヤ制御シグナリングを送信するよう構成される請求項４４に記載の基地局（１２）。
【請求項４６】
前記制御シグナリングメッセージは無線リソース制御、ＲＲＣ、メッセージである請求項４４に記載の基地局（１２）。
【請求項４７】
前記少なくともひとつＳＰ  ＣＳＩレポート設定は少なくともひとつのＳＰ  ＣＳＩレポートセッティングを含む請求項４４から４６のいずれか一項に記載の基地局（１２）。
【請求項４８】
前記少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む請求項４４から４７のいずれか一項に記載の基地局（１２）。
【請求項４９】
前記物理レイヤ制御シグナリングは、ＳＰ  ＣＳＩを測定することおよび送信することの少なくともひとつの特徴を特定する請求項４３から４８のいずれか一項に記載の基地局。
【請求項５０】
物理アップリンク共有チャネル、ＰＵＳＣＨ、上でセミパーシステントチャネル状態情報、ＳＰ  ＣＳＩ、を適応的に設定する基地局（１２）における方法であって、
前記ＰＵＳＣＨ上での少なくともひとつのＳＰ  ＣＳＩレポート設定でユーザ装置（１４）を設定するための制御シグナリングメッセージを送信することであって、前記メッセージがＳＰ  ＣＳＩレポーティング周期を特定する、送信すること（Ｓ１５０）と、
前記少なくともひとつのＳＰ  ＣＳＩレポート設定を特定し活性化する物理レイヤ制御シグナリングを送信すること（Ｓ１５２）と、
複数のＳＰ  ＣＳＩレポートを受信することであって、前記レポートは前記周期で送信され、かつ、前記物理レイヤ制御シグナリングおよび前記制御シグナリングメッセージにしたがって送信される、受信すること（Ｓ１５４）と、を含む方法。
【請求項５１】
以前に活性化されたＳＰ  ＣＳＩレポート設定を不活性化するための物理レイヤ制御シグナリングを送信することをさらに含む請求項５０に記載の方法。
【請求項５２】
前記制御シグナリングメッセージは無線リソース制御、ＲＲＣ、メッセージである請求項５０に記載の方法。
【請求項５３】
前記少なくともひとつＳＰ  ＣＳＩレポート設定は少なくともひとつのＳＰ  ＣＳＩレポートセッティングを含む請求項５０から５２のいずれか一項に記載の方法。
【請求項５４】
前記少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む請求項５０から５２のいずれか一項に記載の方法。
【請求項５５】
前記物理レイヤ制御シグナリングは、ＳＰ  ＣＳＩを測定することおよび送信することの少なくともひとつの特徴を特定する請求項５０から５４のいずれか一項に記載の方法。
【請求項５６】
物理アップリンク共有チャネル、ＰＵＳＣＨ、上でセミパーシステントチャネル状態情報、ＳＰ  ＣＳＩ、を送信するユーザ装置（１４）であって、
ＰＵＳＣＨ上での少なくともひとつのＳＰ  ＣＳＩレポート設定で前記ユーザ装置（１４）を設定する制御シグナリングメッセージを受信することであって、前記メッセージがＳＰ  ＣＳＩレポーティング周期を特定する、受信することと、
前記少なくともひとつのＳＰ  ＣＳＩレポート設定を特定し活性化する物理レイヤ制御シグナリングを受信することと、を行うよう構成された受信器モジュール（４８）と、
複数のＳＰ  ＣＳＩレポートを送信するよう構成された送信器モジュール（５０）であって、前記レポートは前記周期で送信され、かつ、前記物理レイヤ制御シグナリングおよび前記制御シグナリングメッセージにしたがって送信される、送信器モジュール（５０）と、を備えるユーザ装置（１４）。
【請求項５７】
前記物理レイヤ制御シグナリングは、ＳＰ  ＣＳＩを測定することおよび送信することの少なくともひとつの特徴を特定する請求項５６に記載のユーザ装置。
【請求項５８】
前記少なくともひとつＳＰ  ＣＳＩレポート設定は少なくともひとつのＳＰ  ＣＳＩリソースセッティングへの関連性を含む請求項５６または５７に記載のユーザ装置（１４）。
【請求項５９】
物理アップリンク共有チャネル、ＰＵＳＣＨ、上でセミパーシステントチャネル状態情報、ＳＰ  ＣＳＩ、を適応的に設定する基地局（１２）であって、
前記ＰＵＳＣＨ上での少なくともひとつのＳＰ  ＣＳＩレポート設定でユーザ装置（１４）を設定するための制御シグナリングメッセージを送信することであって、前記メッセージがＳＰ  ＣＳＩレポーティング周期を特定する、送信することと、
前記少なくともひとつのＳＰ  ＣＳＩレポート設定を特定し活性化する物理レイヤ制御シグナリングを送信することと、を行うよう構成された送信器モジュール（４４）と、
複数のＳＰ  ＣＳＩレポートを受信するよう構成された受信器モジュール（４２）であって、前記レポートは前記周期で送信され、かつ、前記物理レイヤ制御シグナリングおよび前記制御シグナリングメッセージにしたがって送信される、受信器モジュール（４２）と、を備える基地局（１２）。
【請求項６０】
前記物理レイヤ制御シグナリングは、ＳＰ  ＣＳＩを測定することおよび送信することの少なくともひとつの特徴を特定する請求項５９に記載の基地局。
【請求項６１】
前記少なくともひとつＳＰ  ＣＳＩレポート設定は少なくともひとつのＳＰ  ＣＳＩリソースセッティングへの関連性を含む請求項５９または６０に記載の基地局（１２）。
【発明の詳細な説明】
【技術分野】
【０００１】
本開示は無線通信に関し、特に物理アップリンク共有チャネル（ＰＵＳＣＨ）を介したセミパーシステントチャネル状態情報（ＣＳＩ）フィードバックに関する。
【背景技術】
【０００２】
次世代モバイル無線通信システム（５Ｇ）またはニューラジオ（ＮＲ）は様々なユースケースや様々な利用シナリオをサポートする。後者は、今日のＬＴＥと同様の低周波数（数百ＭＨｚ）と超高周波（数十ＧＨｚのミリ波）との両方での利用を含む。
【０００３】
ロングタームエボリューション（ＬＴＥ）と同様に、ＮＲはダウンリンク（すなわち、ｇＮｏｄｅＢ（ｇＮＢ）、ｅＮＢ、または基地局などのネットワークノードから、ユーザ機器またはＵＥなどの無線デバイスへ）およびアップリンク（すなわち、無線デバイスからネットワークノードへ）において直交周波数分割多重化（ＯＦＤＭ）を使用する。アップリンクでは、離散フーリエ変換（ＤＦＴ）拡散ＯＦＤＭ（ＤＦＴ−Ｓ−ＯＦＤＭ）およびＯＦＤＭの両方がサポートされる。
【０００４】
したがって、基本的なＮＲの物理リソースを、図１に示されるようなＬＴＥのものと同様の、時間−周波数グリッドとして見ることができ、そこでは、各リソース要素がひとつのＯＦＤＭシンボル間隔中のひとつのＯＦＤＭサブキャリアに対応する。図１は、ＬＴＥ物理リソースの図である。図１には、サブキャリアスペーシングとしてΔｆ＝１５ｋＨｚが示されているが、ＮＲでは異なるサブキャリアスペーシング値がサポートされる。ＮＲでサポートされるサブキャリアスペーシング値（異なる数理とも称される）はΔｆ＝（１５×２α）ｋＨｚで与えられ、ここでαは非負の整数である。
【０００５】
さらに、ＬＴＥにおけるリソース割り当ては典型的にはリソースブロック（ＲＢ）で説明され、そこでは、リソースブロックは時間ドメインにおいてひとつのスロット（０．５ｍｓ）に対応し、周波数ドメインにおいて１２個の連続的なサブキャリアに対応する。リソースブロックは周波数ドメインにおいて番号付けされ、システム帯域の一端から０で開始する。ＮＲの場合、リソースブロックはまた、周波数において１２個のサブキャリアである。ＲＢは、残りのセクションでは物理ＲＢ（ＰＲＢ）とも呼ばれる。
【０００６】
図２に示されるように、時間ドメインでは、ＮＲにおけるダウンリンクおよびアップリンク送信はＬＴＥと同様の等しいサイズのサブフレームに編成される。図２は１５ｋＨｚのサブキャリア間隔を有するＬＴＥ時間ドメイン構造の図である。ＮＲでは、サブフレーム長も、設定された数理にかかわらず１ｍｓである。サブフレームはさらにスロットに分割される。１５ｋＨｚのサブキャリア間隔では、１つの１４シンボルスロット、またはサブフレーム当たり２つの７シンボルスロットがある。１５ｋＨｚを超えるサブキャリア間隔では、サブフレーム当たりより多くのスロットが存在する。
【０００７】
ＬＴＥおよびＮＲにおけるダウンリンク送信は、動的にスケジュールされ、すなわち、各サブフレームまたはスロットにおいて、ネットワークノードは、どの無線デバイスデータが送信されるべきか、およびデータが現在のダウンリンクサブフレーム中のどのリソースブロック上で送信されるかについてのダウンリンク制御情報（ＤＣＩ）を送信する。この制御シグナリングは、典型的にはＬＴＥにおける各サブフレームおよびＮＲにおける各スロットにおける最初の数個のＯＦＤＭシンボルにおいて送信される。制御情報は物理ダウンリンク制御チャネル（ＰＤＣＣＨ）上で搬送され、データは物理ダウンリンク共有チャネル（ＰＤＳＣＨ）上で搬送される。無線デバイスは最初にＰＤＣＣＨを検出して復号し、ＰＤＣＣＨが正常に復号された場合、ＰＤＣＣＨ内の復号された制御情報に基づいて対応するＰＤＳＣＨを復号する。各無線デバイスには、サービングセル内で一意であるＣ−ＲＮＴＩ（セル無線ネットワークテンポラリ識別子）が割り当てられる。Ｃ−ＲＮＴＩは、無線デバイスに向けられたＰＤＣＣＨのＣＲＣ（巡回冗長検査）ビットをスクランブルするために使用される。無線デバイスは、ＰＤＣＣＨのＣＲＣ（巡回冗長検査）ビットをスクランブルするために使用されるＣ−ＲＮＴＩを検査することによって、そのＰＤＣＣＨを認識する。
【０００８】
アップリンクデータ送信はまた、ＰＤＣＣＨを使用して動的にスケジュールされる。ダウンリンクと同様に、無線デバイスはまず、ＰＤＣＣＨ内のアップリンクグラントを復号し、次いで、変調順序、符号化レート、アップリンクリソース割り当てなどのアップリンクグラント内の復号された制御情報に基づいて、物理アップリンク共有チャネル（ＰＵＳＣＨ）を介してデータを送信する。
【０００９】
ＬＴＥでは、セミパーシステントスケジューリング（ＳＰＳ）も、周期的なデータ送信がＰＤＣＣＨによって活性化または不活性化されるアップリンクおよびダウンリンクの両方でサポートされる。第１のＳＰＳ活性化の後、後続のデータ送信のために送信されるＰＤＣＣＨはない。ＳＰＳ活性化または不活性化のために使用されるＰＤＣＣＨのＣＲＣビットはＳＰＳ−Ｃ−ＲＮＴＩによってスクランブルされ、これは、無線デバイスがＳＰＳをサポートする場合、無線デバイス用に構成される。
【００１０】
ＰＵＳＣＨに加えて、物理アップリンク制御チャネル（ＰＵＣＣＨ）は、ＨＡＲＱ（Ｈｙｂｒｉｄ  Ａｕｔｏｍａｔｉｃ  Ｒｅｐｅａｔ  Ｒｅｑｕｅｓｔ）関連アクノレッジメント（ＡＣＫ）、否定アクノレッジメント（ＮＡＣＫ）、またはチャネル状態情報（ＣＳＩ）フィードバックなどのアップリンク制御情報（ＵＣＩ）を搬送するために、ＮＲにおいてもサポートされる。
【００１１】
ＮＲ  ＰＵＣＣＨの多くの詳細は依然として決定されるべきであるが、ＬＴＥと同様に、ＰＵＣＣＨリソースはセルにおいて事前に割り当てられ、すべての無線デバイスによって共有されることが想定される。
【００１２】
ＬＴＥにおけるＰＵＣＣＨ
ＬＴＥはハイブリッドＡＲＱを使用し、サブフレームにおいてダウンリンクデータを受信した後、端末はそれを復号しようと試み、復号が成功したか（ＡＣＫ）または失敗したか（ＮＡＫ）を基地局に報告する。復号の試みが失敗した場合、ネットワークノードは、誤りデータを再送信することができる。
【００１３】
無線デバイスからネットワークノードに送信されるアップリンク制御情報（ＵＣＩ）は以下からなる：
・受信されたダウンリンクデータのためのＨＡＲＱ−ＡＣＫ／ＮＡＣＫ；
・ダウンリンクＣＳＩ；および
・スケジューリング要求（ＳＲ）、これは、モバイル端末がアップリンクデータ伝送のためのアップリンクリソースを必要としていることを示す。
【００１４】
このＵＣＩ情報は、物理アップリンク制御チャネル（ＰＵＣＣＨ）上で搬送される。周波数ダイバーシティを提供するために、ＰＵＣＣＨの周波数リソースはスロット境界上で切り替えられる、すなわち、１つのＲＢは、サブフレームの第１のスロットにおけるスペクトルの上部にある１２個のサブキャリアと、サブフレームの第２のスロットの間のスペクトルの下部にある別のＲＢとからなるか、またはその逆である。これは、しばしば、ＰＵＣＣＨ周波数ホッピングと呼ばれる。図３に例が示される。図３は、ＰＵＣＣＨ上のアップリンクＬ１／Ｌ２制御シグナリング送信の図である。より多くのリソースがアップリンク制御シグナリングのために必要とされる場合、例えば、多数のユーザをサポートする非常に大きな全体的な送信帯域幅の場合、追加のリソースブロックが、以前に割り当てられたリソースブロックの隣に割り当てられ得る。
【００１５】
ＰＵＣＣＨフォーマット
ＬＴＥで定義される５つのＰＵＣＣＨフォーマット、すなわち、ＰＵＣＣＨフォーマット１からフォーマット５があり、それぞれが異なる数のＵＣＩビットを搬送することができる。以下は、ＬＴＥにおける異なるＰＵＣＣＨフォーマット上のＵＣＩの組み合わせのリストである：
・正のスケジューリング要求（ＳＲ）のフォーマット１。
・１ビットＨＡＲＱ−ＡＣＫまたは正のＳＲを持つ１ビットＨＡＲＱ−ＡＣＫのフォーマット１ｂ。
・２ビットＨＡＲＱ−ＡＣＫまたは正のＳＲを持つ２ビットＨＡＲＱ−ＡＣＫのフォーマット１ｂ。
・ＨＡＲＱ−ＡＣＫと多重化されていない場合のＣＳＩレポートのフォーマット２。
・通常のサイクリックプレフィックスのための１ビットＨＡＲＱ−ＡＣＫと多重化されたＣＳＩレポートのためのフォーマット２ａ。
・通常のサイクリックプレフィックスのための２ビットＨＡＲＱ−ＡＣＫと多重化されたＣＳＩレポートのためのフォーマット２ｂ。
・拡張サイクリックプレフィックスのためのＨＡＲＱ−ＡＣＫと多重化されたＣＳＩレポートのためのフォーマット２。
・ＦＤＤの場合は１０ビットまでのＨＡＲＱ−ＡＣＫ、ＴＤＤの場合は２０ビットまでのＨＡＲＱ−ＡＣＫのフォーマット３。
・フォーマット３は、ＦＤＤについて、１０ビットのＨＡＲＱ−ＡＣＫおよび１ビットの正／負ＳＲに対応する１１ビットまでであり、および、２０ビットのＨＡＲＱ−ＡＣＫおよび１ビットの正／負ＳＲに対応する２１ビットまでである。
・ＨＡＲＱ−ＡＣＫ、１ビットの正／負ＳＲ（もしあれば）およびＣＳＩレポートのためのフォーマット３。
・ＨＡＲＱ−ＡＣＫ、ＳＲ（もしあれば）、および周期的ＣＳＩレポート（もしあれば）を含む２２ビットを超えるＵＣＩのためのフォーマット４。
・ＨＡＲＱ−ＡＣＫ、ＳＲ（もしあれば）、および周期的ＣＳＩレポート（もしあれば）を含む２２ビットを超えるＵＣＩのためのフォーマット５。
・２つ以上のＣＳＩレポートおよびＳＲ（もしあれば）のフォーマット４。
・２つ以上のＣＳＩレポートおよびＳＲ（もしあれば）のフォーマット５。
【００１６】
ＰＵＣＣＨフォーマット１はＳＲを搬送するためだけに使用され、ＰＵＣＣＨフォーマット１ａ／１ｂは１ビットまたは２ビットのＡＣＫ／ＮＡＣＫ情報をそれぞれ、またはＳＲを伴う１ビットまたは２ビットのＡＣＫ／ＮＡＣＫを搬送するために使用される。
【００１７】
ＣＳＩレポートは、サブフレーム当たり複数のビットからなる。ＰＵＣＣＨ上のＣＳＩレポートの送信は、サブフレームごとに複数の情報ビットが可能なＰＵＣＣＨフォーマット２、３、４、および５によって処理される。
【００１８】
ＰＵＣＣＨフォーマット２は、多くても１１ビットのペイロードを搬送することができる。フォーマット２の変形はフォーマット２ａおよび２ｂであり、それらはまた、通常のサイクリックプレフィックスのために、それぞれ１ビットおよび２ビットのＨＡＲＱ−ＡＣＫ情報も搬送する。拡張サイクリックプレフィックスの場合、ＰＵＣＣＨフォーマット２はまた、ＨＡＲＱ−ＡＣＫ情報を搬送することができる。簡単にするために、これらはすべて、本明細書ではフォーマット２と呼ばれる。
【００１９】
ＰＵＣＣＨフォーマット３は、５つまでのコンポーネントキャリア（ＣＣ）を有するキャリアアグリゲーション（ＣＡ）をサポートするために、より大きなＨＡＲＱ−ＡＣＫペイロードをサポートするように設計され、ＦＤＤおよびＴＤＤのために、それぞれ、１０または２０までのＨＡＲＱ−ＡＣＫビットを搬送することができる。ＰＵＣＣＨフォーマット３はまた、ＳＲを搬送することができ、合計２１ビットまでをサポートすることができる。ＰＵＣＣＨフォーマット３は、ＣＳＩを搬送することもできる。
【００２０】
ＰＵＣＣＨフォーマット１〜３のための情報ビットまたはシンボルは、ＲＢ上に符号分割多重化される。異なる無線デバイスは特定のＰＵＣＣＨフォーマット１〜３リソースで準静的に構成可能であり、複数の無線デバイスは、同じＲＢにおいてサポート可能である。
【００２１】
ＰＵＣＣＨフォーマット４および５はさらに大きなペイロードを搬送し、主にこれは３２個までのコンポーネントキャリア（ＣＣ）を有するキャリアアグリゲーション（ＣＡ）のために使用される。ＰＵＣＣＨフォーマット４は、８個までのＲＢで構成可能である。ＰＵＣＣＨフォーマット５は１つのＲＢを占有し、２つのＷＤのＵＣＩは、同じＲＢにおいて多重化可能である。
【００２２】
ＰＵＣＣＨは、ＢＰＳＫ変調またはＱＰＳＫ変調のいずれかを使用する。表１は、ＬＴＥにおいてサポートされるＰＵＣＣＨフォーマットの要約である。
2020516140.tif 000003
表１：ＬＴＥでサポートされるＰＵＣＣＨフォーマット
【００２３】
伝送スキーム
ＬＴＥでは、以下を含む複数の伝送スキームがサポートされる：
・単一アンテナポートスキーム；
・送信ダイバーシチスキーム；
・大遅延ＣＤＤ（サイクリック遅延ダイバーシティ）スキーム；
・閉ループ空間多重化スキーム；
・マルチユーザＭＩＭＯ（Ｍｕｌｔｉｐｌｅ  Ｉｎｐｕｔ  ａｎｄ  Ｍｕｌｔｉｐｌｅ  Ｏｕｔｐｕｔ）スキーム；
・二重レイヤスキーム；および
・最大８個のレイヤの伝送スキーム
【００２４】
また、伝送モード（ＴＭ）は、モード１〜モード１０の１０通りである。各伝送モードは、伝送スキームに関連付けられる。無線デバイスは、１つの伝送モードで準静的に構成される。各伝送モードに対して、ＣＳＩコンテンツは一般に異なる。例えば、ＴＭ３は、一般に開ループ伝送モードと呼ばれる大きな遅延ＣＤＤスキームに関連付けられる。ＴＭ３では、プリコーダ行列インジケーション（ＰＭＩ）はＣＳＩでレポートされず、ランク１かランク２かにかかわらず、１つのチャネル品質インジケーション（ＣＱＩ）のみが報告される。ＴＭ４は一般に閉ループ伝送モードと呼ばれる閉ループ空間多重化スキームに関連付けられる。ＣＳＩレポートは、ＰＭＩと、ランクインジケーション（ＲＩ）と、ＣＱＩと、を含む。ＴＭ９は「最大８レイヤ伝送スキーム」に関連付けられ、このＴＭにおけるＣＳＩレポートはＲＩ、ＰＭＩ、およびＣＱＩを含む。しかしながら、ＬＴＥ第三世代パートナーシッププロジェクト（３ＧＰＰ）リリース−１４（Ｒｅｌ−１４と呼ぶ）では、ＴＭ９およびＴＭ１０に準開ループ伝送および高度ＣＳＩコードブックが導入され、ＣＳＩコンテンツはそれぞれ異なる。準開ループの場合、使用されるアンテナおよびコードブックの数に応じて、ＰＭＩも部分ＰＭＩもフィードバックされない。高度なコードブックベースのＣＳＩの場合、より高い解像度のＣＳＩが無線デバイスから基地局にフィードバックされ、フィードバックすべきＣＳＩビットがより多く存在する。ＴＭ１０もまた、「最大８レイヤ伝送スキーム」に関連付けられるが、２つ以上のサービング伝送ポイントまたはセルのためのＣＳＩフィードバックをサポートすることができ、したがって、それはしばしば、ＣｏＭＰ（協調多重伝送ポイント）モードと呼ばれる。一般に、ＣＳＩコンテンツおよびペイロードサイズは、異なるＴＭに対して異なる。
【００２５】
ＬＴＥは、ダウンリンクにおいて３２個までのコンポーネントキャリア（ＣＣ）のキャリアアグリゲーションをサポートする。各ＣＣはセルとして動作し、それらのうちの１つは、プライマリセルまたはキャリアである。プライマリキャリアのみが、関連するアップリンクキャリアを有することができる。この場合、各ダウンリンクコンポーネントキャリアのＡＣＫ／ＮＡＣＫ、ＳＲ、およびＣＳＩは、単一のアップリンクキャリア上で集約され、送信される。したがって、集約されたＵＣＩペイロードサイズは、かなり大きくなり得る。
【００２６】
伝送スキームを単純化するために、ＮＲは、２つの伝送スキームのみをサポートする、すなわち：
スキーム１：閉ループ伝送
スキーム２：開ループおよび準開ループ伝送
伝送スキーム間の動的切り替えをサポートすることができる。また、キャリアアグリゲーションは、ＮＲにおいてサポートされてもよい。
【００２７】
ＣＳＩ−ＲＳ伝送
ＬＴＥと同様に、ＮＲでは、無線デバイスにおけるダウンリンクチャネル推定のために、ネットワークノードにおける各アンテナポートから固有の参照信号が送信される。ダウンリンクチャネル状態推定測定のための参照信号は一般に、チャネル状態情報参照信号（ＣＳＩ−ＲＳ）と呼ばれる。Ｎ個のアンテナポートについてＮ個のＣＳＩ−ＲＳ信号が必要とされ、それぞれが１つのアンテナポートに関連付けられる。
【００２８】
ＣＳＩ−ＲＳ上で測定することによって、無線デバイスはＣＳＩ−ＲＳが進行している有効チャネルを推定することができ、そのようなチャネルは、ネットワークノードおよび無線デバイスの両方において、無線伝搬チャネルおよびアンテナ利得を含む。数学的には、これは、既知のＣＳＩ−ＲＳ信号ｘｉ（ｉ＝１，２，．．．，Ｎｔｘ）がネットワークノードにおけるｉ番目の送信アンテナポート上で送信される場合、無線デバイスのｊ番目の受信アンテナポート上の受信信号ｙｊ（ｊ＝１，２，．．．，Ｎｒｘ）は以下のように表現可能であることを示唆する。
ｙｊ＝ｈｉ，ｊｘｉ＋ｎｊ
ここで、ｈｉ，ｊはｉ番目の送信アンテナポートとｊ番目の受信アンテナポートとの間の有効チャネルであり、ｎｊはｊ番目の受信アンテナポートに関連する受信器ノイズであり、Ｎｔｘはネットワークノードにおける送信アンテナポートの数であり、Ｎｒｘは無線デバイスにおける受信アンテナポートの数である。
【００２９】
無線デバイスは、Ｎｒｘ×Ｎｔｘ有効チャネル行列Ｈ（Ｈ（ｉ，ｊ）＝ｈｉ，ｊ）およびしたがって、チャネルランク、プリコーディング行列、およびチャネル品質、を推定することができる。これは、各ランクに対して予め設計されたコードブックを使用することによって達成され、コードブック内の各コードワードはプリコーディング行列候補である。無線デバイスは、コードブックを探索して、有効チャネルおよびノイズに最も良く一致するような、ランクと、ランクに関連付けられたコードワードと、ランクおよびプリコーディング行列に関連付けられたチャネル品質とを見つける。ランク、プリコーディング行列、およびチャネル品質は、ＣＳＩフィードバックの一部として、ランクインジケータ（ＲＩ）、プリコーディング行列インジケータ（ＰＭＩ）、およびチャネル品質インジケータ（ＣＱＩ）の形で報告される。これは、いわゆるチャネル依存プリコーディング、または閉ループプリコーディングをもたらす。そのようなプレコーディングは、基本的には、送信エネルギの大部分を無線デバイスへ運ぶ意味で強力な部分空間へと送信エネルギを集中させようとするものである。
【００３０】
ＣＳＩ−ＲＳ信号は、アンテナポートに関連付けられた時間−周波数リソース要素（ＲＥ）の集合上で送信される。システム帯域幅全体にわたるチャネル推定のために、ＣＳＩ−ＲＳは、通常、システム帯域幅全体にわたり送信される。サブフレームにおけるＣＳＩ−ＲＳ伝送のために使用されるＲＥの集合は、ＣＳＩ−ＲＳリソースと呼ばれる。無線デバイスの観点から、アンテナポートは、無線デバイスがチャネルを測定するために使用するＣＳＩ−ＲＳと同等である。３２までの（すなわち、Ｎｔｘ＝３２）アンテナポートはＮＲにおいてサポートされ、したがって、３２のＣＳＩ−ＲＳ信号は無線デバイス用に構成可能である。
【００３１】
ＮＲでは、以下の３つのタイプのＣＳＩ−ＲＳ伝送がサポートされる：
・周期的ＣＳＩ−ＲＳ伝送：ＣＳＩ−ＲＳは、あるサブフレームにおいて周期的に送信される。このＣＳＩ−ＲＳ伝送は、ＬＴＥと同様に、ＣＳＩ−ＲＳリソース、周期性、およびサブフレームオフセットなどのパラメータを使用して準静的に構成される。
・非周期的ＣＳＩ−ＲＳ伝送：これは、任意のサブフレームで起こり得る「ワンショット」ＣＳＩ−ＲＳ伝送である。ワンショットとは、ＣＳＩ−ＲＳ伝送がトリガー毎に１回しか起こらないことを意味する。非周期的ＣＳＩ−ＲＳのためのＣＳＩ−ＲＳリソース（すなわち、サブキャリア位置およびＯＦＤＭシンボル位置からなるリソース要素位置）は、準静的に構成される。非周期的ＣＳＩ−ＲＳの送信は、ＰＤＣＣＨを介する動的シグナリングによってトリガされる。トリガリングはまた、複数のＣＳＩ−ＲＳリソースからＣＳＩ−ＲＳリソースを選択することを含みうる。
・セミパーシステントＣＳＩ−ＲＳ伝送：周期的ＣＳＩ−ＲＳと同様に、セミパーシステントＣＳＩ−ＲＳ伝送のためのリソースは、周期性やサブフレームオフセットなどのパラメータを用いて準静的に構成される。しかしながら、周期的ＣＳＩ−ＲＳとは異なり、ＣＳＩ−ＲＳ伝送をアクティブ化し、場合によっては非アクティブ化するために、動的信号が必要とされる。図４に例が示される。特に、図４は、セミパーシステントＣＳＩ−ＲＳ伝送のタイミングを示す。
【００３２】
ＮＲでは、２つのタイプのＣＳＩフィードバック、すなわち、タイプＩおよびタイプＩＩが閉ループ送信のためにサポートされ得る。
【００３３】
タイプＩは、シングルユーザＭＩＭＯ（ＳＵ−ＭＩＭＯ）送信をターゲットとする通常の解像度を有するコードブックベースのＰＭＩフィードバックである
【００３４】
タイプＩＩは、マルチユーザＭＩＭＯ（ＭＵ−ＭＩＭＯ）送信をターゲットとする、より高い解像度を有する拡張ＣＳＩフィードバックである
【００３５】
２つの異なるコードブックが、２つのフィードバックタイプのために設計される。タイプＩＩフィードバックでは、タイプＩよりも多くのビットがＰＭＩフィードバックのために存在する。
【００３６】
ＣＳＩレポーティング：
ＬＴＥでは、無線デバイスは、周期的または非周期的レポーティングモードでＣＳＩを報告（レポート）するように構成され得る。周期的ＣＳＩレポートはＰＵＣＣＨ上で搬送され、非周期的ＣＳＩはＰＵＳＣＨ上で搬送される。ＰＵＣＣＨは、１つ以上の予め設定された数の物理リソースブロック（ＰＲＢ）上で送信され、直交位相シフトキーイング（ＱＰＳＫ）変調を有する単一の空間レイヤを使用する。非周期的ＣＳＩレポートを搬送するＰＵＳＣＨリソースは、ＰＤＣＣＨまたは拡張ＰＤＣＣＨ（ＥＰＤＣＣＨ）を介して搬送されるアップリンクグラントを介して動的に割り当てられ、可変数のＰＲＢを占有可能であり、ＱＰＳＫ、１６直角位相振幅変調（ＱＡＭ）、および６４  ＱＡＭなどの変調状態、ならびに複数の空間レイヤを使用することができる。したがって、ＰＵＳＣＨは、ＵＣＩペイロードサイズに適応する際のリソース割り当て、およびチャネル状態に適応する際の変調／符号化レートに関して、より柔軟である。
【００３７】
ＬＴＥでは周期的ＣＳＩレポートは、ＳＰＳ  ＰＵＳＣＨを含むサブフレームと同じサブフレームで生じ得、その場合、周期的ＣＳＩレポートはＰＵＳＣＨ上でピギーバックされる。これは、周期的ＣＳＩを、リンク適応を使用して送信可能とし、したがって、周期的ＣＳＩは（固定数のリソースを伴うＱＰＳＫを常に使用する）ＰＵＣＣＨ上よりもスペクトル的に効率的な態様で送信可能となる。しかしながら、周期的ＣＳＩレポートは、それらがＰＵＣＣＨの予め構成された小さなペイロードに適合するように形成され、したがって、それらが、例えばコードブックサブサンプリングの使用によってＰＵＳＣＨ上にピギーバックされるときでさえ、より少ない情報を搬送し得る。対照的に、ＰＵＳＣＨ上の非周期的ＣＳＩレポートはＣＳＩフィードバックの完全な解像度を使用し、サブサンプリングされない。さらに、ＬＴＥにおける周期的ＣＳＩレポートは、少なくとも１つのＰＵＣＣＨリソースが無線デバイス用に構成されることを必要とし、これは、予約されたにもかかわらず、周期的ＣＳＩが常にＰＵＳＣＨ上で搬送される場合であっても使用されない可能性があるＰＵＣＣＨリソースの浪費である。したがって、ＬＴＥはセミパーシステントなリソース割り当てを用いてＰＵＳＣＨ上で周期的ＣＳＩを送信することができるが、そのようなＣＳＩは一般に、ＰＵＳＣＨ上の非周期的ＣＳＩよりも正確ではない
【００３８】
ＬＴＥでは、ＰＤＣＣＨアップリンク（ＵＬ）グラントは、ＵＬ−ＳＣＨ（ＰＵＳＣＨ上で搬送されるＵＬ共有チャネル）、ＣＳＩ（ＲＩ、ＣＲＩ（ＣＳＩ−ＲＳリソースインジケータ）、相対電力インジケータ（ＲＰＩ）、ＣＱＩ、およびＰＭＩを含む）、ならびにＨＡＲＱ−ＡＣＫを含む、ＰＵＳＣＨ上で搬送されるすべてのコンテンツに対して単一のリソースを割り当てる。（ＣＳＩがＰＵＳＣＨ上でピギーバックされる場合、メッセージのサイズは報告されたＲＩ、ＣＲＩ、および／またはＲＰＩに従って決定されるので、ネットワークノードはＵＬグラントの時点で、ＵＬ  ＣＳＩのサイズが何であるかを知らない。したがって、ネットワークノードはＣＳＩおよび他のコンテンツの両方がＰＵＳＣＨリソースに適合することを保証するために、余分なリソースを割り当てなければならない。ＰＵＳＣＨ上のＣＳＩは常に、各セル、ＣＳＩプロセス、および／またはｅＭＩＭＯタイプについて完了ＣＳＩメッセージを搬送することにも留意されたい：セル、ＣＳＩプロセス、および／またはｅＭＩＭＯタイプについて報告されるすべての構成されたパラメータ（すなわち、ＲＩ、ＣＲＩ、ＲＰＩ、ＣＱＩ、ＰＭＩのうちの１つまたは複数）は、ＰＵＳＣＨ上の１つの送信において一緒に報告される。
【００３９】
無線デバイスは一般に、それが周期的に報告されるか、非周期的に報告されるかにかかわらず、新しいＣＳＩレポートのそれぞれを更新することを要求される。しかしながら、生成されるべきＣＳＩレポートの数がＣＳＩプロセスの数よりも多い場合、無線デバイスは、無線デバイスにおける計算の複雑さを制限するために、ＣＳＩレポートを更新する必要がない。しかしながら、これは無線デバイスがレポートを更新することを禁止されていることを意味せず、したがってこの場合、ＣＳＩレポートが以前に送信されたレポートと同一であるかどうかは知られていない。
【００４０】
ＮＲでは、ＬＴＥにおけるような周期的および非周期的ＣＳＩレポートに加えて、セミパーシステントＣＳＩレポートもサポートされる。したがって、ＮＲでは、次の３つのタイプのＣＳＩレポートがサポートされる：
・周期的ＣＳＩレポーティング：ＣＳＩは、無線デバイスによって周期的に報告される。周期性およびサブフレームオフセットなどのパラメータは、ネットワークノードから無線デバイスへの上位レイヤシグナリングを使用して準静的に構成される。
・非周期的ＣＳＩレポーティング：このタイプのＣＳＩレポーティングはネットワークノードによって、例えばＰＤＣＣＨ内のＤＣＩによって動的にトリガされる、無線デバイスによるシングルショット（すなわち、１回）ＣＳＩレポートを含む。非周期的ＣＳＩレポートの構成に関連するパラメータのいくつかは、ネットワークノードから無線デバイスに準静的に構成されるが、トリガは動的である。
・セミパーシステントＣＳＩレポート：周期的ＣＳＩレポートと同様に、セミパーシステントＣＳＩレポートは、ネットワークノードによって無線デバイスに対して準静的に設定され得る周期性およびサブフレームオフセットを有する。しかしながら、無線デバイスがセミパーシステントＣＳＩレポートを開始することを可能にするためには、ネットワークノードから無線デバイスへの動的トリガが必要とされ得る。場合によっては、ネットワークノードから無線デバイスへの動的トリガは、ＣＳＩレポートのセミパーシステント送信を停止するように無線デバイスに命令するために必要とされ得る。
【００４１】
ＣＳＩ−ＲＳ伝送およびＣＳＩレポートに関して、以下の組み合わせがＮＲにおいてサポートされる：
・周期的ＣＳＩ−ＲＳ伝送について
・セミパーシステントＣＳＩレポートは、動的に活性化／不活性化される；
・非周期的ＣＳＩレポートは、ＤＣＩによってトリガされる。
・ＣＳＩ−ＲＳのセミパーシステント伝送について、
・セミパーシステントＣＳＩレポートは、動的に活性化／不活性化される；
・非周期的ＣＳＩレポートは、ＤＣＩによってトリガされる。
・ＣＳＩ−ＲＳの非周期的伝送について、
・非周期的ＣＳＩレポートは、ＤＣＩによってトリガされる；
・非周期的ＣＳＩ−ＲＳは、動的にトリガされる。
【００４２】
ＮＲのＣＳＩフレームワーク：
ＮＲでは、無線デバイスは、Ｎ≧１のＣＳＩレポート設定、Ｍ≧１のリソース設定、および１つのＣＳＩ測定設定で構成可能であり、ＣＳＩ測定設定はＬ≧１のリンクを含み、Ｌの値は無線デバイス能力に依存し得る。少なくともＣＳＩ取得のために、少なくとも以下の構成パラメータがＲＲＣを介してシグナリングされる。
・Ｎ、Ｍ、およびＬは、暗黙的または明示的に示される。
・各ＣＳＩレポート設定において、少なくとも：報告されたＣＳＩパラメータ、報告された場合のＣＳＩタイプ（ＩまたはＩＩ）、コードブックサブセット制限を含むコードブック構成、時間ドメイン挙動、ＣＱＩおよびＰＭＩの周波数粒度、測定制限構成。
・各リソース設定で：
・Ｓ≧１のＣＳＩ−ＲＳリソースセットの構成；
・少なくともＲＥへのマッピング、ポートの個数、時間ドメイン挙動などを含む、集合ｓごとのＫｓ≧１のＣＳＩ−ＲＳリソースの構成；
・時間ドメイン挙動：非周期的、周期的、またはセミパーシステント；
・少なくともＣＳＩ−ＲＳを包含するＲＳタイプ。
・ＣＳＩ測定セッティング中のＬ個のリンクのそれぞれにおいて：ＣＳＩレポーティングセッティングインジケーション、リソースセッティングインジケーション、測定されるべき量（チャネルまたは干渉）
・１つのＣＳＩレポート設定を、１つまたは複数のリソース設定にリンクできる；
・複数のＣＳＩレポート設定をリンクすることができる。
【００４３】
少なくとも、適用可能であれば、Ｌ１またはＬ２シグナリングによって、以下のものが動的に選択される。
・ＣＳＩ測定設定内の１つまたは複数のＣＳＩレポート設定；
・少なくとも１つのリソース設定から選択された１つまたは複数のＣＳＩ−ＲＳリソース集合；
・少なくとも１つのＣＳＩ−ＲＳリソース集合から選択された１つまたは複数のＣＳＩ−ＲＳリソース。
【００４４】
制御シグナリング
ＬＴＥ制御シグナリングは、ＰＤＣＣＨやＰＵＣＣＨ上で制御情報を運ぶことや、ＰＵＳＣＨに埋め込むことや、媒体アクセス制御（ＭＡＣ）制御要素（「ＭＡＣ  ＣＥ」）や、無線リソース制御（ＲＲＣ）シグナリングを含む、様々な方法で搬送され得る。これらのメカニズムの各々は、特定の種類の制御情報を搬送するようにカスタマイズされる。
【００４５】
ＰＤＣＣＨ、ＰＵＣＣＨ上で搬送される、またはＰＵＳＣＨに埋め込まれる（「ピギーバックオン」）制御情報は、３ＧＰＰ技術仕様（ＴＳ）３６．２１１、３６．２１２、および３６．２１３に記載されるように、ダウンリンク制御情報（ＤＣＩ）、アップリンク制御情報（ＵＣＩ）などの物理レイヤ関連制御情報である。ＤＣＩは一般に、無線デバイスに何らかの物理レイヤ機能を実行するように命令し、その機能を実行するために必要な情報を提供するために使用される。ＵＣＩは一般に、ＨＡＲＱ−ＡＣＫ、スケジューリング要求（ＳＲ）、ＣＱＩ、ＰＭＩ、ＲＩ、および／またはＣＲＩを含むチャネル状態情報（ＣＳＩ）などの必要な情報をネットワークに提供する。ＵＣＩおよびＤＣＩはサブフレームごとに送信可能であり、したがって、高速フェージング無線チャネルとともに変化しうるパラメータを含む、急速に変化するパラメータをサポートするように設計される。ＵＣＩおよびＤＣＩは、サブフレームごとに送信可能なので、制御オーバヘッドの量を制限するために、所与のセルに対応するＵＣＩまたはＤＣＩは数十ビットのオーダである傾向がある。
【００４６】
ＭＡＣ  ＣＥで搬送される制御情報は、３ＧＰＰ  ＴＳ  ３６．３２１に記載されているように、アップリンクおよびダウンリンク共有トランスポートチャネル（ＵＬ−ＳＣＨおよびＤＬ−ＳＣＨ）上のＭＡＣヘッダで搬送される。ＭＡＣヘッダは固定サイズを有さないので、ＭＡＣ  ＣＥにおける制御情報はそれが必要とされるときに送信可能であり、固定オーバヘッドを必ずしも示さない。さらに、ＭＡＣ  ＣＥはＵＬ−ＳＣＨまたはＤＬ−ＳＣＨトランスポートチャネルで搬送されるので、より大きな制御ペイロードを効率的に搬送することができ、リンク適応、ＨＡＲＱから恩恵を受け、ターボ符号化することができる。ＭＡＣ  ＣＥは、タイミングアドバンス維持またはバッファステータス報告などの、固定されたパラメータの集合を使用する反復タスクを実行するために使用されるが、これらのタスクは一般に、サブフレームごとでのＭＡＣ  ＣＥの送信を必要としない。その結果、Ｒｅｌ−１４までのＬＴＥでは、ＰＭＩ、ＣＱＩ、ＲＩ、およびＣＲＩなどの高速フェージング無線チャネルに関連するチャネル状態情報はＭＡＣ  ＣＥで搬送されない。
【００４７】
２Ｄアンテナアレイ
そのようなアンテナアレイは、水平次元に対応するアンテナ列の数Ｎｈと、垂直次元に対応するアンテナ行の数Ｎｖと、異なる偏波に対応する次元の数Ｎｐと、によって（部分的に）記述されてもよい。したがって、アンテナの総数はＮ＝ＮｈＮｖＮｐである。アンテナの概念は物理アンテナ要素の任意の仮想化（例えば、線形マッピング）を指すことができるという意味で非限定的であることを指摘すべきである。例えば、物理的サブエレメントのペアに同じ信号を供給することができ、したがって、同じ仮想化アンテナポートを共有することができる。交差偏波アンテナ要素を伴う４×４アレイの一例は図５に示されている。特に、図５は、交差偏波アンテナ要素（ＮＰ＝２）の二次元（ｍｘｌ）アンテナアレイのブロック図であり、これはＮｈ＝４  水平アンテナ要素とＮｖ＝４垂直アンテナ要素とを伴う。
【００４８】
プリコーディングは、送信前に各アンテナについて異なるビームフォーミング重みを信号に乗算することとして解釈されてもよい。典型的なアプローチは、アンテナフォームファクタに合わせてプリコーダを調整することであり、すなわち、プリコーダコードブックを設計するときにＮｈ、ＮｖおよびＮｐを考慮する。そのような２Ｄコードブックは、アンテナポートが関連付けられる寸法に垂直寸法または水平寸法を厳密に関連付けなくてもよい。したがって、２Ｄコードブックは、第１の数のアンテナポートＮ１および第２の数のアンテナポートＮ２を有すると考えることができ、ここで、Ｎ１は水平次元または垂直次元のいずれかに対応することができ、したがって、Ｎ２は残りの次元に対応する。すなわち、もしＮ１＝ＮｈならＮ２＝Ｎｖであり、一方、もしＮ１＝ＮｖならＮ２＝Ｎｈである。同様に、２Ｄコードブックはアンテナポートを偏波に厳密に関連付けなくてもよく、以下のセクションで説明するように、２つの結合ビームまたは２つのアンテナポートに使用されるコフェージング機構を用いて設計され得る。
【００４９】
ＤＦＴベースのプリコーダ
一般的なタイプのプリコーディングはＤＦＴプリコーダを使用することであり、Ｎ１個のアンテナを有する単一偏波均一線形アレイ（ＵＬＡ）を使用して単一レイヤ送信をプリコーディングするために使用されるプリコーダベクトルは、以下のように定義される
2020516140.tif 000004
ここで、ｌ＝０，１，．．．Ｏ１Ｎ１−１はプリコーダインデックスであり、Ｏ１は整数オーバサンプリングファクタである。偏波当たりＮ１個のアンテナ（したがって、全体として２Ｎ１個のアンテナ）を有する二重偏波均一線形アレイ（ＵＬＡ）のためのプリコーダは、以下のように同様に定義することができる
2020516140.tif 000005
ここで、ｅｊφは例えば、ＱＰＳＫアルファベットφ∈｛０，π／２，π，３π／２｝から選択され得る２つの偏波間のコフェージング係数である。
【００５０】
Ｎ１×Ｎ２個のアンテナを有する２次元一様平面アレイ（ＵＰＡ）のための対応するプリコーダベクトルは、２つのプリコーダベクトルのクロネッカ積を
2020516140.tif 000006
としてとることによって生成可能であり、ここでＯ２はＮ２次元における整数オーバーサンプリングファクタである。各プリコーダｗ２Ｄ（ｌ，ｍ）はＤＦＴビームを形成し、全てのプリコーダ｛ｗ２Ｄ（ｌ，ｍ），ｌ＝０，．．．，Ｎ１Ｏ１−１；ｍ＝０，．．．，Ｎ２Ｏ２−１｝はＤＦＴビームの格子を形成する。図６に例が示され、そこでは（Ｎ１，Ｎ２）＝（４，２）および（Ｏ１，Ｏ２）＝（４，４）。特に、図６は、（Ｎ１，Ｎ２）＝（４，２）および（Ｏ１，Ｏ２）＝（４，４）を伴うオーバーサンプリングされたＤＦＴビームの一例を示す図である。以下のセクションを通して、「ＤＦＴビーム」および「ＤＦＴプリコーダ」という用語は、互換的に使用される。
【００５１】
より一般的には、インデックス対（ｌ，ｍ）を伴うビームは、プリコーディング重みｗ２Ｄ（ｌ，ｍ）が送信において使用されるときに最大のエネルギが送信される方向によって特定可能である。また、ビームのサイドローブを下げるために、ＤＦＴビームと共に振幅テーパを使用することができる。振幅テーパリングを伴うＮ１およびＮ２次元に沿った１Ｄ  ＤＦＴプリコーダは以下のように表される。
2020516140.tif 000007
ここで、０＜βｉ，γｋ≦１（ｉ＝０，１，．．．，Ｎ１−１；ｋ＝０，１，．．．，Ｎ２−１）は振幅スケーリングファクタである。βｉ＝１，γｋ＝１（ｉ＝０，１，．．．，Ｎ１−１；ｋ＝０，１，．．．，Ｎ２−１）は、テーパがないことに対応する。ＤＦＴビーム（振幅テーパの有無にかかわらず）は、２つの次元の各々に沿った要素間の線形位相シフトを有する。一般性を失うことなく、隣接する要素が次元Ｎ２に沿って隣接するアンテナ要素に対応するように、
2020516140.tif 000008
にしたがってｗ（ｌ，ｍ）の要素が順序付けられ、Ｎ２だけ離間したｗ（ｌ，ｍ）の要素が次元Ｎ１に沿って隣接するアンテナ要素に対応すると仮定する。
【００５２】
この場合、ｗ（ｌ，ｍ）の２つの要素ｗｓ１（ｌ，ｍ）およびｗｓ２（ｌ，ｍ）間の位相シフトは、以下のように表すことができる：
2020516140.tif 000009
ここで、ｓ１＝ｉ１Ｎ２＋ｉ２およびｓ２＝ｋ１Ｎ２＋ｋ２（０≦ｉ２＜Ｎ２、０≦ｉ１＜Ｎ１、０≦ｋ２＜Ｎ２、および０≦ｋ１＜Ｎ１を伴う）は、ビームｗ（ｌ，ｍ）の２つのエントリを特定する整数であり、この場合、（ｉ１，ｉ２）が第１アンテナ素子（またはポート）にマッピングされるビームｗ（ｌ，ｍ）の第１エントリを示し、（ｋ１，ｋ２）が第２アンテナ素子（またはポート）にマッピングされるビームｗ（ｌ，ｍ）の第２エントリを示す。
【００５３】
αｓ１＝βｉ１γｉ２およびαｓ２＝βｋ１γｋ２は実数である。振幅テーパリングを使用する場合、αｉ≠１（ｉ＝ｓ１，ｓ２）、それ以外の場合、αｉ＝１。
【００５４】
2020516140.tif 000010
は、軸、例えば、水平軸（「方位角」）に沿った方向に対応する位相シフトである。
2020516140.tif 000011
は、軸、例えば垂直軸（「仰角」）に沿った方向に対応する位相シフトである。
【００５５】
したがって、プリコーダｗ（ｌｋ，ｍｋ）を用いて形成されたｋ番目のビームｄ（ｋ）も、対応するプリコーダｗ（ｌｋ，ｍｋ）によって参照可能であり、すなわちｄ（ｋ）＝ｗ（ｌｋ，ｍｋ）。したがって、ビームｄ（ｋ）は複素数の集合として記述することができ、集合の各要素は、ビームの要素がビームの任意の他の要素に関連するように、少なくとも１つの複素位相シフトによって特徴付けられ、ここで
2020516140.tif 000012
であり、ここでｄｉ（ｋ）はビームｄ（ｋ）のｉ番目の要素であり、αｉ，ｎはビームｄ（ｋ）のｉ番目およびｎ番目の要素に対応する実数であり、ｐおよびｑは整数であり、Δ１，ｋおよびΔ２，ｋは複素位相シフト
2020516140.tif 000013
をそれぞれ決定するインデクスペア（ｌｋ，ｍｋ）を有するビームに対応する実数である。インデックスペア（ｌｋ，ｍｋ）は、ＵＰＡまたはＵＬＡにおける送信または受信のためにビームｄ（ｋ）が使用されるときの平面波の到来または出発の方向に対応する。ビームｄ（ｋ）は単一のインデクスｋを用いて特定することができ、ここで＝ｌｋ＋Ｎ１Ｏ１ｍｋであり、すなわち、垂直方向に沿うのであり、または、Ｎ２次元が最初であり、または代替的にはｋ＝Ｎ２Ｏ２ｌｋ＋ｍｋであり、すなわち水平方向に沿うのであり、またはＮ１次元が最初である。
【００５６】
次に、二重偏波ＵＬＡのためのプリコーダの拡張は、以下のように行われてもよい
2020516140.tif 000014
【００５７】
マルチレイヤ伝送のためのプリコーダ行列Ｗ２Ｄ，ＤＰは、ＤＦＴプリコーダベクトルの列を以下のようにアペンドする（後に付ける）ことによって生成されてもよい
2020516140.tif 000015
ここでＲは伝送レイヤの数、すなわち伝送ランクである。ランク２のＤＦＴプリコーダｍ１＝ｍ２＝ｍおよびｌ１＝ｌ２＝ｌの特別な場合には、以下が存在する
2020516140.tif 000016
【００５８】
各ランクについて、すべてのプリコーダ候補は、「プリコーダコードブック」または「コードブック」を形成する。無線デバイスは最初に、ＣＳＩ−ＲＳに基づいて、推定されたダウンリンク広帯域チャネルのランクを決定することができる。ランクが特定された後、各サブバンドについて、無線デバイスは次いで、サブバンドのための最良のプリコーダを見つけるために、決定されたランクについてコードブック中のすべてのプリコーダ候補を探索する。例えば、ランク＝１の場合、無線デバイスは、全ての可能な（ｋ，ｌ，φ）の値についてｗ２Ｄ，ＤＰ（ｋ，ｌ，φ）を通じて探索する。ランク＝２の場合、無線デバイスは、全ての可能な（ｋ，ｌ，φ１，φ２）の値についてＷ２Ｄ，ＤＰ（２）（ｋ，ｌ，φ１，φ２）を通じて探索する。
【００５９】
ＭＵ−ＭＩＭＯ
マルチユーザＭＩＭＯでは、同じセル内の２つ以上のユーザが同じ時間−周波数リソース上で同時にスケジュールされる。すなわち、２つ以上の独立したデータストリームが異なる無線デバイスに同時に送信され、空間ドメインは、それぞれのストリームを分離するために使用される。いくつかのストリームを同時に送信することによって、システムの容量を増加させることができる。しかしながら、これは、ストリーム間で電力を共有しなければならず、ストリームが互いに干渉を引き起こすので、ストリーム当たりの信号対干渉雑音比（ＳＩＮＲ）を低減するという犠牲を伴う。
【００６０】
アンテナアレイサイズを増大させると、ビームフォーミングゲインが増大し、それにより、ＳＩＮＲが高くなるが、ユーザスループットはＳＩＮＲに対数的にしか依存しない（大きなＳＩＮＲの場合）ので、代わりに、多重化された無線デバイスの数と共に線形に増大する多重化ゲインに対してＳＩＮＲのゲインをトレードすることが有益である。
【００６１】
正確なＣＳＩは、同時にスケジュールされたユーザ間で適切なヌルフォーミングを実行するために必要とされる。現在のＬＴＥ  ３ＧＰＰ  リリース１３（Ｒｅｌ．１３）規格では、マルチユーザ（ＭＵ）−ＭＩＭＯのための特別なＣＳＩモードは存在せず、したがって、ＭＵ−ＭＩＭＯスケジューリングおよびプリコーダ構成はシングルユーザＭＩＭＯのために設計された既存のＣＳＩレポート（すなわち、ＤＦＴベースのプリコーダを示すＰＭＩ、ＲＩ、およびＣＱＩ）に基づく必要がある。これは、報告されたプリコーダがユーザについて最も強いチャネル方向に関する情報のみを含み、したがって、適切なヌルフォーミングを行うのに十分な情報を含まないことがあり、これは同時にスケジュールされたユーザ間の大量の干渉につながり、ＭＵ−ＭＩＭＯの利益を低減することがあるので、ＭＵ−ＭＩＭＯにとって非常に困難であることを証明しうる。
【００６２】
マルチビームプリコーダ
上述のＬＴＥ  Ｒｅｌ−１３で使用されるＤＦＴベースのプリコーダは、（典型的には異なる偏波の）ポートの対にわたるコフェージングを算出する。２つ以上のビームｄ（ｋ）がＣＳＩレポートにおいて使用される場合、ビームはコフェージングと結合されないが、選択されたビームに関連するポート対はコフェージングされる。その結果、そのようなＤＦＴベースのプリコーダは、「シングルビーム」プリコーダと見なすことができる。したがって、マルチビームプリコーダは拡張であり、ここでは、コフェージングがビームならびにポート対にわたって適用される。そのようなコードブックの１つが、本明細書で説明される。具体性のために、マルチビームコードブックを、水平および垂直次元に関連するコードブックの２つの次元を用いて説明するが、上述のように、コードブックは第１または第２の次元が水平または垂直アンテナポートに関連する一般的な場合にも同様に適用可能である。
【００６３】
ＤＮはサイズＮ×ＮのＤＦＴ行列として定義され、すなわちＤＮの要素は
2020516140.tif 000017
として定義される。さらに、
2020516140.tif 000018
を、０≦ｑ＜１について定義されるサイズＮ×Ｎ回転行列として定義する。ＲＮ（ｑ）をＤＮに左から乗算すると、
2020516140.tif 000019
エントリを有する回転されたＤＦＴ行列が生成される。回転されたＤＦＴ行列ＲＮ（ｑ）ＤＮ＝［ｄ１  ｄ２  …  ｄＮ］は、さらにベクトル空間
2020516140.tif 000020
を張る正規化された直交列ベクトル｛ｄｉ｝ｉ＝１Ｎからなる。すなわち、任意のｑについて、ＲＮ（ｑ）ＤＮの列は
2020516140.tif 000021
の正規直交基底である。
【００６４】
上述のような単一偏波均一線形アレイ（ＵＬＡ）のための適切な変換であった（回転された）ＤＦＴ行列を、二重偏波２Ｄ均一平面アレイ（ＵＰＡ）のより一般的な場合にも適合するように拡張するコードブック設計が出発点である。
【００６５】
回転された２Ｄ  ＤＦＴ行列は
2020516140.tif 000022
として定義される。
2020516140.tif 000023
の列｛ｄｉ｝ｉ＝１ＮＤＰは、ベクトル空間
2020516140.tif 000024
の正規直交基底を構成する。このような列ｄｉは、以下、（ＤＦＴ）ビームと称される。ＵＰＡに適した二重偏波ビーム空間変換行列が生成され、ここで、左上および右下の要素は、２つの偏波に対応する：
2020516140.tif 000025
【００６６】
2020516140.tif 000026
の列
2020516140.tif 000027
は、ベクトル空間
2020516140.tif 000028
の正規直交基底を構成する。このような列ｂｉは、単一偏波（すなわち、
2020516140.tif 000029
）で伝送されるビームｄによって構成されるので、以下、単一偏波ビーム（ＳＰビーム）と称される。二重偏光ビームという記載は、両方の偏波（偏波コフェージングファクタ  ｅｊαと組み合わされるものであり、すなわち、
2020516140.tif 000030
）で伝送されるビームを指すために導入される。
【００６７】
チャネルがいくらかまばらであるという仮定を利用して、十分なチャネルエネルギは、
2020516140.tif 000031
の列の部分集合を選択するだけで捕捉される。すなわち、フィードバックオーバヘッドを抑えるいくつかのＳＰビームを記述すれば十分である。したがって、
2020516140.tif 000032
のＮＳＰ列からなる列部分集合ＩＳを選択し、縮小ビーム空間変換行列
2020516140.tif 000033
を作成する。例えば、縮小ビーム空間変換行列ＢＩＳ＝［ｂ１  ｂ５  ｂ１０  ｂ２５］を生成するために列番号ＩＳ＝［１  ５  １０  ２５］を選択する。
【００６８】
単一レイヤのプリコーディングのための一般的なプリコーダ構造は以下の通りである：
2020516140.tif 000034
ここで、
2020516140.tif 000035
は複素ビームコフェージング係数である。
【００６９】
上式のプリコーダｗは、ｋ番目のビームｂｋをコフェージング係数ｃｋでコフェージングすることによって構成されたビームの線形結合として記述される。このようなビームコフェージング係数は、他のビームに対して少なくともビームの位相を、ｃｋｂｋにしたがって調整する複素スカラである。ビームコフェージング係数が相対位相のみを調整する場合、それは単位振幅複素数である。一般に、ビームの相対利得も調整することが望ましく、この場合、ビームコフェージング係数は単位の大きさではない。
【００７０】
より洗練されたマルチビームプリコーダ構造は、以下のように、複素係数を電力（または振幅）部分と位相部分とに分離することによって達成される。
2020516140.tif 000036
【００７１】
複素定数Ｃでプリコーダベクトルｗを乗算することはそのビームフォーミング特性を変化させないので（他の単一偏波ビームに対する位相および振幅のみが重要であるので）、一般性を失うことなく、例えばＳＰビーム１に対応する係数をｐ１＝１およびｅｊα１＝１に固定し、その結果、１つ少ないビームに対するパラメータが無線デバイスから基地局にシグナリングされる必要があると仮定することができる。さらに、プリコーダは、例えば合計電力制約が満たされるように、すなわち｜｜ｗ｜｜２＝１、正規化係数で乗算されるとさらに仮定されてもよい。本明細書では、明確化のため、このような正規化係数は式から省略されている。
【００７２】
場合によっては、
2020516140.tif 000037
の列の可能な選択肢が制限され、その結果、列ｉ＝ｉ０が選択された場合、列ｉ＝ｉ０＋ＮＶＮＨもまた選択される。すなわち、第１偏波にマッピングされた所定のビームに対応するＳＰビームが選択される場合、例えば、
2020516140.tif 000038
の場合、これは、ＳＰビーム
2020516140.tif 000039
が同様に選択されることを意味する。すなわち、第２偏波にマッピングされた前記所定のビームに対応するＳＰビームも選択される。これは、
2020516140.tif 000040
のＮＤＰ＝ＮＳＰ／２の列のみを選択し、基地局にシグナリングバックすればよいので、フィードバックオーバヘッドを低減する。換言すれば、列選択は、ＳＰビームレベルではなくビーム（またはＤＰビーム）レベルで行われる。あるビームが偏波の１つで強い場合、それは典型的には少なくとも広帯域の意味で、ビームが他の偏波でも強いことを意味し、したがって、このように列選択を制限することの損失は性能を著しく低下させない。以下の説明では、ＤＰビームの使用が一般的に仮定される（特に明記しない限り）。
【００７３】
場合によっては、フィードバックオーバヘッドを軽減するために、マルチビームプリコーダは、異なる周波数粒度をもって選択された二つ以上の要素に織り込まれる。そのような場合、ＳＰビーム選択（すなわち、行列ＢＩＳ）および相対ＳＰビーム電力／振幅の選択（すなわち、行列
2020516140.tif 000041
の選択）は、ある周波数粒度で選択され、ＳＰビーム位相（すなわち、行列
2020516140.tif 000042
の選択）は、別のある周波数粒度で選択される。１つのそのような場合、前記所定の周波数粒度は広帯域選択（すなわち、帯域幅全体に対する１つの選択）に対応し、一方、前記別の所定の周波数粒度はサブバンドごとの選択に対応する（すなわち、キャリア帯域幅は、通常、１〜１０個の物理リソースブロック（ＰＲＢ）からなるいくつかのサブバンドに分割され、各サブバンドに対して別個の選択が行われる）。
【００７４】
このような典型的なケースでは、マルチビームプリコーダベクトルはｗ＝Ｗ１Ｗ２としてファクタ化され、ここでＷ１はある周波数粒度で選択され、Ｗ２は別の所定の周波数粒度で選択される。プリコーダベクトルは
2020516140.tif 000043
として表現されてもよい。この表記を使用して、前記所定の周波数粒度がＷ１の広帯域選択に対応し、前記別の所定の周波数粒度がＷ２のサブバンドごとの選択に対応する場合、サブバンドｌのプリコーダベクトルは、ｗｌ＝Ｗ１Ｗ２（ｌ）のように表すことができる。すなわち、Ｗ２のみがサブバンドインデクスｌの関数である。
【００７５】
最近、３ＧＰＰは、３ＧＰＰ  ＴＳ  ３６．２１３のセクション７．２．４において、１つの空間レイヤおよび２つの空間レイヤをサポートする新しい高度なＣＳＩコードブックに、マルチビームプリコーダ設計を２つのビームで以下のように指定した：
2020516140.tif 000044
１つのレイヤの場合：  
2020516140.tif 000045
２つのレイヤについて：
2020516140.tif 000046
ここで、
2020516140.tif 000047
【００７６】
ここで、νｌ、ｍは上で定義した２次元ビーム
2020516140.tif 000048
に相当する。これは３ＧＰＰでは２ビームコードブックと呼ばれる。νｌ、ｍおよびνｋ１＋ｍ１、ｋ２＋ｍ２は広帯域ベースで選択され、第１偏波にマッピングされた所定のビームに対応するＳＰビームνｌ、ｍまたはνｋ１＋ｍ１、ｋ２＋ｍ２が選択される場合、例えば、
2020516140.tif 000049
これは上述のようにＳＰビーム
2020516140.tif 000050
が選択されることを意味するからである。この意味で、２つの広帯域二重偏波ビームがあり、２つのビームの４つの単一偏波成分の各々は、サブバンドベースで独立して結合される。したがって、総和
2020516140.tif 000051
は
2020516140.tif 000052
と等価に記述可能であり、ここで、Ｎｓｐ＝２Ｎｄｐ＝４であり、ｃ１＝１である。また、３ＧＰＰ  ＴＳ  ３６．２１３のセクション７．２．４から、インデクスｑ１、ｑ２、およびｑ３がコードブックインデクスｉ２に対応することが観察され得る。コードブックインデクスｉ２はサブバンド毎に報告可能なので、サブバンドＰＭＩであってもよく、上で定義したＷ２に対応する。ｐ＝０の場合、すなわち、単一のビームνｋ１、ｋ２が使用される場合、インデクスｑ１のみが
2020516140.tif 000053
の値に影響を及ぼし、したがって、第１ビームのサブバンドＰＭＩはｑ１によって特定されることが観察され得る。さらに、ｑ２およびｑ３は第１ビームνｋ１、ｋ２に対する第２ビームνｋ１＋ｍ１、ｋ２＋ｍ２の相対位相に影響を及ぼし、したがって、第２ビームに対応するサブバンドＰＭＩを特定することができる。
最後に、３ＧＰＰ  ＴＳ  ３６．２１３における相対電力ｐは、相対電力インジケータ（「ＲＰＩ」）によって特定され、その中でＩＰとして指定される。
【発明の概要】
【００７７】
既存のシステムに伴う１つの課題は、ＮＲのためのＣＳＩフィードバックをいかに取得するかであり、ここで、伝送スキームは、新しいＤＬ−ＳＣＨスケジューリングのそれぞれについて動的に選択され得る。解決策は、すべての可能な伝送スキームおよびＣＳＩフィードバックタイプのためのＣＳＩフィードバックを並行して構成することであり、その結果、ネットワークノードがすべての情報を有するようになる。このアプローチに伴う課題は、オーバーヘッド及び無線デバイスの複雑さである。
【００７８】
別の課題は、ＣＳＩを報告するときに、より良いスペクトル効率のためにＰＵＳＣＨの特徴をどのように利用するかである。ＬＴＥにおいて周期的に報告されるＣＳＩは、ＰＵＣＣＨ上での送信のために設計され、したがって、ＰＵＳＣＨ上で報告されるＣＳＩよりもスペクトル効率が低く、および／または解像度が低いＣＳＩを提供する。さらに、ＰＵＳＣＨ上で報告されるＣＳＩは、ＬＴＥ内の非常に大きな可変サイズのペイロードのために設計されておらず、ネットワークノードは、非周期的レポートを要求するときに、ＣＳＩサイズが提供されるリソース割り当てをオーバーフローするかどうか知らず、したがってこれにより、ネットワークノードは、オーバーフローがないことを保証するために、過剰なリソースを割り当てることを余儀なくされる。最後に、ＣＳＩはＰＵＳＣＨにおいて再送信することができず、これはＣＳＩフィードバックのスペクトル効率を低下させる。
【００７９】
本開示のいくつかの実施の形態は、セミパーシステントＣＳＩレポートにおいてＣＳＩを搬送するために、ＰＵＣＣＨの代わりにＰＵＳＣＨを使用することによって、上記の課題のいくつかを解決することを目的とする。以下で詳細に説明するように、これらの実施の形態のいくつかでは、制御シグナリングは、ＣＳＩがどのように送信されるべきかの少なくとも１つの特性を特定する。これらの実施の形態のいくつかでは、以下のうちの１つまたは複数が適用可能である。
【００８０】
セミパーシステントＣＳＩレポートは、ＤＣＩを使用することによって動的に活性化または不活性化される。（ＣＳＩを計算するために使用される）参照ネットワークノードから無線デバイスへの伝送スキーム、ＣＳＩフィードバックタイプ、およびＣＳＩ−ＲＳリソースなどの他の関連するＣＳＩパラメータも、ＤＣＩ内に示される。
【００８１】
より具体的には、無線デバイスは、ネットワークノードからの上位レイヤシグナリングを使用して、複数のＣＳＩレポート設定で構成され得、セミパーシステントＣＳＩレポートを活性化するＤＣＩはＣＳＩレポート設定のうちの１つを選択する。ＣＳＩレポート設定は、伝送スキーム、ＣＳＩフィードバックタイプ、および他の関連するＣＳＩパラメータを含む。
【００８２】
ＰＵＳＣＨリソースは、参照伝送スキームおよびＣＳＩフィードバックタイプに従って、ＣＳＩペイロードサイズに基づいてＤＣＩにおいて動的に割り当てられる。
【００８３】
ＰＵＳＣＨ送信のための変調、符号化レート、および／またはレイヤの数も、ＤＣＩにおいて指定され得る。
【００８４】
長いＣＳＩレポートは、複数のＰＵＳＣＨ送信に分割可能である。
【００８５】
基地局は、ＣＳＩメッセージサイズが予想よりも大きいときに通知を受けてもよい。
【００８６】
非周期的ＣＳＩは、ＣＳＩレポートのためのスペクトル効率を改善するために再送信可能である。さらに効率を高めるために、このような再送信は複数の冗長バージョンを伴うＨＡＲＱを使用することができる。
【００８７】
ある態様によると、物理アップリンク共有チャネル、ＰＵＳＣＨ、上でセミパーシステントチャネル状態情報、ＳＰ  ＣＳＩ、を送信するユーザ装置が提供される。ユーザ装置は、ＰＵＳＣＨ上での少なくともひとつのＳＰ  ＣＳＩレポート設定でユーザ装置を設定する制御シグナリングメッセージを受信し、メッセージがＳＰ  ＣＳＩレポーティング周期を特定し、少なくともひとつのＳＰ  ＣＳＩレポート設定を特定し活性化する物理レイヤ制御シグナリングを受信するよう構成された処理回路を含む。ユーザ装置はまた、複数のＳＰ  ＣＳＩレポートを送信するよう構成された送信器回路であって、レポートはＳＰ  ＣＳＩレポーティング周期で送信され、かつ、物理レイヤ制御シグナリングおよび制御シグナリングメッセージにしたがって送信される、送信器回路を含む。
【００８８】
この態様によると、ある実施の形態では、処理回路はさらに、以前に活性化されたＳＰ  ＣＳＩレポート設定を不活性化するための物理レイヤ制御シグナリングを受信するよう構成される。ある実施の形態では、制御シグナリングメッセージは無線リソース制御、ＲＲＣ、メッセージである。ある実施の形態では、少なくともひとつＳＰ  ＣＳＩレポート設定は少なくともひとつのＳＰ  ＣＳＩレポートセッティングを含む。ある実施の形態では、少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む。ある実施の形態では、少なくともひとつＳＰ  ＣＳＩレポートセッティングは少なくともひとつのＣＳＩフィードバックタイプを含む。ある実施の形態では、少なくともひとつＳＰ  ＣＳＩレポートセッティングは、ＳＰ  ＣＳＩが測定され報告されるべき少なくともひとつの周波数帯域を含む。ある実施の形態では、少なくともひとつＳＰ  ＣＳＩレポートセッティングはさらに、少なくともひとつのＳＰ  ＣＳＩレポート設定のそれぞれのスロットオフセットを含む。ある実施の形態では、少なくともひとつＳＰ  ＣＳＩレポート設定はさらに、特別セル無線ネットワークテンポラリ識別子、Ｃ−ＲＮＴＩを含む。ある実施の形態では、少なくともひとつのＳＰ  ＣＳＩリソースセッテイングは、チャネル測定のリソースおよび干渉測定のリソースのうちの少なくともひとつを含む。
【００８９】
ある実施の形態では、物理レイヤ制御シグナリングは、物理ダウンリンク制御チャネル、ＰＤＣＣＨ、上のダウンリンク制御情報、ＤＣＩ、である。ある実施の形態では、物理レイヤ制御シグナリングは、複数のＳＰ  ＣＳＩレポートを運ぶＰＵＳＣＨのリソース割り当ておよび変調についての情報を含む。ある実施の形態では、物理制御シグナリングは符号化レートを含む。ある実施の形態では、特定することは、ダウンリンク制御情報、ＤＣＩ、における少なくともひとつのＳＰ  ＣＳＩレポート設定についての情報を含む。ある実施の形態では、活性化することは、ダウンリンク制御情報、ＤＣＩ、におけるビットフィールドの組み合わせによって暗に示される。ある実施の形態では、特別セル無線ネットワークテンポラリ識別子、Ｃ−ＲＮＴＩ、を用いることによって、ダウンリンク制御情報、ＤＣＩ、に対応する巡回冗長検査、ＣＲＣ、ビットをスクランブルし、オプションで、特別ＣＲＮＴＩは、少なくともひとつのＳＰ  ＣＳＩレポート設定を活性化するか不活性化することのうちのひとつために用いられるＤＣＩをスクランブルするためだけに用いられる。ある実施の形態では、少なくともひとつのＳＰ  ＣＳＩレポート設定の活性化または不活性化のうちの少なくともひとつは、物理レイヤ制御シグナリングにおけるダウンリンク制御情報、ＤＣＩ、に対応する巡回冗長検査、ＣＲＣ、ビットをスクランブルする際に用いられる特別セル無線ネットワークテンポラリ識別子、Ｃ−ＲＮＴＩ、によって部分的に示される。ある実施の形態では、異なるユーザ装置からの複数のＳＰ  ＣＳＩレポートはＰＵＳＣＨにおいて多重化可能である。ある実施の形態では、多重化は空間多重化である。ある実施の形態では、複数のＳＰ  ＣＳＩレポートの異なるコンポーネントは独立して符号化される。ある実施の形態では、処理回路はさらに、ＳＰ  ＣＳＩを測定することおよび送信することの少なくともひとつの特徴を特定するための、物理レイヤ制御シグナリングを受信するよう構成される。ある実施の形態では、少なくともひとつＳＰ  ＣＳＩレポート設定は少なくともひとつのＳＰ  ＣＳＩリソースセッティングへの関連性を含む。
【００９０】
他の態様によると、物理アップリンク共有チャネル、ＰＵＳＣＨ、上でセミパーシステントチャネル状態情報、ＳＰ  ＣＳＩ、を送信するユーザ装置における方法が提供される。方法は、ＰＵＳＣＨ上での少なくともひとつのＳＰ  ＣＳＩレポート設定でユーザ装置を設定する制御シグナリングメッセージを受信することであって、メッセージがＳＰ  ＣＳＩレポーティング周期を特定する、受信することを含む。。方法はまた、少なくともひとつのＳＰ  ＣＳＩレポート設定を特定し活性化する物理レイヤ制御シグナリングを受信することを含む。方法はまた、複数のＳＰ  ＣＳＩレポートを送信することを含み、レポートは周期で送信され、かつ、物理レイヤ制御シグナリングおよび制御シグナリングメッセージにしたがって送信される。
【００９１】
ある実施の形態では、方法はさらに、以前に活性化されたＳＰ  ＣＳＩレポート設定を不活性化するための物理レイヤ制御シグナリングを受信することを含む。ある実施の形態では、制御シグナリングメッセージは無線リソース制御、ＲＲＣ、メッセージである。ある実施の形態では、少なくともひとつＳＰ  ＣＳＩレポート設定は少なくともひとつのＳＰ  ＣＳＩレポートセッティングを含む。ある実施の形態では、少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む。ある実施の形態では、少なくともひとつＳＰ  ＣＳＩレポートセッティングは少なくともひとつのＣＳＩフィードバックタイプを含む。ある実施の形態では、少なくともひとつＳＰ  ＣＳＩレポートセッティングは、ＳＰ  ＣＳＩが測定され報告されるべき少なくともひとつの周波数帯域を含む。ある実施の形態では、少なくともひとつＳＰ  ＣＳＩレポートセッティングはさらに、少なくともひとつのＳＰ  ＣＳＩレポート設定のそれぞれのスロットオフセットを含む。ある実施の形態では、少なくともひとつＳＰ  ＣＳＩレポート設定はさらに、特別セル無線ネットワークテンポラリ識別子、Ｃ−ＲＮＴＩを含む。ある実施の形態では、少なくともひとつのＳＰ  ＣＳＩリソースセッテイングは、チャネル測定のリソースおよび干渉測定のリソースのうちの少なくともひとつを含む。ある実施の形態では、物理レイヤ制御シグナリングは、物理ダウンリンク制御チャネル、ＰＤＣＣＨ、上のダウンリンク制御情報、ＤＣＩ、である。
【００９２】
ある実施の形態では、物理レイヤ制御シグナリングは、複数のＳＰ  ＣＳＩレポートを運ぶＰＵＳＣＨのリソース割り当ておよび変調についての情報を含む。ある実施の形態では、物理制御シグナリングは符号化レートを含む。ある実施の形態では、特定することは、ダウンリンク制御情報、ＤＣＩ、における少なくともひとつのＳＰ  ＣＳＩレポート設定についての情報を含む。ある実施の形態では、活性化することまたは不活性化することのうちの少なくともひとつは、ダウンリンク制御情報、ＤＣＩ、に対応するビットの組み合わせによって暗に示される。ある実施の形態では、特別セル無線ネットワークテンポラリ識別子、Ｃ−ＲＮＴＩ、を用いることによって、ダウンリンク制御情報、ＤＣＩ、に対応する巡回冗長検査、ＣＲＣ、ビットをスクランブルし、オプションで、特別Ｃ−ＲＮＴＩは、少なくともひとつのＳＰ  ＣＳＩレポート設定を活性化するか不活性化するために用いられるＤＣＩをスクランブルするためだけに用いられる。ある実施の形態では、少なくともひとつのＳＰ  ＣＳＩレポート設定の活性化または不活性化のうちの少なくともひとつは、物理レイヤ制御シグナリングにおけるダウンリンク制御情報、ＤＣＩ、に対応する巡回冗長検査、ＣＲＣ、ビットをスクランブルする際に用いられる特別セル無線ネットワークテンポラリ識別子、Ｃ−ＲＮＴＩ、によって部分的に示される。ある実施の形態では、異なるユーザ装置からの複数のＳＰ  ＣＳＩレポートはＰＵＳＣＨにおいて多重化可能である。ある実施の形態では、多重化は空間多重化である。ある実施の形態では、複数のＳＰ  ＣＳＩレポートの異なるコンポーネントは独立して符号化される。ある実施の形態では、物理レイヤ制御シグナリングは、ＳＰ  ＣＳＩを測定することおよび送信することの少なくともひとつの特徴を特定する。
【００９３】
別の態様によると、物理アップリンク共有チャネル、ＰＵＳＣＨ、上でセミパーシステントチャネル状態情報、ＳＰ  ＣＳＩ、を適応的に設定する基地局が提供される。基地局は、ＰＵＳＣＨ上での少なくともひとつのＳＰ  ＣＳＩレポート設定でユーザ装置を設定する制御シグナリングメッセージを送信するよう構成された処理回路を含み、メッセージがＳＰ  ＣＳＩレポーティング周期を特定する。ある実施の形態では、少なくともひとつのＳＰ  ＣＳＩレポート設定を特定し活性化する物理レイヤ制御シグナリングを送信し、複数のＳＰ  ＣＳＩレポートを受信するよう構成された受信器回路であって、レポートは周期で送信され、かつ、物理レイヤ制御シグナリングおよび制御シグナリングメッセージにしたがって送信される。
【００９４】
この態様によると、ある実施の形態では、処理回路はさらに、以前に活性化されたＳＰ  ＣＳＩレポート設定を不活性化するための物理レイヤ制御シグナリングを送信するよう構成される。ある実施の形態では、制御シグナリングメッセージは無線リソース制御、ＲＲＣ、メッセージである。ある実施の形態では、少なくともひとつＳＰ  ＣＳＩレポート設定は少なくともひとつのＳＰ  ＣＳＩレポートセッティングを含む。ある実施の形態では、少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む。ある実施の形態では、物理レイヤ制御シグナリングは、ＳＰ  ＣＳＩを測定することおよび送信することの少なくともひとつの特徴を特定する。
【００９５】
さらに別の態様によると、物理アップリンク共有チャネル、ＰＵＳＣＨ、上でセミパーシステントチャネル状態情報、ＳＰ  ＣＳＩ、を適応的に設定する基地局における方法が提供される。方法は、ＰＵＳＣＨ上での少なくともひとつのＳＰ  ＣＳＩレポート設定でユーザ装置を設定するための制御シグナリングメッセージを送信することであって、メッセージがＳＰ  ＣＳＩレポーティング周期を特定する、送信することを含む。方法はまた、少なくともひとつのＳＰ  ＣＳＩレポート設定を特定し活性化する物理レイヤ制御シグナリングを送信することを含む。方法はまた、複数のＳＰ  ＣＳＩレポートを受信することを含み、レポートは周期で送信され、かつ、物理レイヤ制御シグナリングおよび制御シグナリングメッセージにしたがって送信される。
【００９６】
この態様によると、ある実施の形態では、方法はさらに、以前に活性化されたＳＰ  ＣＳＩレポート設定を不活性化するための物理レイヤ制御シグナリングを送信することを含む。ある実施の形態では、制御シグナリングメッセージは無線リソース制御、ＲＲＣ、メッセージである。ある実施の形態では、少なくともひとつＳＰ  ＣＳＩレポート設定は少なくともひとつのＳＰ  ＣＳＩレポートセッティングを含む。ある実施の形態では、少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む。ある実施の形態では、物理レイヤ制御シグナリングは、ＳＰ  ＣＳＩを測定することおよび送信することの少なくともひとつの特徴を特定する。
【００９７】
さらに別の態様によると、物理アップリンク共有チャネル、ＰＵＳＣＨ、上でセミパーシステントチャネル状態情報、ＳＰ  ＣＳＩ、を送信するユーザ装置が提供される。ユーザ装置は、ＰＵＳＣＨ上での少なくともひとつのＳＰ  ＣＳＩレポート設定でユーザ装置を設定する制御シグナリングメッセージを受信し、メッセージがＳＰ  ＣＳＩレポーティング周期を特定し、少なくともひとつのＳＰ  ＣＳＩレポート設定を特定し活性化する物理レイヤ制御シグナリングを受信するよう構成された受信器モジュールを含む。ユーザ装置は、複数のＳＰ  ＣＳＩレポートを送信するよう構成された送信器モジュールであって、レポートは周期で送信され、かつ、物理レイヤ制御シグナリングおよび制御シグナリングメッセージにしたがって送信される、送信器モジュールを含む。
【００９８】
この態様によると、ある実施の形態では、物理レイヤ制御シグナリングは、ＳＰ  ＣＳＩを測定することおよび送信することの少なくともひとつの特徴を特定する。ある実施の形態では、少なくともひとつＳＰ  ＣＳＩレポート設定は少なくともひとつのＳＰ  ＣＳＩリソースセッティングへの関連性を含む。
【００９９】
別の態様によると、物理アップリンク共有チャネル、ＰＵＳＣＨ、上でセミパーシステントチャネル状態情報、ＳＰ  ＣＳＩ、を適応的に設定する基地局が提供される。基地局は、ＰＵＳＣＨ上での少なくともひとつのＳＰ  ＣＳＩレポート設定でユーザ装置を設定する制御シグナリングメッセージを送信し、ここでメッセージがＳＰ  ＣＳＩレポーティング周期を特定し、少なくともひとつのＳＰ  ＣＳＩレポート設定を特定し活性化する物理レイヤ制御シグナリングを送信する、よう構成された送信器モジュールを含む。受信器モジュールは、複数のＳＰ  ＣＳＩレポートを受信するよう構成され、レポートは周期で送信され、かつ、物理レイヤ制御シグナリングおよび制御シグナリングメッセージにしたがって送信される。
【０１００】
この態様によると、ある実施の形態では、物理レイヤ制御シグナリングは、ＳＰ  ＣＳＩを測定することおよび送信することの少なくともひとつの特徴を特定する。ある実施の形態では、少なくともひとつＳＰ  ＣＳＩレポート設定は少なくともひとつのＳＰ  ＣＳＩリソースセッティングへの関連性を含む。
【図面の簡単な説明】
【０１０１】
添付の図面と併せて考慮して以下の詳細な説明を参照すると、本実施の形態のより完全な理解およびその付随する利点およびフィーチャをより容易に理解することができるであろう。
【図１】ＬＴＥ物理リソースの図である。
【図２】１５ｋＨｚのサブキャリア間隔を有するＬＴＥ時間ドメイン構造の図である。
【図３】ＰＵＣＣＨ上のアップリンクＬ１／Ｌ２制御シグナリング送信の図である。
【図４】セミパーシステントＣＳＩ−ＲＳ伝送の図である。
【図５】交差偏波アンテナ素子の２次元アンテナアレイの図である。
【図６】オーバーサンプリングされたＤＦＴビームの一例の図である。
【図７】本開示の原理による、ＣＳＩフィードバックのための例示的なシステムのブロック図である。
【図８】本開示の原理による、ネットワークノードの他の実施の形態のブロック図である。
【図９】本開示の原理による、無線デバイスの他の実施の形態のブロック図である。
【図１０】本開示の原理による、割り当てコードによって実行される割り当てプロセスのフロー図である。
【図１１】本開示の原理による、割り当てコードによって実行される代替的な割り当て処理のフロー図である。
【図１２】本開示の原理による、割り当てコードによって実行されるさらに別の割り当て処理のフロー図である。
【図１３】本開示の原理による、ＣＳＩコードによって実行されるコード処理の例示的なフロー図である。
【図１４】本開示の原理による、ＣＳＩコードによって実行される代替的なコード処理のフロー図である。
【図１５】本開示の原理による、ＣＳＩコードによって実行されるさらに別の代替的なコード処理のフロー図である。
【図１６】本開示の原理による、無線デバイスにおける例示的な処理のフロー図である。
【図１７】本開示の原理による、ネットワークノードにおける例示的な処理のフロー図である。
【図１８】本開示の原理による、ＰＵＳＣＨを介したセミパーシステントＣＳＩレポートを示す図である。
【図１９】本開示の原理による、セミパーシステントＣＳＩレポートを使用する、複数のインスタンスにわたるＣＳＩレポートの図である。
【図２０】本開示の原理による、以前のＣＳＩレポートトリガの後の遅延にしたがう、ＣＳＩの再送信の図である。
【図２１】本開示の原理による、セミパーシステントＣＳＩ−ＲＳを伴うジョイント活性化／不活性化トリガを伴うセミパーシステントＣＳＩレポートを使用する、複数のインスタンスにわたるＣＳＩレポートの図である。
【発明を実施するための形態】
【０１０２】
本開示によるいくつかの実施の形態は、以下の利点を全く提供しなくてもよく、いくつかまたは全てを提供してもよい：
・異なる伝送スキームおよびＣＳＩフィードバックタイプのためのＣＳＩフィードバックを得ることができ、チャネルおよび／または干渉の変更に適応するための伝送スキームの動的切り替えが可能となる；
・ＣＳＩペイロードサイズに適応するリソースの動的割り当て、したがって、より効率的なリソース利用を達成することができる；
・ＣＳＩレポートは、ＰＵＣＣＨに適合するようにサブサンプリングされる必要はなく、ＣＳＩが周期的に送信されるときにＰＵＣＣＨリソースが構成される必要もない；かつ
・ＣＳＩの完全性は常に保護され、再送信によるＣＳＩレポートのためのリンク適応が可能である。
【０１０３】
本開示における教示は、２次元アンテナアレイと共に使用されてもよく、提示された実施の形態のいくつかはそのようなアンテナを使用する。
【０１０４】
例示的な実施の形態を詳細に説明する前に、方法、無線デバイスおよびネットワークノードに関する装置部品および処理ステップの組み合わせに、実施の形態の主なものが存することを注意しておく。したがって、本明細書の記載に触れた当業者には自明な詳細で開示を不明瞭にしないよう、実施の形態の理解に関係する具体的な詳細のみを示しつつ、適宜、図面における通常のシンボルで部材を表した。
【０１０５】
本明細書で用いられる場合、「第１」および「第２」や「上」および「底」などの相対的な用語は、エンティティや要素の間のいかなる物理的関係、物理的順序、論理的関係、論理的順序を要求したり暗示したりすることなく、あるエンティティまたは要素を他のエンティティまたは要素から区別するためだけに用いられてもよい。本明細書で使用される用語は特定の実施の形態を説明することのみを目的としており、本明細書で説明されるコンセプトを限定することを意図していない。本明細書で使用されるように、単数形「ａ」、「ａｎ」及び「ｔｈｅ」は、文脈がそうでないことを明確に示さない限り、複数形も含むことが意図される。さらに、用語「備える」、「備えている」、「含む」、および／または「含んでいる」は、本明細書で使用される場合、述べられた特徴、整数、ステップ、動作、要素、および／または構成要素などの存在を指定するが、１つまたは複数の他の特徴、整数、ステップ、動作、要素、構成要素、および／またはそれらのグループの存在または追加を排除しないことが理解されるのであろう。
【０１０６】
そうでないと定義されない限り、本明細書で用いられる全ての用語（技術用語および専門用語を含む）は、本開示が属する技術分野の当業者によって普通に理解されるような意味と同じ意味を有する。本明細書で用いられる用語は本明細書および関連技術のコンテキストにおける意味と整合する意味を有するものとして解釈されるべきであり、本明細書で明示的にそうであると定義されない限り、理想的なまたは過度に形式的な意味で解釈されるはずもないこともまた理解されるべきである。
【０１０７】
本明細書で説明される実施の形態では、「と通信する」という結合用語は、例えば、物理的接触、誘導、電磁放射、無線シグナリング、赤外線シグナリング、または光シグナリングによって達成され得る、電気通信またはデータ通信を示すために使用され得る。当業者は、複数の構成要素に互換性があり、電気通信およびデータ通信を達成するための修正および変形が可能であることを理解するであろう。
【０１０８】
いくつかの実施の形態では、シグナリングは一般に、１つまたは複数のシンボルおよび／または信号および／またはメッセージを備えることができることを理解されたい。信号は、１つまたは複数のビットを含むか、または表すことができる。指示（インジケーション）はシグナリングを表すことができ、および／または信号として、または複数の信号として実装することができる。１つまたは複数の信号は、メッセージに含まれ、および／またはメッセージによって表され得る。シグナリング、特に制御シグナリングは、複数の信号および／またはメッセージを備えることができ、これらの信号および／またはメッセージは異なるキャリア上で送信され、および／または、例えば、１つまたは複数のそのようなプロセスおよび／または対応する情報を表し、および／またはそれに関係する、異なるシグナリングプロセスに関連付けることができる。インジケーションはシグナリングを含むことができ、および／または複数の信号および／またはメッセージを含むことができ、および／またはその中に包含可能であり、それらは異なるキャリア上で送信可能であり、および／または例えば１つまたは複数のそのようなプロセスを表し、および／またはそれに関係する、異なるアクノレッジメントシグナリングプロセスに関連付けられうる。チャネルに関連するシグナリングは、それがそのチャネルのシグナリングおよび／または情報を表すように、および／またはシグナリングが送信器および／または受信器によってそのチャネルに属すると解釈されるように、送信され得る。そのようなシグナリングは一般に、チャネル用の送信パラメータおよび／またはフォーマットに準拠することができる。
【０１０９】
インジケーションは一般に、それが表すおよび／または示す情報を明示的および／または暗示的に示すことができる。暗黙のインジケーションは例えば、送信のために使用される位置および／またはリソースに基づくことができる。明示的なインジケーションは例えば、１つまたは複数のパラメータ、および／または１つまたは複数のインデックス、および／または情報を表す１つまたは複数のビットパターンを用いたパラメータ化に基づくことができる。特に、本明細書で説明されるＲＲＣシグナリングは、本明細書で説明される測定のうちの１つまたは複数のためにどのサブフレームまたは信号を使用すべきか、ならびにどの条件および／または動作モードの下で測定すべきかを示すことができると考えることができる。
【０１１０】
無線ノード、特に端末またはユーザ機器または無線デバイス、を構成することは、設定に従って動作するように適合され、またはそのように動作する原因となり、または設定されかつ／または命令される無線ノードを指すことができる。構成することは別の装置、たとえば、ネットワークノード１２（たとえば、基地局またはｅＮｏｄｅＢのようなネットワークの無線ノード）またはネットワークによって行われ得、その場合、設定されるべき無線ノードに設定データを送信することを含んでもよい。そのような設定データは設定されるべき構成を表し、および／または構成に関連する１つまたは複数の命令を含み、そのような構成は例えば、割り当てられたリソース、特に周波数リソース上での送受信用の構成、または例えば、あるサブフレームまたは無線リソース上である測定を実行するための構成、である。無線ノードは例えば、ネットワークまたはネットワークノードから受信された設定データに基づいて、それ自体を構成することができる。ネットワークノードは、構成することのために、その回路を使用することができ、および／または使用するように適合されることができる。割り当て情報は、設定データの一形態と見なすことができる。設定データは設定情報、および／または１つまたは複数の対応するインジケーションおよび／またはメッセージを備えてもよく、および／またはそれらによって表されてもよい。
【０１１１】
一般に、構成することは設定を表す設定データを決定することと、それを１つまたは複数の他のノード（並行しておよび／または順次に）に提供すること（たとえば、送信すること）とを含むことができ、１つまたは複数の他のノードはそれをさらに無線ノード（または無線デバイスに到達するまで繰り返すことができる別のノード）に送信することができる。代替的に、または追加的に、例えば、ネットワークノードまたは他のデバイスによって、無線ノードを構成することは、設定データおよび／または設定データに関連するデータを、例えば、ネットワークノードのような別のノード（ネットワークのより上位のノードであってもよい）から受信すること、および／または受信した設定データを無線ノードに送信することを含んでもよい。したがって、構成を決定し、設定データを無線ノードに送信することは、異なるネットワークノードまたはエンティティによって実行されてもよく、異なるネットワークノードまたはエンティティは適切なインタフェース、たとえば、ＬＴＥの場合にはＸ２インタフェース、またはＮＲの場合の対応するインタフェースを介して通信することが可能であってもよい。端末（例えば、ＷＤ  １４）を構成することは、端末用のダウンリンクおよび／またはアップリンク送信、例えば、ダウンリンクデータおよび／またはダウンリンク制御シグナリングおよび／またはＤＣＩおよび／またはアップリンク制御またはデータまたは通信シグナリング、特にアクノレッジメントシグナリングをスケジューリングすること、および／またはそのためのリソースおよび／またはリソースプールを構成すること、を含んでもよい。特に、端末（例えば、ＷＤ）を構成することは、本開示の実施の形態に従って、あるサブフレームまたは無線リソース上である測定を実行するようにＷＤを構成することと、そのような測定を報告することと、を含んでもよい。
【０１１２】
ｅＮｏｄｅＢおよび無線デバイスのような用語は非限定的であると考えられるべきであり、特に、２つの間のある階層的関係を暗示するものではなく、一般に、「ｅＮｏｄｅＢ」は装置１と考えられ、「無線デバイス」は装置２と考えられ、これらの２つの装置は何らかの無線チャネルを介して互いに通信することを注意しておく。また、本開示はダウンリンクにおける無線伝送にフォーカスするが、実施の形態はアップリンクにおいて同等に適用可能である。
【０１１３】
本明細書で用いられる「無線デバイス」という用語は、セルラまたはモバイル通信システムにおいてネットワークノードおよび／または別の無線デバイスと通信する任意のタイプの無線デバイスを指すことができる。無線デバイスの例は、ユーザ装置（ＵＥ）、ターゲットデバイス、デバイスツーデバイス（Ｄ２Ｄ）無線デバイス、マシンタイプ無線デバイスまたはマシンツーマシン通信（Ｍ２Ｍ）が可能な無線デバイス、ＵＥに備えられたセンサ、ＰＤＡ、ｉＰＡＤ、タブレット、モバイル端末、スマートフォン、ラップトップ組み込み装置（ＬＥＥ）、ラップトップ取り付け装置（ＬＭＥ）、ＵＳＢドングル、コンピュータプレミス装置（ＣＰＥ）などであってもよい。
【０１１４】
本明細書で使用される「ネットワークノード」という用語は、無線ネットワークノードまたは別のネットワークノード、例えば、コアネットワークノード、ＭＳＣ、ＭＭＥ、Ｏ  ＆  Ｍ、ＯＳＳ、ＳＯＮ、測位ノード（例えば、Ｅ−ＳＭＬＣ）、ＭＤＴノードなどを指すことができる。
【０１１５】
本明細書で使用される「ネットワークノード」または「無線ネットワークノード」という用語は、無線ネットワークに含まれる任意の種類のネットワークノードであってもよく、そのような無線ネットワークはさらに、基地局（ＢＳ）、無線基地局、トランシーバ基地局（ＢＴＳ）、基地局コントローラ（ＢＳＣ）、無線ネットワークコントローラ（ＲＮＣ）、ｇノードＢ（ｇＮＢ）、進化型ノードＢ（ｅＮＢまたはｅノードＢ）、ノードＢ、ＭＳＲ  ＢＳなどのマルチスタンダード無線（ＭＳＲ）無線ノード、マルチセル／マルチキャスト協調エンティティ（ＭＣＥ）、リレーノード、ドナーノード制御リレー、無線アクセスポイント（ＡＰ）、伝送ポイント、伝送ノード、遠隔無線ユニット（ＲＲＵ）遠隔無線ヘッド（ＲＲＨ）、コアネットワークノード（例えば、モバイル管理エンティティ（ＭＭＥ）、自己組織化ネットワーク（ＳＯＮ）ノード、協調ノード  、測位ノード、ＭＤＴノードなど）、外部ノード（例えば、第三者ノード、現在のネットワークの外部のノード）、分散アンテナシステム（ＤＡＳ）内のノード、などを含んでもよい。。ネットワークノードはまた、試験装置を備えてもよい。本明細書で使用される「無線ノード」という用語は、ＵＥなどの無線デバイスまたは無線ネットワークノードを示すためにも使用され得る。
【０１１６】
さらに、無線デバイスまたはネットワークノードによって実行されるものとして本明細書で説明される機能は、複数の無線デバイスおよび／またはネットワークノードにわたって分散され得ることに留意されたい。言い換えれば、本明細書で説明されるネットワークノードおよび無線デバイスの機能は単一の物理デバイスによる実行に限定されず、実際、いくつかの物理デバイスの間で分散され得ることが企図される。
【０１１７】
図面では、同様の参照指示子は同様の要素を指し示す。図面を参照すると、本開示の原理にしたがう、ＣＳＩフィードバックの例示的なシステムのブロック図が図７に示されている。システム１０は、ＬＴＥおよび／またはＮＲベースのプロトコルなどの１つまたは複数の通信プロトコルを使用して、１つまたは複数の通信ネットワーク、経路、および／またはリンクを介して互いに通信する、１つまたは複数のネットワークノード１２および１つまたは複数の無線デバイス１４を含む。
【０１１８】
ネットワークノード１２は、無線デバイス１４、他のネットワークノード１２および／またはシステム１０内の他のエンティティと通信するための送信器回路１６および受信器回路１８を含む。１つまたは複数の実施の形態では、送信器回路１６および受信器回路１８は、１つまたは複数の通信インターフェースを含むか、または１つまたは複数の通信インターフェースによって置き換えられる。
【０１１９】
ネットワークノード１２はノード処理回路２０を含む。処理回路２０は、メモリ２４およびプロセッサ２２を含む。従来のプロセッサおよびメモリに加えて、処理回路２０は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）、を備えてもよい。プロセッサ２２は、任意の種類の揮発性および／または不揮発性メモリ、例えば、キャッシュおよび／またはバッファメモリおよび／またはＲＡＭ（ランダムアクセスメモリ）および／またはＲＯＭ（読取専用メモリ）および／または光学メモリおよび／またはＥＰＲＯＭ（消去可能プログラマブル読取専用メモリ）を含んでもよいメモリ２４にアクセスする（例えば、そこに書き込むおよび／またはそこから読み出す）ように構成されてもよい。そのようなメモリ２４は、プロセッサ２２によって実行可能なコードおよび／または他のデータ、例えば、通信に関するデータ、例えば、ノードの構成および／または宛先データなど、を保持するように構成されてもよい。
【０１２０】
処理回路２０は、本明細書で説明される方法および／またはプロセスのいずれかを制御するように、および／または、そのような方法、シグナリングおよび／またはプロセスを、例えば、ネットワークノード１２によって実行させるように構成されてもよい。プロセッサ２２は、本明細書で説明されるネットワークノード１２の機能を実行するための１つまたは複数のプロセッサに対応する。ネットワークノード１２は、データ、プログラムソフトウエアコード、および／または本明細書で説明される他の情報を保持するように構成されるメモリ２４を含む。１つまたは複数の実施の形態では、メモリ２４は、割り当てコード２６を保持するように構成される。例えば、割り当てコード２６は、プロセッサ２２によって実行されると、プロセッサ２２に、ネットワークノード１２に関して本明細書で説明されるプロセスを実行させるインストラクションを含む。
【０１２１】
本明細書で使用される「ネットワークノード１２」という用語は、無線ネットワークに含まれる任意の種類のネットワークノードであってもよく、そのような無線ネットワークはさらに、基地局（ＢＳ）、無線基地局、トランシーバ基地局（ＢＴＳ）、基地局コントローラ（ＢＳＣ）、無線ネットワークコントローラ（ＲＮＣ）、ｇノードＢ、進化型ノードＢ（ｅＮＢまたはｅノードＢ）、ノードＢ、ｇＮＢ、ＭＳＲ  ＢＳなどのマルチスタンダード無線（ＭＳＲ）無線ノード、リレーノード、ドナーノード制御リレー、無線アクセスポイント（ＡＰ）、伝送ポイント、伝送ノード、遠隔無線ユニット（ＲＲＵ）遠隔無線ヘッド（ＲＲＨ）、分散アンテナシステム（ＤＡＳ）内のノード、などを含んでもよい。
【０１２２】
本明細書で説明されるネットワークノード１２および無線デバイス１４の機能は、単一の物理デバイスによる性能に限定されず、実際に、ローカルに、またはバックホールネットワークおよび／またはインターネットなどのネットワーククラウドにわたって、いくつかの物理デバイス間で分散され得ることが想定される。
【０１２３】
無線デバイス１４は、ネットワークノード１２、他の無線デバイス１４、および／またはシステム１０内の他のエンティティと通信するための送信器回路２８および受信器回路３０を含む。１つまたは複数の実施の形態では、送信器回路２８および受信器回路３０は、１つまたは複数の通信インターフェースを含むか、または１つまたは複数の通信インターフェースによって置き換えられる。
【０１２４】
無線デバイス１４は処理回路３２を含む。処理回路３２は、メモリ３６およびプロセッサ３４を含む。従来のプロセッサおよびメモリに加えて、処理回路３２は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）、を備えてもよい。プロセッサ３４は、任意の種類の揮発性および／または不揮発性メモリ、例えば、キャッシュおよび／またはバッファメモリおよび／またはＲＡＭ（ランダムアクセスメモリ）および／またはＲＯＭ（読取専用メモリ）および／または光学メモリおよび／またはＥＰＲＯＭ（消去可能プログラマブル読取専用メモリ）を含んでもよいメモリ３６にアクセスする（例えば、そこに書き込むおよび／またはそこから読み出す）ように構成されてもよい。そのようなメモリ３６は、プロセッサ３４によって実行可能なコードおよび／または他のデータ、例えば、通信に関するデータ、例えば、ノードの構成および／または宛先データなど、を保持するように構成されてもよい。
【０１２５】
処理回路３２は、本明細書で説明される方法および／またはプロセスのいずれかを制御するように、および／または、そのような方法、シグナリングおよび／またはプロセスを、例えば、無線デバイス１４によって実行させるように構成されてもよい。プロセッサ３４は、本明細書で説明される無線デバイス１４の機能を実行するための１つまたは複数のプロセッサ３４に対応する。無線デバイス１４は、データ、プログラムソフトウエアコード、および／または本明細書で説明される他の情報を保持するように構成されるメモリ３６を含む。１つまたは複数の実施の形態では、メモリ３６は、ＣＳＩコード３８を保持するように構成される。例えば、ＣＳＩコード３８は、プロセッサ３４によって実行されると、プロセッサ３４に、無線デバイス１４に関して本明細書で説明されるプロセスを実行させるインストラクションを含む。
【０１２６】
無線デバイス１４は、無線通信デバイス、無線デバイスエンドポイント、モバイルエンドポイント、デバイスエンドポイント、センサデバイス、ターゲットデバイス、デバイス対デバイス無線デバイス、ユーザ装置（ＵＥ）、マシンタイプ無線デバイスまたはマシン対マシン通信可能な無線デバイス、無線デバイスに備えられたセンサ、タブレット、モバイル端末、携帯電話、ラップトップ、コンピュータ、機器、車両、スマートフォン、ラップトップ組み込み装置（ＬＥＥ）、ラップトップ設置装置（ＬＭＥ）、ＵＳＢドングル、カスタマプレミス装置（ＣＰＥ）、周知の無線信号やラジオ信号を伝達可能な他のデバイスであってもよい。
【０１２７】
図８は、本開示の原理にしたがう、他のネットワークノード１２のブロック図である。ネットワークノード１２は、割り当てコード２６、送信器回路１６および受信器回路１８に関して本明細書で説明される機能を実行するための割り当てモジュール４０、受信器モジュール４２および送信器モジュール４４を含む。
【０１２８】
図９は、本開示の原理にしたがう、無線デバイス１４の他の実施の形態のブロック図である。無線デバイス１４は、ＣＳＩコード３８、送信器回路２８および受信器回路３０に関して本明細書で説明される機能を実行するためのＣＳＩモジュール４６、受信器モジュール４８および送信器モジュール５０を含む。
【０１２９】
図１０は、本開示の原理による、割り当てコードによって実行される例示的な割り当てプロセスのフロー図である。処理回路２０は、本明細書で説明されるように、無線デバイス１４への制御シグナリングメッセージの送信を引き起こす（ブロックＳ１００）。本明細書で説明されるように、制御シグナリングメッセージは、物理チャネル上でＣＳＩを送信するよう無線デバイス１４を設定し、物理チャネルがより上位のレイヤのデータを運ぶ能力を有しており、メッセージが周期を特定する。処理回路２０は、ＣＳＩがどのように送信されるべきかについての少なくともひとつの特性を特定する物理レイヤ制御シグナリングの送信を引き起こす（ブロックＳ１０２）。本明細書で説明されるように、１つまたは複数の実施の形態では、少なくとも１つの特性は、変調状態、空間レイヤの数、および少なくともＣＳＩレポートを含む物理チャネルリソースの数のうちの少なくとも１つである。他の特性を実施することができ、実施の形態が本明細書に記載されたものだけに限定されないことが想定される。本明細書で説明されるように、処理回路２０は、複数のＣＳＩレポートを受信し、レポートは周期で受信され、かつ、物理レイヤ制御シグナリングにしたがって受信される（ブロックＳ１０４）。例えば、処理回路と通信する受信器回路は、複数のＣＳＩレポートを受信し、レポートは周期で受信され、かつ、物理レイヤ制御シグナリングにしたがって受信される。
【０１３０】
図１１は、本開示の原理による、割り当てコードによって実行される代替的な割り当てプロセスのフロー図である。本明細書で説明されるように、処理回路２０は、送信器回路１６を介した、少なくとも１つのＣＳＩメッセージ集合が搬送される物理レイヤリソースの割り当ての送信を引き起こす（ブロックＳ１０６）。本明細書で説明されるように、処理回路２０は、受信器回路１８を介して、物理レイヤリソースの割り当てに従ってＣＳＩサイズインジケータを受信する（ブロックＳ１０８）。本明細書で説明されるように、処理回路２０は、受信器回路１８を介して、ＣＳＩメッセージ集合に対応するリソースを物理チャネル内で受信し、リソースがＣＳＩメッセージの一部および未定義コンテンツのうちのひとつを含む（ブロックＳ１１０）。
【０１３１】
図１２は、本開示の原理による、割り当てコードによって実行されるさらに別の代替的な割り当て処理のフロー図である。本明細書で説明されるように、処理回路２０は、受信器回路１８を介して、第１時刻における第１ＣＳＩレポートを受信する（ブロックＳ１１２）。本明細書で説明されるように、処理回路２０は、受信器回路１８を介して、第２時刻における第２ＣＳＩレポートを受信する（ブロックＳ１１４）。１つまたは複数の実施の形態では、第２時刻は第１時刻よりＴ時間単位だけ後である。
【０１３２】
処理回路２０は、Ｔがしきい値より大きいか否かを判定する（ブロックＳ１１６）。本明細書で説明されるように、Ｔがしきい値より大きい場合、処理回路２０は第２ＣＳＩレポート内のＣＳＩが更新されたと判定する（ブロックＳ１１８）。本明細書で説明されるように、Ｔがしきい値よりも小さい場合、処理回路２０は、第１ＣＳＩレポートおよび第２ＣＳＩにおいて同じＣＳＩ値がレポートされたと判定する（ブロックＳ１２０）。
【０１３３】
図１３は、本開示の原理による、ＣＳＩコード３８によって実行されるコード処理の例示的なフロー図である。本明細書で説明されるように、処理回路３２は、受信器回路３０を介して、制御シグナリングメッセージを受信する（ブロックＳ１２２）。ひとつ以上の実施の形態では、制御シグナリングメッセージは、物理チャネル上でＣＳＩを送信するよう無線デバイス１４を設定し、物理チャネルはより上位のレイヤのデータを運ぶ能力を有しており、メッセージが周期を特定する。処理回路３２は、受信器回路３０を介して、ＣＳＩがどのように送信されるべきかについての少なくとも１つの特性を特定する物理レイヤ制御シグナリングを受信する（ブロックＳ１２４）。本明細書で説明されるように、１つまたは複数の実施の形態では、少なくとも１つの特性は、変調状態、空間レイヤの数、および少なくともＣＳＩレポートを含む物理チャネルリソースの数のうちの少なくとも１つである。他の特性を実施することができ、実施の形態が本明細書に記載されたものだけに限定されないことが想定される。本明細書で説明されるように、処理回路２０は、送信器回路２８を介して、複数のＣＳＩレポートを送信する（ブロックＳ１２６）。ひとつ以上の実施の形態では、レポートは周期で送信され、かつ、物理レイヤ制御シグナリングにしたがって送信される。
【０１３４】
図１４は、本開示の原理による、ＣＳＩコード３８によって実行される代替的なコード処理のフロー図である。本明細書で説明されるように、処理回路３２は、受信器回路３０を介して、少なくともひとつのＣＳＩメッセージ集合がそのなかで運ばれるべき物理レイヤリソースの割り当てを受信し（ブロックＳ１２８）、利用可能なリソースの数は少なくともひとつのＣＳＩメッセージ集合を運ぶのに必要なリソースの数よりも少ない。
本明細書で説明されるように、処理回路３２は、送信器回路２８を介して、物理レイヤリソースの割り当てに従ってＣＳＩサイズインジケータを送信する（ブロックＳ１３０）。本明細書で説明されるように、処理回路３２は、送信器回路２８を介して、ＣＳＩメッセージ集合に対応するリソースを物理チャネル内で送信し、リソースがＣＳＩメッセージの一部および未定義コンテンツのうちのひとつを含む（ブロックＳ１３２）。
【０１３５】
図１５は、本開示の原理による、ＣＳＩコード３８によって実行されるさらに別の代替的なコード処理のフロー図である。本明細書で説明されるように、処理回路３２は、送信器回路２８を介して、第１時刻における第１ＣＳＩレポートを送信する（ブロックＳ１３４）。本明細書で説明されるように、処理回路３２は、送信器回路２８を介して、第２時刻における第２ＣＳＩレポートを送信する（ブロックＳ１３６）。１つまたは複数の実施の形態では、第２時刻は第１時刻よりＴ時間単位だけ後である。本明細書で説明されるように、処理回路３２は、Ｔがしきい値より大きいか否かを判定する（ブロックＳ１３８）。本明細書で説明されるように、Ｔがしきい値より大きい場合、処理回路３２は第２ＣＳＩレポート内のＣＳＩを更新する（ブロックＳ１４０）。本明細書で説明されるように、Ｔがしきい値よりも小さい場合、処理回路３２は、第１ＣＳＩレポートおよび第２ＣＳＩレポート内において同じＣＳＩ値をレポートする（ブロックＳ１４２）。
【０１３６】
図１６は、物理アップリンク共有チャネル、ＰＵＳＣＨ、上でセミパーシステントチャネル状態情報、ＳＰ  ＣＳＩ、を送信するための無線デバイス１４における例示的な処理のフローチャートである。処理は、受信器回路３０を介して、ＰＵＳＣＨ上での少なくともひとつのＳＰ  ＣＳＩレポート設定で無線デバイス１４を構成する制御シグナリングメッセージを受信することであって、メッセージがＳＰ  ＣＳＩレポーティング周期を特定する、受信すること（ブロックＳ１４４）を含む。この処理はまた、受信器回路３０を介して、少なくとも１つのＳＰ  ＣＳＩレポート設定と、ＳＰ  ＣＳＩがどのように測定され、送信されるべきかの少なくとも１つの特性とを特定し、活性化する物理レイヤ制御シグナリングを受信することを含む（ブロックＳ１４６）。処理はさらに、送信器回路２８を介して、複数のＳＰ  ＣＳＩレポートを送信すること（ブロックＳ１４８）を含み、レポートは周期で送信され、かつ、物理レイヤ制御シグナリングおよび制御シグナリングメッセージにしたがって送信される。
【０１３７】
図１７は、物理アップリンク共有チャネル、ＰＵＳＣＨ、上でセミパーシステントチャネル状態情報、ＳＰ  ＣＳＩ、を適応的に設定するためのネットワークノード１２における例示的な処理のフローチャートである。処理は、送信器回路１６を介して、ＰＵＳＣＨ上での少なくともひとつのＳＰ  ＣＳＩレポート設定で無線デバイス１４を設定するための制御シグナリングメッセージを送信することであって、メッセージがＳＰ  ＣＳＩレポーティング周期を特定する、送信すること（ブロックＳ１５０）を含む。この処理はまた、送信器回路１６を介して、少なくとも１つのＳＰ  ＣＳＩレポート設定と、ＳＰ  ＣＳＩがどのように測定され、送信されるべきかの少なくとも１つの特性とを特定し、活性化する物理レイヤ制御シグナリングを送信することを含む（ブロックＳ１５２）。処理はまた、受信器回路１８を介して、複数のＳＰ  ＣＳＩレポートを受信すること（Ｓ１５４）を含み、レポートは周期で送信され、かつ、物理レイヤ制御シグナリングおよび制御シグナリングメッセージにしたがって送信される。
【０１３８】
周期的ＣＳＩレポートについて、ＣＳＩは、ＰＵＣＣＨ上で搬送される（同じ無線デバイス１４のサブフレームにおいて、ＣＳＩがＰＵＳＣＨと衝突するときを除く、そのような場合にはＵＣＩがＰＵＳＣＨ上でピギーバックされる）。最大ＣＳＩペイロードサイズは、ＣＳＩをフィードバックするための構成されたダウンリンク伝送スキームと、周期的ＣＳＩレポートのためのＣＳＩフィードバックタイプとに基づいて、ｇＮＢによって知られることになる。ＰＵＣＣＨリソースは、ＣＳＩペイロードサイズに基づいて、ＷＤのために準静的に予約／構成される。
【０１３９】
セミパーシステントＣＳＩレポートはＮＲでサポートされるが、ＣＳＩがＰＵＣＣＨ上で搬送されるかＰＵＳＣＨ上で搬送されるかは不明である。周期的ＣＳＩ−ＲＳ伝送に基づくセミパーシステントＣＳＩレポートの場合、セミパーシステントＣＳＩレポートは、周期的ＣＳＩレポートの時間窓バージョンと見なすことができる。
【０１４０】
セミパーシステントＣＳＩ−ＲＳ伝送に基づくセミパーシステントＣＳＩレポートの場合、１つの選択肢は、それを、周期的ＣＳＩ−ＲＳ伝送および周期的ＣＳＩレポートの両方の時間窓バージョンと見なすことである。この場合、動的活性化および不活性化部分を除いて、上位レイヤ構成の残りは、周期的ＣＳＩレポートを構成することと同じであり得る。
【０１４１】
しかしながら、これは、単一の伝送スキームのみが構成され、ＣＳＩレポートは構成された伝送スキームおよびＣＳＩフィードバックタイプのみに対応することを意味する。ＮＲの目標の１つが、伝送スキームを動的に切り替える能力であるとすると、１つの伝送スキームのみに対するこのようなＣＳＩフィードバックは望ましくない。
【０１４２】
別のオプションでは、セミパーシステントＣＳＩレポートの活性化中に、異なる伝送スキームおよびＣＳＩフィードバックタイプが動的に示される。この場合、ＰＵＣＣＨリソースは、全ての伝送スキーム及びＣＳＩフィードバックタイプの中で最悪の場合の最大ＣＳＩペイロードサイズに基づいて予約される必要があり、これは、リソース利用において明らかに効率的ではない。
【０１４３】
ＬＴＥは周期的ＣＳＩ伝送のためのリンク適応化を改善するために、セミパーシステントリソース割り当てによってスケジュールされたＰＵＳＣＨ上で周期的ＣＳＩレポートを送信することができるが、そのようなＣＳＩレポートは一般に、ＰＵＳＣＨ上の非周期的ＣＳＩよりも正確ではない。これは、ＣＳＩがＰＵＣＣＨの小さなペイロードに適合しなければならないからである。さらに、ＰＵＣＣＨリソースは周期的ＣＳＩレポートが構成されるときに割り当てられなければならず、これは対応する周期的ＣＳＩがＰＵＳＣＨ上でのみ搬送される場合、ＰＵＣＣＨリソースを浪費する。
【０１４４】
ある実施の形態では、セミパーシステントＣＳＩレポートはＰＤＣＣＨを介したＤＣＩを使用することによって活性化され、ＣＳＩは、図１８に示すように、セミパーシステントＣＳＩレポートが不活性化されるまで、周期的にＰＵＳＣＨ上で報告される。特に、図１８は、本開示の原理による、ＰＵＳＣＨを介したセミパーシステントＣＳＩレポートの図である。
【０１４５】
ＣＳＩが報告されるサブフレームは、周期性およびサブフレームオフセットなどの上位レイヤシグナリングを介してセミパーシステントに構成される。活性化ＤＣＩは、以下の情報のうちの１つまたは複数を含むことができる：
・セミパーシステントＣＳＩ活性化／不活性化インジケーション；
・ＣＳＩが測定されるＣＳＩ−ＲＳリソース；
・ＣＳＩが測定される伝送スキーム；
・ＣＳＩフィードバックタイプ、例えば、タイプＩまたはタイプＩＩのフィードバック；
・ＣＳＩが測定され報告される周波数帯域；
・ＰＵＳＣＨリソース割り当て；および
・変調および符号化レート。
【０１４６】
セミパーシステントＣＳＩ活性化／不活性化インジケーションは、明示的または暗黙的にシグナリングされ得る。明示的シグナリングの場合、ＤＣＩ内の１つまたは複数の専用ビットフィールドを使用することができる。暗黙的シグナリングの場合、ＤＣＩにおける特定のフィールドの組み合わせが、その目的のために使用され得る。
【０１４７】
伝送スキームおよびＣＳＩフィードバックタイプなどのパラメータのいくつかは、上位レイヤによって設定されたＣＳＩレポートセッティングに含まれ得る。この場合、レポートセッティングのインデクスのみがＤＣＩにおいてシグナリングされる。代替的な実施の形態では、伝送スキームはＣＳＩ測定セッティングにおけるリンクのうちの１つにおいて定義され得る。同様に、ＣＳＩ−ＲＳリソースは上位レイヤによって設定されたＣＳＩ−ＲＳリソースセッティングおよび／またはリソース集合に含まれてもよく、リソースセッティングおよび／またはＣＳＩ−ＲＳリソース集合のインデクスはＤＣＩにおいてシグナリングされてもよい。
【０１４８】
非周期的ＣＳＩレポートのためのＬＴＥにおけるＰＵＳＣＨ上のＵＣＩ伝送と同様に、ＲＩ、ＡＣＫ／ＮＡＣＫ、ＣＱＩ／ＰＭＩ情報は、異なる保護レベルを提供するために、異なる符号化レートおよび／または送信電力オフセットで独立して符号化可能である。ロバストなＣＳＩフィードバックのために、ランク１の送信またはランク１の送信のみが、ＰＵＳＣＨのために構成され得る。場合によっては、ネットワークノード１２がＰＵＳＣＨにおいて複数の無線デバイス１４からＣＳＩフィードバックを確実に受信することができる限り、複数の無線デバイス１４のためのＣＳＩフィードバックは同じＰＵＳＣＨリソースにおいてスケジュールされ得る。これは、複数の無線デバイス１４が空間的に十分に離されている場合、および／またはネットワークノード１２が複数の無線デバイス１４からＣＳＩフィードバックを分離するためにマルチアンテナ受信器処理技法に依拠することができる場合に、可能であり得る。複数の無線デバイス１４からＣＳＩフィードバックを搬送するために同じＰＵＳＣＨリソースを割り当てることによって、全体的なＰＵＳＣＨリソース割り当てオーバヘッドを低減することができる。
【０１４９】
通常のＰＵＳＣＨ送信に使用されるＰＤＣＣＨと区別するために、セミパーシステントスケジューリング（ＳＰＳ）Ｃ−ＲＮＴＩは無線デバイス１４に割り当てられ、対応するＰＤＣＣＨ内のＣＲＣ（巡回冗長検査）ビットをスクランブルするために使用され得る。
【０１５０】
ある実施の形態では、セミパーシステントＣＳＩレポートを使用することによって、ＣＳＩを周期的に更新して、潜在的なチャネル変動に追いつくことができる。
【０１５１】
別の実施の形態では、それを使用することによって、図１９に示されるような複数のレポートにわたって単一の大きなフル解像度ＣＳＩメッセージをレポートすることができ、図１９では、ＣＳＩ＃１からＣＳＩ＃４までのレポートが粗いレポートを表し、より高い解像度を有するＣＳＩレポートを形成するために使用され得る。図１９は、本開示の原理による、セミパーシステントＣＳＩレポートを使用する、複数のインスタンスにわたるＣＳＩレポートの図である。そのような場合、無線デバイス１４は、レポートのそれぞれにおいてＣＳＩの特定の部分集合をレポートするように構成される。例えば、無線デバイス１４が２つの異なるビームの線形結合に対応するサブバンドＰＭＩを備えるタイプＩＩまたはＬＴＥアドバンストＣＳＩレポート用に構成される場合、レポートＣＳＩ＃１はビーム１に対応するサブバンドＰＭＩを搬送することができ、レポートＣＳＩ＃２は、ビーム２のサブバンドＰＭＩを搬送することができる。いくつかの実施の形態では、第１ビームのサブバンドＰＭＩは単一の複素数に関連する第１インデクスによって特定され、第２ビームのサブバンドＰＭＩは２つの複素数に関連する２つのインデクスによって特定される。
【０１５２】
同様の実施の形態では、１つのＣＳＩレポートにおいて送信するにはＣＳＩデータが多すぎる場合、ＣＳＩレポートＣＳＩ＃１〜ＣＳＩ＃４のそれぞれにおいて、完全なＣＳＩの一部が送信される。さらに、完全なＣＳＩのサイズを示す１つまたは複数のＣＳＩメッセージサイズインジケータは、ＣＳＩレポートのそれぞれにおいて送信され得る。ＣＳＩメッセージサイズインジケータおよびそれらの値は、ＣＳＩレポートＣＳＩ＃１〜ＣＳＩ＃４のそれぞれにおいて同一である。ＣＳＩメッセージサイズインジケータは、送信すべきＣＳＩメッセージのサイズを特定するＲＩ、ＣＲＩ、および／またはＲＰＩなどのＣＳＩパラメータであってもよい。ＣＳＩメッセージサイズインジケータを含まないＣＳＩ情報ビットに順方向誤り訂正符号化が適用され、その結果、ＣＳＩメッセージサイズインジケータによってサイズが特定されるＣＳＩメッセージ情報ビットからＣＳＩメッセージサイズインジケータを独立して復号することができる。これにより、ＣＳＩメッセージ内のＣＳＩ情報ビットのサイズを変化させることができ、同時に、ＣＳＩメッセージサイズインジケータのみを復号することによって、完全なＣＳＩサイズを簡単に決定することができる。
【０１５３】
ＣＳＩメッセージ集合は、本明細書では、所与のＣＳＩレポートトリガに対応するすべてのセル、ＣＳＩプロセス、および／またはｅＭＩＭＯタイプの完全なＣＳＩメッセージの集合として定義され得る。ＣＳＩメッセージ集合が、複数のセル、ＣＳＩプロセス、またはｅＭＩＭＯタイプのＣＳＩメッセージを含む場合、ＣＳＩメッセージ集合内のＣＳＩメッセージごとに１つまたは複数のＣＳＩメッセージサイズインジケータが送信され、その結果、ＣＳＩメッセージ集合のサイズを受信側ネットワークノード１２によって決定することができる。
【０１５４】
受信側ネットワークノード１２は、ＣＳＩメッセージ集合内の完全なＣＳＩメッセージのサイズが分かると、各ＣＳＩメッセージの内容およびフォーマット、したがってＰＵＳＣＨ上の各ＣＳＩレポートが分かるので、ＣＳＩ＃１からＣＳＩ＃４などの各ＣＳＩレポートの内容を決定することができる。各ＣＳＩレポートについて、無線デバイス１４はレポートに適合するＣＳＩメッセージ集合の残りのビットを送信し、まだ完全には送信されていないＣＳＩメッセージがＣＳＩメッセージ集合からなくなるまで、後のＣＳＩレポートのためにまだ送信されていないさらなるビットを保存する。
【０１５５】
いくつかの実施の形態では、１つのＣＳＩレポートで送信するにはＣＳＩデータが多すぎる場合、無線デバイス１４は、レポートで搬送されるＣＳＩメッセージ集合が超過サイズを有し、完全なＣＳＩが送信されないことを示す。無線デバイス１４は最初に、ＣＳＩレポートトリガに従ってＣＳＩメッセージ集合において報告されるべき１つ以上のＣＳＩメッセージを算出し、ＣＳＩメッセージ集合における情報ビットの数を決定する。次に、無線デバイス１４は、ＣＳＩメッセージがＣＳＩレポートトリガに関連付けられたアップリンクグラントにおいて利用可能であるよりも多くのアップリンク物理チャネルリソースを占有するかどうかを判定する。ＣＳＩメッセージが、利用可能であるよりも多くのアップリンクリソースを占有する場合、無線デバイス１４はＣＳＩメッセージサイズインジケータの完全な集合を送信するが、完全なＣＳＩを送信しない。
【０１５６】
ある実施の形態では、無線デバイス１４は、アップリンクグラントにおいて割り当てられたリソースによって提供されるアップリンク制御および／または上位レイヤデータのために利用可能な物理リソース要素の総数として、物理リソースの利用可能な数Ｑを決定する。無線デバイス１４は、メッセージサイズインジケータ以外のＣＳＩに使用されるリソース要素の数ＱＣＱＩおよびＣＳＩメッセージサイズインジケータに使用されるリソース要素の数ＱＲＩを決定する。ＱＣＱＩは、１つまたは複数のセル、ＣＳＩプロセス、および／またはｅＭＩＭＯタイプに対応するＲＩ、ＣＲＩ、および／またはＲＰＩを含むリソース要素を含んでもよい。ＱＲＩは、１つまたは複数のセル、ＣＳＩプロセス、および／またはｅＭＩＭＯタイプに対応するＲＩ、ＣＲＩ、および／またはＲＰＩを含むリソース要素を含んでもよい。次に、ＣＳＩメッセージ集合に必要なリソース要素の数はＱＣＱＩ＋ＱＲＩである。いくつかの実施の形態では、無線デバイス１４は、上位レイヤデータなどのＣＳＩメッセージ集合以外の情報のために使用されるリソース要素の数Ｑｏｔｈｅｒを決定することもでき、一方、他の実施の形態では、アップリンクリソース割り当てが上位レイヤデータを含む場合であっても、常にＱｏｔｈｅｒ＝０である。
【０１５７】
もしＱＣＱＩ＋ＱＲＩ＋Ｑｏｔｈｅｒ＞Ｑならば、ＣＳＩメッセージ集合のサイズは、割り当てられたリソースに適合するサイズよりも大きい。一般に、ＣＳＩレポートが大きい場合、ＱＣＱＩ＞＞ＱＲＩであり、したがってＣＳＩメッセージサイズインジケータは割り当てられたリソースに適合する蓋然性が高い、すなわちＱＲＩ≦Ｑ。したがって、ＱＣＱＩ＋ＱＲＩ＋Ｑｏｔｈｅｒ＞Ｑのとき、無線デバイス１４は、ＣＳＩメッセージインジケータが送信されるべきレイヤの数νＲＩと、決定されたリソース要素の数ＱＲＩとを使用して、ＣＳＩメッセージサイズインジケータを報告する。ＣＳＩレポートは、ＣＳＩレポート以外の上位レイヤデータなどの任意の他の情報と共に、Ｑ＝ＱＲＩ＋Ｑ’ＣＱＩ＋Ｑｏｔｈｅｒを用いて送信され、ここで、Ｑ’ＣＱＩ＝Ｑ−ＱＲＩ−Ｑｏｔｈｅｒであり、ここでＱｏｔｈｅｒはもしあればＣＳＩレポート以外の上位レイヤデータなどの他の情報のために用いられるリソース要素の数である。Ｑ’ＣＱＩのリソース要素は、ＣＳＩメッセージサイズインジケータを含まないＣＳＩメッセージ集合の最初のνＣＱＩＱｍＱ’ＣＱＩ個のビットなどの、メッセージサイズインジケータ以外のＣＳＩの部分を含んでもよく、ここで、ＱｍはＣＳＩレポートのために使用されるべき変調シンボル当たりのビット数であり、νＣＱＩはＣＳＩメッセージサイズインジケータ以外のＣＳＩが搬送されるべき空間レイヤの数である。あるいは、これらのリソース要素は対応するチャネルおよび情報ビットが定義されていない変調シンボルを含むことができる。
【０１５８】
いくつかの実施の形態では、ＱＣＱＩおよびＱＲＩは３ＧＰＰ  ＴＳ  ３６．２１２のセクション５．２．２．６のように決定され、
2020516140.tif 000054
であり、ここでＮＬ（ｘ）、ＭｓｃＰＵＳＣＨ、ＮｓｙｍｂＰＵＳＣＨおよびＱｍ（ｘ）はＴＳ  ３６．２１２のセクション５．２．２．６のように決定され、Ｑｏｔｈｅｒ＝０である。他の実施の形態では、
2020516140.tif 000055
であり、ここで、ｃｅｉｌ（ｘ）はｘ以上の最小の整数である。ＱｍはＣＳＩレポートに使用される変調シンボル当たりのビット数である。ＱＣＱＩは、ＣＳＩメッセージサイズインジケータ以外のＣＳＩについて報告されるべき情報ビットの数であり、かつ、１つまたは複数のセルＣＳＩ処理に対応するＣＱＩおよび／またはＰＭＩおよび／またはｅＭＩＭＯタイプを含んでもよく、βＣＱＩは、符号化レートを調整する正の実数である。νＣＱＩは、ＣＳＩメッセージサイズインジケータ以外のＣＳＩが搬送される空間レイヤの数である。いくつかの実施の形態では、ＱＲＩ＝ｃｅｉｌ（βＲＩＯＲＩ／Ｑｍ）であり、ここで、ＱｍはＣＳＩレポートに使用されるべき変調シンボル当たりのビット数である。ＯＲＩは、ＣＳＩメッセージサイズインジケータについて報告されるべき情報ビットの数であり、かつ、１つまたは複数のセル、ＣＳＩプロセス、および／またはｅＭＩＭＯタイプに対応するＲＩ、ＣＲＩ、および／またはＲＰＩを含んでもよい。βＲＩは符号化レートを調整する正の実数であり、ＲＩはＰＵＳＣＨのすべてのレイヤ内の同じリソース要素にマッピングされる。
【０１５９】
いくつかの実施の形態では、ＣＳＩ再送信がサポートされる。ＣＳＩレポートの第１送信が正しく受信されない場合、第１送信と同じ情報ビットペイロードを有するＣＳＩレポートの第２送信が、ネットワークノード１２によって要求され得る。
【０１６０】
ある実施の形態では、無線デバイス１４は、以前のレポートがトリガされたときから所定の時間が経過するまで、ＣＳＩレポートを更新（すなわち、レポートされるＣＳＩパラメータの値を変更）しなくてもよい。このようにして、ＣＳＩレポートの第２送信の情報ビットペイロードは第１ＣＳＩレポートと同一であることができ、したがって、ＣＳＩレポートを受信するネットワークノード１２は、第１および第２送信上でＨＡＲＱ合成を使用することができる。この実施の形態は、図２０により詳細に示されている。特に、図２０は、本開示の原理による、以前のＣＳＩレポートトリガの後の遅延にしたがう、ＣＳＩの再送信の図である。ここで、ＣＳＩレポートトリガ１、２、および３は無線デバイス１４によって受信され、無線デバイス１４は３つのＣＳＩレポートを送信し、そのそれぞれは対応するトリガ１、２、または３のためのものである。ＣＳＩレポートトリガ２はＣＳＩレポートトリガ１の後のしきい値時間遅延Ｔ０未満で発生し、一方、ＣＳＩトリガ３は、ＣＳＩトリガ１の後のＴ０時間遅延よりも大きな遅延で発生する。したがって、ＷＤはＣＳＩレポート２で搬送されるＣＳＩを更新せず、ＣＳＩレポート２ではＣＳＩレポート１と同じＣＳＩ情報ビットが報告される。一方、ＷＤはＣＳＩレポート３を更新するので、ＣＳＩレポート３の情報ビットはＣＳＩレポート１およびＣＳＩレポート２の情報ビットとは異なる場合がある。
【０１６１】
いくつかの実施の形態では、無線デバイス１４は複数の冗長バージョンのうちの１つを用いて各ＣＳＩレポートを符号化する。このようにして、ＣＳＩレポートの第１および第２送信は異なる冗長バージョンを使用することができ、ＨＡＲＱ合成においてより良好な符号化利得を可能にする。ＣＳＩレポートの送信のための冗長バージョンは、レポートがトリガされる時刻、ＣＳＩレポートが対応する時刻（ＬＴＥ参照リソースサブフレームなど）、またはＣＳＩレポートが送信される時刻などのレポートタイミングに従って決定され得る。代替として、または追加として、第２ＣＳＩレポートの要求は、どの冗長バージョンを使用すべきかのインジケーションを含むことができる。
【０１６２】
図２０は、ＣＳＩレポートがトリガされる時刻に従って冗長バージョンが決定される実施の形態を示す。冗長バージョンＲＶｉの冗長バージョン番号ｉは、ｉ＝（ｔ＋ｔ０）ｍｏｄＮＲＶとして決定されてもよいインデクスによって特定される。ここで、ｔは時間インデクス、ｔ０は時間オフセット、ＮＲＶは冗長バージョンの数である。ＣＳＩレポート１および２はそれぞれＲＶ０およびＲＶ１に関連付けられたサブフレームにおいてトリガされるので、それらはそれぞれＲＶ０およびＲＶ１を使用して符号化される。次に、ＣＳＩレポート２はＣＳＩレポート１の再送信であるので、受信器は、２つのレポートをＨＡＲＱ結合することができる。
【０１６３】
いくつかの実施の形態では、セミパーシステントＣＳＩレポートがセミパーシステントＣＳＩ−ＲＳと共に活性化／不活性化のためにトリガされる場合、完全なＣＳＩメッセージの一部は、図２１に示されるように、複数のＣＳＩレポートにおいて報告される。特に、図２１は、本開示の原理による、セミパーシステントＣＳＩ−ＲＳを伴うジョイント活性化／不活性化トリガを伴うセミパーシステントＣＳＩレポートを使用する、複数のインスタンスにわたるＣＳＩレポートの図である。
【０１６４】
この実施の形態では、完全なＣＳＩメッセージ当たりのＣＳＩレポートの数は固定され、この数はＣＳＩレポートセッティングの一部として準静的に設定される。ＷＤは活性化されたセミパーシステントＣＳＩ−ＲＳの各ＣＳＩ−ＲＳ伝送インスタンスにおけるＣＳＩ−ＲＳを測定し、そのようなＣＳＩ−ＲＳ伝送ごとに１回、完全なＣＳＩメッセージを計算する。この実施の形態では、セミパーシステントＣＳＩ−ＲＳの周期性は、セミパーシステントレポーティングの周期性に完全なＣＳＩメッセージ当たりのＣＳＩレポートの数を掛けたものによって与えられる。図２１の例では、完全なＣＳＩメッセージ当たりのＣＳＩレポートの数は４であり、セミパーシステントＣＳＩ−ＲＳの周期性は、セミパーシステントレポーティングの周期性の４倍である。
【０１６５】
いくつかの例示的な実施の形態は以下を含む：
実施の形態１Ａ。無線デバイスにおいて物理チャネル上で周期的に報告されるＣＳＩを適応的に送信する方法であって、当該方法は以下を含む：
制御シグナリングメッセージを受信することであって、前記制御シグナリングメッセージが前記物理チャネル上でＣＳＩを送信するよう前記無線デバイスを設定し、前記物理チャネルがより高位のレイヤのデータを運ぶ能力を有しており、前記メッセージが周期を特定する、受信することと、
ＣＳＩがどのように送信されるべきかを特定する物理レイヤ制御シグナリングを受信することであって、前記シグナリングは変調状態、空間レイヤの数、および少なくとも前記ＣＳＩレポートを含む物理チャネルリソースの数のうちの少なくとも１つを特定する、受信することと、
複数のＣＳＩレポートを送信することであって、前記レポートは前記周期で送信され、かつ、前記物理レイヤ制御シグナリングにしたがって送信される、送信すること。
【０１６６】
実施の形態２Ａ。実施の形態１Ａの方法であって、さらに、以下を含む
第１ＣＳＩレポートにおいてＣＳＩメッセージ集合の一部を送信し、ＣＳＩメッセージ集合の残りを１つまたは複数の後続のＣＳＩレポートにおいて送信することと、
ＣＳＩメッセージサイズインジケータを各ＣＳＩレポートに含めることであって、前記ＣＳＩサイズインジケータは前記ＣＳＩメッセージ集合の前記サイズを特定し、順方向誤り訂正符号化が前記ＣＳＩメッセージサイズインジケータを含まないＣＳＩ情報ビットに適用される、含めること。
【０１６７】
実施の形態３Ａ。無線デバイスにおいて過剰なＣＳＩメッセージサイズを示す方法であって、該方法は以下を含む：
少なくともひとつのＣＳＩメッセージ集合がそのなかで運ばれている物理レイヤリソースの割り当てを受信することであって、利用可能なリソースの数が前記ＣＳＩメッセージ集合を運ぶのに必要なリソースの数よりも少ない、受信することと、
物理レイヤリソースの前記割り当てにしたがってＣＳＩメッセージ集合サイズインジケータを送信することであって、前記ＣＳＩメッセージ集合サイズインジケータは前記ＣＳＩメッセージ集合のサイズを特定し、前記ＣＳＩメッセージ集合に対応するリソースを前記物理チャネル内で送信することであって、前記リソースが前記ＣＳＩメッセージの一部および未定義コンテンツのうちのひとつを含む、送信すること。
【０１６８】
実施の形態４Ａ。実施の形態３Ａに記載の方法であって、前記ＣＳＩメッセージ集合サイズインジケータが、ランクインジケーション、ＣＳＩ−ＲＳリソース割り当て、および相対電力インジケーションのうちのひとつ以上を含む。
【０１６９】
実施の形態５Ａ。無線デバイスにおいてＣＳＩを再送する方法であって、該方法は以下を含む：
第１時刻に第１ＣＳＩレポートを送信することと、
第２時刻に第２ＣＳＩレポートを送信することであって、前記第２時刻が前記第１時刻よりもＴ個の時間単位だけ後である、送信することと、
Ｔがしきい値Ｔ０より大きい場合、前記無線デバイスは前記第２ＣＳＩレポートにおいて前記ＣＳＩを更新することが期待され、
Ｔがしきい値Ｔ０より小さい場合、前記無線デバイスは前記第１および第２ＣＳＩレポートにおいてＣＳＩの同じ値を報告する。
【０１７０】
実施の形態６Ａ。実施の形態５Ａの方法であって、さらに、以下を含む
前記第１ＣＳＩレポートが送信される第１時刻に従って第１冗長バージョンを選択することと、
前記第２ＣＳＩレポートが送信される第２時刻に従って第２冗長バージョンを選択すること。
【０１７１】
これらの実施の形態では、制御シグナリングはＣＳＩがどのように送信されるべきかについての少なくともひとつの特徴を特定する。本明細書で説明されるように、１つまたは複数の実施の形態では、少なくとも１つの特性は、変調状態、空間レイヤの数、および少なくともＣＳＩレポートを含む物理チャネルリソースの数のうちの少なくとも１つである。他の特性を実施することができ、実施の形態が本明細書に記載されたものだけに限定されないことが想定される。前記第１および第２ＣＳＩレポートをそれぞれ前記第１および第２冗長バージョンで符号化する誤り訂正。
【０１７２】
ある態様によると、物理アップリンク共有チャネル、ＰＵＳＣＨ、上でセミパーシステントチャネル状態情報、ＳＰ  ＣＳＩ、を送信するユーザ装置１４が提供される。ユーザ装置１４は、ＰＵＳＣＨ上での少なくともひとつのＳＰ  ＣＳＩレポート設定でユーザ装置１４を設定する制御シグナリングメッセージを受信し、メッセージがＳＰ  ＣＳＩレポーティング周期を特定し、少なくともひとつのＳＰ  ＣＳＩレポート設定を特定し活性化する物理レイヤ制御シグナリングを受信するよう構成された処理回路を含む。ユーザ装置１４はまた、複数のＳＰ  ＣＳＩレポートを送信するよう構成された送信器回路２８であって、レポートはＳＰ  ＣＳＩレポーティング周期で送信され、かつ、物理レイヤ制御シグナリングおよび制御シグナリングメッセージにしたがって送信される、送信器回路２８を含む。
【０１７３】
この態様によると、ある実施の形態では、処理回路３２はさらに、以前に活性化されたＳＰ  ＣＳＩレポート設定を不活性化するための物理レイヤ制御シグナリングを受信するよう構成される。ある実施の形態では、制御シグナリングメッセージは無線リソース制御、ＲＲＣ、メッセージである。ある実施の形態では、少なくともひとつＳＰ  ＣＳＩレポート設定は少なくともひとつのＳＰ  ＣＳＩレポートセッティングを含む。ある実施の形態では、少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む。ある実施の形態では、少なくともひとつＳＰ  ＣＳＩレポートセッティングは少なくともひとつのＣＳＩフィードバックタイプを含む。ある実施の形態では、少なくともひとつＳＰ  ＣＳＩレポートセッティングは、ＳＰ  ＣＳＩが測定され報告されるべき少なくともひとつの周波数帯域を含む。ある実施の形態では、少なくともひとつＳＰ  ＣＳＩレポートセッティングはさらに、少なくともひとつのＳＰ  ＣＳＩレポート設定のそれぞれのスロットオフセットを含む。ある実施の形態では、少なくともひとつＳＰ  ＣＳＩレポート設定はさらに、特別セル無線ネットワークテンポラリ識別子、Ｃ−ＲＮＴＩを含む。ある実施の形態では、少なくともひとつのＳＰ  ＣＳＩリソースセッテイングは、チャネル測定のリソースおよび干渉測定のリソースのうちの少なくともひとつを含む。ある実施の形態では、物理レイヤ制御シグナリングは、物理ダウンリンク制御チャネル、ＰＤＣＣＨ、上のダウンリンク制御情報、ＤＣＩ、である。ある実施の形態では、物理レイヤ制御シグナリングは、複数のＳＰ  ＣＳＩレポートを運ぶＰＵＳＣＨのリソース割り当ておよび変調についての情報を含む。ある実施の形態では、物理制御シグナリングは符号化レートを含む。ある実施の形態では、特定することは、ダウンリンク制御情報、ＤＣＩ、における少なくともひとつのＳＰ  ＣＳＩレポート設定についての情報を含む。
【０１７４】
ある実施の形態では、活性化することは、ダウンリンク制御情報、ＤＣＩ、におけるビットフィールドの組み合わせによって暗に示される。ある実施の形態では、特別セル無線ネットワークテンポラリ識別子、Ｃ−ＲＮＴＩ、を用いることによって、ダウンリンク制御情報、ＤＣＩ、に対応する巡回冗長検査、ＣＲＣ、ビットをスクランブルし、オプションで、特別ＣＲＮＴＩは、少なくともひとつのＳＰ  ＣＳＩレポート設定を活性化するか不活性化することのうちのひとつために用いられるＤＣＩをスクランブルするためだけに用いられる。ある実施の形態では、少なくともひとつのＳＰ  ＣＳＩレポート設定の活性化または不活性化のうちの少なくともひとつは、物理レイヤ制御シグナリングにおけるダウンリンク制御情報、ＤＣＩ、に対応する巡回冗長検査、ＣＲＣ、ビットをスクランブルする際に用いられる特別セル無線ネットワークテンポラリ識別子、Ｃ−ＲＮＴＩ、によって部分的に示される。ある実施の形態では、異なるユーザ装置からの複数のＳＰ  ＣＳＩレポートはＰＵＳＣＨにおいて多重化可能である。ある実施の形態では、多重化は空間多重化である。ある実施の形態では、複数のＳＰ  ＣＳＩレポートの異なるコンポーネントは独立して符号化される。ある実施の形態では、処理回路３２はさらに、ＳＰ  ＣＳＩを測定することおよび送信することの少なくともひとつの特徴を特定するための、物理レイヤ制御シグナリングを受信するよう構成される。ある実施の形態では、少なくともひとつＳＰ  ＣＳＩレポート設定は少なくともひとつのＳＰ  ＣＳＩリソースセッティングへの関連性を含む。
【０１７５】
他の態様によると、物理アップリンク共有チャネル、ＰＵＳＣＨ、上でセミパーシステントチャネル状態情報、ＳＰ  ＣＳＩ、を送信するユーザ装置１４における方法が提供される。方法は、ＰＵＳＣＨ上での少なくともひとつのＳＰ  ＣＳＩレポート設定でユーザ装置１４を設定する制御シグナリングメッセージを受信することであって、メッセージがＳＰ  ＣＳＩレポーティング周期を特定する、受信すること（Ｓ１００）を含む。方法はまた、少なくともひとつのＳＰ  ＣＳＩレポート設定を特定し活性化する物理レイヤ制御シグナリングを受信すること（Ｓ１０２）を含む。方法はまた、複数のＳＰ  ＣＳＩレポートを送信すること（Ｓ１０４）を含み、レポートは周期で送信され、かつ、物理レイヤ制御シグナリングおよび制御シグナリングメッセージにしたがって送信される。
【０１７６】
ある実施の形態では、方法はさらに、以前に活性化されたＳＰ  ＣＳＩレポート設定を不活性化するための物理レイヤ制御シグナリングを受信することを含む。ある実施の形態では、制御シグナリングメッセージは無線リソース制御、ＲＲＣ、メッセージである。ある実施の形態では、少なくともひとつＳＰ  ＣＳＩレポート設定は少なくともひとつのＳＰ  ＣＳＩレポートセッティングを含む。ある実施の形態では、少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む。ある実施の形態では、少なくともひとつＳＰ  ＣＳＩレポートセッティングは少なくともひとつのＣＳＩフィードバックタイプを含む。ある実施の形態では、少なくともひとつＳＰ  ＣＳＩレポートセッティングは、ＳＰ  ＣＳＩが測定され報告されるべき少なくともひとつの周波数帯域を含む。ある実施の形態では、少なくともひとつＳＰ  ＣＳＩレポートセッティングはさらに、少なくともひとつのＳＰ  ＣＳＩレポート設定のそれぞれのスロットオフセットを含む。ある実施の形態では、少なくともひとつＳＰ  ＣＳＩレポート設定はさらに、特別セル無線ネットワークテンポラリ識別子、Ｃ−ＲＮＴＩを含む。ある実施の形態では、少なくともひとつのＳＰ  ＣＳＩリソースセッテイングは、チャネル測定のリソースおよび干渉測定のリソースのうちの少なくともひとつを含む。ある実施の形態では、物理レイヤ制御シグナリングは、物理ダウンリンク制御チャネル、ＰＤＣＣＨ、上のダウンリンク制御情報、ＤＣＩ、である。ある実施の形態では、物理レイヤ制御シグナリングは、複数のＳＰ  ＣＳＩレポートを運ぶＰＵＳＣＨのリソース割り当ておよび変調についての情報を含む。ある実施の形態では、物理制御シグナリングは符号化レートを含む。ある実施の形態では、特定することは、ダウンリンク制御情報、ＤＣＩ、における少なくともひとつのＳＰ  ＣＳＩレポート設定についての情報を含む。ある実施の形態では、活性化することまたは不活性化することのうちの少なくともひとつは、ダウンリンク制御情報、ＤＣＩ、に対応するビットの組み合わせによって暗に示される。ある実施の形態では、特別セル無線ネットワークテンポラリ識別子、Ｃ−ＲＮＴＩ、を用いることによって、ダウンリンク制御情報、ＤＣＩ、に対応する巡回冗長検査、ＣＲＣ、ビットをスクランブルし、オプションで、特別Ｃ−ＲＮＴＩは、少なくともひとつのＳＰ  ＣＳＩレポート設定を活性化するか不活性化するために用いられるＤＣＩをスクランブルするためだけに用いられる。ある実施の形態では、少なくともひとつのＳＰ  ＣＳＩレポート設定の活性化または不活性化のうちの少なくともひとつは、物理レイヤ制御シグナリングにおけるダウンリンク制御情報、ＤＣＩ、に対応する巡回冗長検査、ＣＲＣ、ビットをスクランブルする際に用いられる特別セル無線ネットワークテンポラリ識別子、Ｃ−ＲＮＴＩ、によって部分的に示される。ある実施の形態では、異なるユーザ装置からの複数のＳＰ  ＣＳＩレポートはＰＵＳＣＨにおいて多重化可能である。ある実施の形態では、多重化は空間多重化である。ある実施の形態では、複数のＳＰ  ＣＳＩレポートの異なるコンポーネントは独立して符号化される。ある実施の形態では、物理レイヤ制御シグナリングは、ＳＰ  ＣＳＩを測定することおよび送信することの少なくともひとつの特徴を特定する。
【０１７７】
別の態様によると、物理アップリンク共有チャネル、ＰＵＳＣＨ、上でセミパーシステントチャネル状態情報、ＳＰ  ＣＳＩ、を適応的に設定する基地局１２が提供される。基地局は、ＰＵＳＣＨ上での少なくともひとつのＳＰ  ＣＳＩレポート設定でユーザ装置１４を設定する制御シグナリングメッセージを送信するよう構成された処理回路２０を含み、メッセージがＳＰ  ＣＳＩレポーティング周期を特定する。ある実施の形態では、少なくともひとつのＳＰ  ＣＳＩレポート設定を特定し活性化する物理レイヤ制御シグナリングを送信し、複数のＳＰ  ＣＳＩレポートを受信するよう構成された受信器回路１８であって、レポートは周期で送信され、かつ、物理レイヤ制御シグナリングおよび制御シグナリングメッセージにしたがって送信される。
【０１７８】
この態様によると、ある実施の形態では、処理回路２０はさらに、以前に活性化されたＳＰ  ＣＳＩレポート設定を不活性化するための物理レイヤ制御シグナリングを送信するよう構成される。ある実施の形態では、制御シグナリングメッセージは無線リソース制御、ＲＲＣ、メッセージである。ある実施の形態では、少なくともひとつＳＰ  ＣＳＩレポート設定は少なくともひとつのＳＰ  ＣＳＩレポートセッティングを含む。ある実施の形態では、少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む。ある実施の形態では、物理レイヤ制御シグナリングは、ＳＰ  ＣＳＩを測定することおよび送信することの少なくともひとつの特徴を特定する。
【０１７９】
さらに別の態様によると、物理アップリンク共有チャネル、ＰＵＳＣＨ、上でセミパーシステントチャネル状態情報、ＳＰ  ＣＳＩ、を適応的に設定する基地局１２における方法が提供される。方法は、ＰＵＳＣＨ上での少なくともひとつのＳＰ  ＣＳＩレポート設定でユーザ装置１４を設定するための制御シグナリングメッセージを送信することであって、メッセージがＳＰ  ＣＳＩレポーティング周期を特定する、送信すること（Ｓ１０６）を含む。方法はまた、少なくともひとつのＳＰ  ＣＳＩレポート設定を特定し活性化する物理レイヤ制御シグナリングを送信すること（Ｓ１０８）を含む。方法はまた、複数のＳＰ  ＣＳＩレポートを受信すること（Ｓ１１０）を含み、レポートは周期で送信され、かつ、物理レイヤ制御シグナリングおよび制御シグナリングメッセージにしたがって送信される。
【０１８０】
この態様によると、ある実施の形態では、方法はさらに、以前に活性化されたＳＰ  ＣＳＩレポート設定を不活性化するための物理レイヤ制御シグナリングを送信することを含む。ある実施の形態では、制御シグナリングメッセージは無線リソース制御、ＲＲＣ、メッセージである。ある実施の形態では、少なくともひとつＳＰ  ＣＳＩレポート設定は少なくともひとつのＳＰ  ＣＳＩレポートセッティングを含む。ある実施の形態では、少なくともひとつＳＰ  ＣＳＩレポート設定は、少なくともひとつのＳＰ  ＣＳＩリソースセッティングまたは少なくともひとつのＳＰ  ＣＳＩリソースセッティングへの関連を含む。ある実施の形態では、物理レイヤ制御シグナリングは、ＳＰ  ＣＳＩを測定することおよび送信することの少なくともひとつの特徴を特定する。
【０１８１】
さらに別の態様によると、物理アップリンク共有チャネル、ＰＵＳＣＨ、上でセミパーシステントチャネル状態情報、ＳＰ  ＣＳＩ、を送信するユーザ装置１４が提供される。ユーザ装置１４は、ＰＵＳＣＨ上での少なくともひとつのＳＰ  ＣＳＩレポート設定でユーザ装置１４を設定する制御シグナリングメッセージを受信し、メッセージがＳＰ  ＣＳＩレポーティング周期を特定し、少なくともひとつのＳＰ  ＣＳＩレポート設定を特定し活性化する物理レイヤ制御シグナリングを受信するよう構成された受信器モジュール４８を含む。ユーザ装置１４は、複数のＳＰ  ＣＳＩレポートを送信するよう構成された送信器モジュール５０であって、レポートは周期で送信され、かつ、物理レイヤ制御シグナリングおよび制御シグナリングメッセージにしたがって送信される、送信器モジュール５０を含む。
【０１８２】
この態様によると、ある実施の形態では、物理レイヤ制御シグナリングは、ＳＰ  ＣＳＩを測定することおよび送信することの少なくともひとつの特徴を特定する。ある実施の形態では、ＳＰ  ＣＳＩレポート設定は少なくともひとつのＳＰ  ＣＳＩリソースセッティングへの関連性を含む。
【０１８３】
別の態様によると、物理アップリンク共有チャネル、ＰＵＳＣＨ、上でセミパーシステントチャネル状態情報、ＳＰ  ＣＳＩ、を適応的に設定する基地局１２が提供される。基地局１２は、ＰＵＳＣＨ上での少なくともひとつのＳＰ  ＣＳＩレポート設定でユーザ装置１４を設定する制御シグナリングメッセージを送信し、ここでメッセージがＳＰ  ＣＳＩレポーティング周期を特定し、少なくともひとつのＳＰ  ＣＳＩレポート設定を特定し活性化する物理レイヤ制御シグナリングを送信する、よう構成された送信器モジュール４４を含む。受信器モジュール４２は、複数のＳＰ  ＣＳＩレポートを受信するよう構成され、レポートは周期で送信され、かつ、物理レイヤ制御シグナリングおよび制御シグナリングメッセージにしたがって送信される。
【０１８４】
この態様によると、ある実施の形態では、物理レイヤ制御シグナリングは、ＳＰ  ＣＳＩを測定することおよび送信することの少なくともひとつの特徴を特定する。ある実施の形態では、少なくともひとつＳＰ  ＣＳＩレポート設定は少なくともひとつのＳＰ  ＣＳＩリソースセッティングへの関連性を含む。
【０１８５】
いくつかの実施の形態はさらに以下を含む：
実施の形態１。物理チャネル上でチャネル状態情報、ＣＳＩ、を適応的に送信する無線デバイスであって、当該無線デバイスは以下を備える：
以下を行うよう構成された処理回路：
制御シグナリングメッセージを受信することであって、前記制御シグナリングメッセージが前記物理チャネル上でＣＳＩを送信するよう前記無線デバイスを設定し、前記物理チャネルがより高位のレイヤのデータを運ぶ能力を有しており、前記メッセージが周期を特定する、受信すること、
ＣＳＩがどのように送信されるべきかについての少なくともひとつの特徴を特定する物理レイヤ制御シグナリングを受信すること、
複数のＣＳＩレポートを送信するよう構成された送信器回路、ここで前記レポートは前記周期で送信され、かつ、前記物理レイヤ制御シグナリングにしたがって送信される。
【０１８６】
実施の形態２。実施の形態１に記載の無線デバイスであって、前記送信器回路はさらに以下を送信するよう構成される：
前記複数のＣＳＩレポートのうちの第１ＣＳＩレポート内のＣＳＩメッセージ集合の一部と、前記複数のレポートの残り内の前記ＣＳＩメッセージ集合の残り。
【０１８７】
実施の形態３。物理チャネル上でチャネル状態情報、ＣＳＩ、を適応的に送信する無線デバイスの方法であって、当該方法は以下を含む：
制御シグナリングメッセージを受信することであって、前記制御シグナリングメッセージが前記物理チャネル上でＣＳＩを送信するよう前記無線デバイスを設定し、前記物理チャネルがより高位のレイヤのデータを運ぶ能力を有しており、前記メッセージが周期を特定する、受信することと、
ＣＳＩがどのように送信されるべきかについての少なくともひとつの特徴を特定する物理レイヤ制御シグナリングを受信することと、
複数のＣＳＩレポートを送信することであって、前記レポートは前記周期で送信され、かつ、前記物理レイヤ制御シグナリングにしたがって送信される、送信すること。
【０１８８】
実施の形態４。以下をさらに含む実施の形態３に記載の方法。
前記複数のＣＳＩレポートのうちの第１ＣＳＩレポート内のＣＳＩメッセージ集合の一部を送信することと、
前記複数のレポートの残り内の前記ＣＳＩメッセージ集合の残りを送信すること。
【０１８９】
実施の形態５。過剰なチャネル状態情報、ＣＳＩ、メッセージサイズを示す無線デバイスであって、当該無線デバイスは以下を備える：
以下を行うよう構成された処理回路。
少なくともひとつのＣＳＩメッセージ集合がそのなかで運ばれるべき物理レイヤリソースの割り当てを受信することであって、利用可能なリソースの数が前記少なくともひとつのＣＳＩメッセージ集合を運ぶのに必要なリソースの数よりも少ない、受信すること、
以下を行うよう構成された送信器回路：
物理レイヤリソースの前記割り当てにしたがってＣＳＩサイズインジケータを送信することと、
前記ＣＳＩメッセージ集合に対応するリソースを前記物理チャネル内で送信することであって、前記リソースが前記ＣＳＩメッセージの一部および未定義コンテンツのうちのひとつを含む、送信すること。
【０１９０】
実施の形態６。実施の形態５に記載の無線デバイスであって、前記ＣＳＩサイズインジケータが、ランクインジケーション、ＣＳＩ−ＲＳリソース割り当て、および相対電力インジケーションのうちの少なくともひとつを含む。
【０１９１】
実施の形態７。過剰なチャネル状態情報、ＣＳＩ、メッセージサイズを示す無線デバイスの方法であって、当該方法は以下を含む：
少なくともひとつのＣＳＩメッセージ集合がそのなかで運ばれるべき物理レイヤリソースの割り当てを受信することであって、利用可能なリソースの数が前記少なくともひとつのＣＳＩメッセージ集合を運ぶのに必要なリソースの数よりも少ない、受信することと、
物理レイヤリソースの前記割り当てにしたがってＣＳＩサイズインジケータを送信することと、
前記ＣＳＩメッセージ集合に対応するリソースを前記物理チャネル内で送信することであって、前記リソースが前記ＣＳＩメッセージの一部および未定義コンテンツのうちのひとつを含む、送信すること。
【０１９２】
実施の形態８。実施の形態７に記載の方法であって、前記ＣＳＩサイズインジケータが、ランクインジケーション、ＣＳＩ−ＲＳリソース割り当て、および相対電力インジケーションのうちの少なくともひとつを含む。
【０１９３】
実施の形態９。チャネル状態情報、ＣＳＩ、を再送する無線デバイスであって、当該無線デバイスは以下を備える：
以下を行うよう構成された送信器回路：
第１時刻に第１ＣＳＩレポートを送信すること、
第２時刻に第２ＣＳＩレポートを送信することであって、前記第２時刻が前記第１時刻よりもＴ個の時間単位だけ後である、送信すること、
以下を行うよう構成された処理回路。
Ｔがしきい値よりも大きい場合、前記第２ＣＳＩレポートにおける前記ＣＳＩを更新すること、
Ｔが前記しきい値よりも小さい場合、前記第１ＣＳＩレポートおよび前記第２ＣＳＩレポートにおいて同じＣＳＩ値をレポートすること。
【０１９４】
実施の形態１０。チャネル状態情報、ＣＳＩ、を再送する無線デバイスの方法であって、当該方法は以下を含む：  
第１時刻に第１ＣＳＩレポートを送信することと、
第２時刻に第２ＣＳＩレポートを送信することであって、前記第２時刻が前記第１時刻よりもＴ個の時間単位だけ後である、送信することと、
Ｔがしきい値よりも大きい場合、前記第２ＣＳＩレポートにおける前記ＣＳＩを更新することと、
Ｔが前記しきい値よりも小さい場合、前記第１ＣＳＩレポートおよび前記第２ＣＳＩレポートにおいて同じＣＳＩ値をレポートすること。
【０１９５】
実施の形態１１。物理チャネル上でチャネル状態情報、ＣＳＩ、を適応的に設定するネットワークノードであって、当該ネットワークノードは以下を備える：
以下を行うよう構成された処理回路。
制御シグナリングメッセージの送信を引き起こすことであって、前記制御シグナリングメッセージが前記物理チャネル上でＣＳＩを送信するよう前記無線デバイスを設定し、前記物理チャネルがより高位のレイヤのデータを運ぶ能力を有しており、前記メッセージが周期を特定する、引き起こすこと、
ＣＳＩがどのように送信されるべきかについての少なくともひとつの特徴を特定する物理レイヤ制御シグナリングの送信を引き起こすこと、
複数のＣＳＩレポートを受信するよう構成された受信器回路、ここで前記レポートは前記周期で受信され、かつ、前記物理レイヤ制御シグナリングにしたがって受信される。
【０１９６】
実施の形態１２。実施の形態１１に記載のネットワークノードであって、前記受信器回路はさらに以下を行うよう構成される：
前記複数のＣＳＩレポートのうちの第１ＣＳＩレポート内のＣＳＩメッセージ集合の一部を受信すること、
前記複数のレポートの残り内の前記ＣＳＩメッセージ集合の残りを受信すること。
【０１９７】
実施の形態１３。物理チャネル上でチャネル状態情報、ＣＳＩ、を適応的に設定するネットワークノードの方法であって、当該方法は以下を含む：
制御シグナリングメッセージの送信を引き起こすことであって、前記制御シグナリングメッセージが前記物理チャネル上でＣＳＩを送信するよう前記無線デバイスを設定し、前記物理チャネルがより高位のレイヤのデータを運ぶ能力を有しており、前記メッセージが周期を特定する、引き起こすことと、
ＣＳＩがどのように送信されるべきかについての少なくともひとつの特徴を特定する物理レイヤ制御シグナリングの送信を引き起こすことと、
複数のＣＳＩレポートを受信することであって、前記レポートは前記周期で受信され、かつ、前記物理レイヤ制御シグナリングにしたがって受信される、受信すること。
【０１９８】
実施の形態１４。以下をさらに含む実施の形態１３に記載の方法。
前記複数のＣＳＩレポートのうちの第１ＣＳＩレポート内のＣＳＩメッセージ集合の一部を受信することと、
前記複数のレポートの残り内の前記ＣＳＩメッセージ集合の残りを受信すること。
【０１９９】
実施の形態１５。過剰なチャネル状態情報、ＣＳＩ、メッセージサイズを示すネットワークノードであって、当該ネットワークノードは以下を備える：
以下を行うよう構成された送信器回路：
少なくともひとつのＣＳＩメッセージ集合がそのなかで運ばれるべき物理レイヤリソースの割り当てを送信することであって、利用可能なリソースの数が前記少なくともひとつのＣＳＩメッセージ集合を運ぶのに必要なリソースの数よりも少ない、送信すること、
以下を行うよう構成された受信器回路：
物理レイヤリソースの前記割り当てにしたがってＣＳＩサイズインジケータを受信すること、
前記ＣＳＩメッセージ集合に対応するリソースを前記物理チャネル内で受信することであって、前記リソースが前記ＣＳＩメッセージの一部および未定義コンテンツのうちのひとつを含む、受信すること。
【０２００】
実施の形態１６。実施の形態１５に記載のネットワークノードであって、前記ＣＳＩサイズインジケータが、ランクインジケーション、ＣＳＩ−ＲＳリソース割り当て、および相対電力インジケーションのうちの少なくともひとつを含む。
【０２０１】
実施の形態１７。過剰なチャネル状態情報、ＣＳＩ、メッセージサイズを示すネットワークノードの方法であって、当該方法は以下を含む：  
少なくともひとつのＣＳＩメッセージ集合がそのなかで運ばれるべき物理レイヤリソースの割り当てを送信することであって、利用可能なリソースの数が前記少なくともひとつのＣＳＩメッセージ集合を運ぶのに必要なリソースの数よりも少ない、送信することと、
物理レイヤリソースの前記割り当てにしたがってＣＳＩサイズインジケータを受信することと、
前記ＣＳＩメッセージ集合に対応するリソースを前記物理チャネル内で受信することであって、前記リソースが前記ＣＳＩメッセージの一部および未定義コンテンツのうちのひとつを含む、受信すること。
【０２０２】
実施の形態１８。実施の形態１７に記載の方法であって、前記ＣＳＩサイズインジケータが、ランクインジケーション、ＣＳＩ−ＲＳリソース割り当て、および相対電力インジケーションのうちの少なくともひとつを含む。
【０２０３】
実施の形態１９。チャネル状態情報、ＣＳＩ、の再送のためのネットワークノードであって、当該ネットワークノードは以下を備える：
以下を行うよう構成された処理回路。
第１時刻に第１ＣＳＩレポートを受信すること、
第２時刻に第２ＣＳＩレポートを受信することであって、前記第２時刻が前記第１時刻よりもＴ個の時間単位だけ後である、受信すること、
Ｔがしきい値よりも大きい場合、前記第２ＣＳＩレポートにおける前記ＣＳＩは更新されたものであり、Ｔが前記しきい値よりも小さい場合、前記第１ＣＳＩレポートおよび前記第２ＣＳＩにおいて同じＣＳＩ値がレポートされる
【０２０４】
実施の形態２０。チャネル状態情報、ＣＳＩ、の再送のネットワークノードの方法であって、当該方法は以下を含む：
第１時刻に第１ＣＳＩレポートを受信することと、
第２時刻に第２ＣＳＩレポートを受信することであって、前記第２時刻が前記第１時刻よりもＴ個の時間単位だけ後である、受信することと、
Ｔがしきい値よりも大きい場合、前記第２ＣＳＩレポートにおける前記ＣＳＩは更新されたものであり、
Ｔが前記しきい値よりも小さい場合、前記第１ＣＳＩレポートおよび前記第２ＣＳＩにおいて同じＣＳＩ値がレポートされる。
【０２０５】
当業者により理解されるように、ここで説明される概念は方法、データ処理システム、および／又はコンピュータプログラム製品として具体化されてもよい。したがって、ここに説明される概念は、全てハードウェアに具体化されたもの、全てソフトウェアに具体化されたもの、ソフトウェアとここで一般に回路又はモジュールと呼ばれる態様のハードウェアとを組み合わせて具体化されたものの形態をとることができる。さらに、本開示は、コンピュータによって実行可能な媒体に具体化されたコンピュータプログラムコードを有する有形のコンピュータ利用可能な記憶媒体上のコンピュータプログラム製品の形態をとることができる。ハードディスク、ＣＤ−ＲＯＭ、電子記憶装置、光記憶装置、または磁気記憶装置を含む任意の適切な有形のコンピュータ可読媒体が利用できる。
【０２０６】
いくつかの実施形態は、フローチャート図および／又は方法、システム及びコンピュータプログラム製品のブロック図を参照して説明される。フローチャート図および／又はブロック図およびフローチャート図のブロックおよび／又はブロック図の組み合わせの各ブロックはコンピュータプログラムインストラクションにより実施できることは理解されるだろう。これらのコンピュータプログラムインストラクションは、汎用コンピュータのプロセッサ（それにより専用コンピュータを作るためのもの）、専用コンピュータ、または他の機会を製造するためのプログラマブルデータ処理装置に提供され、そのようなインストラクションは、コンピュータのプロセッサまたは他のプログラマブルデータ処理装置により実行され、フローチャートおよび／又はブロック図に指定される機能や動作を実施するための手段を作成する。
【０２０７】
これらのコンピュータプログラムインストラクションは、コンピュータ可読メモリに記憶されたインストラクションが、フローチャートおよび／又はブロック図のブロックに指定された機能・動作を実施する指示手段を含む製品を生成するように、特定の方法でコンピュータ又は他のプログラマブルデータ処理装置を機能させる、コンピュータ可読メモリ又は記憶媒体に記憶される。
【０２０８】
コンピュータプログラムインストラクションは、コンピュータ又は他のプログラマブルデータ処理装置にロードされて、コンピュータ又は他のプログラマブル装置で一連の動作ステップを実行させ、コンピュータ又は他のプログラマブルな装置で実行して、フローチャートおよび／又はブロック図のブロックに指定された機能／動作を実行するためのステップを提供するコンピュータ実行プロセスを生成する。
【０２０９】
ブロックに記された機能又は動作は動作図に記された順番から外れることがあることを理解されたい。例えば、連続して示される２つのブロックは、実際、実質的に同時に実行されてよく、又は関係する機能／動作に応じて逆順で実行されてもよい。図のいくつかは通信の主な方向を示すための通信経路上の矢印を含むが、通信は示された矢印と逆方向に生じてもよいことを理解されたい。
【０２１０】
ここに説明された概念の動作を実行するためのコンピュータプログラムコードは、Ｊａｖａ（登録商標）又はＣ＋＋などのオブジェクト指向プログラム言語で記述されてもよい。しかしながら、この開示の動作を実行するためのコンピュータプログラムコードはさらに、Ｃプログラム言語などの従来の手続き型プログラミング言語で記述されてもよい。プログラムコードは、ユーザのコンピュータ上で全て、ユーザのコンピュータ上で部分的に、スタンドアローンのソフトウエアパッケージとして、部分的にはユーザのコンピュータ上と部分的にはリモートコンピュータ上で、又は全てリモートコンピュータ上で実行されてもよい。後者のシナリオではリモートコンピュータはユーザのコンピュータと、ローカルエリアネットワーク（ＬＡＮ）又は広域ネットワーク（ＷＡＮ）又は外部コンピュータへ作成された接続（例えばインターネットサービスプロバイダを使うインターネットを通じて）を通じて接続される。
【０２１１】
上記の説明および図面に関連して、多くの異なる実施の形態がここに開示されている。これらの実施の形態の全ての組み合わせおよびサブコンビネーションを文字通り説明および図示することは過度にくどくて難読であることは理解される。したがって、全ての実施の形態が任意の方法および／又は組み合わせで組み合わせることができ、図面を含むこの明細書は、ここに記載され実施の形態およびそれらを行いそして用いる方法とプロセスの全ての組み合わせおよびサブコンビネーションの完全な記述を構成すると解釈されるべきであり、そのような組み合わせまたはサブコンビネーションは請求項をサポートする。
【０２１２】
当業者はここに記載の実施の形態は、上記に特に示され、説明されたものに限定されないことが理解されよう。さらに、上に言及されていない限り、添付の図面の全ては縮尺どおりではないことに留意されたい。以下の特許請求の範囲から逸脱することなく、上記の教示に照らして様々な変更および変形が可能である。
【図１】
2020516140.tif 000056
【図２】
2020516140.tif 000057
【図３】
2020516140.tif 000058
【図４】
2020516140.tif 000059
【図５】
2020516140.tif 000060
【図６】
2020516140.tif 000061
【図７】
2020516140.tif 000062
【図８】
2020516140.tif 000063
【図９】
2020516140.tif 000064
【図１０】
2020516140.tif 000065
【図１１】
2020516140.tif 000066
【図１２】
2020516140.tif 000067
【図１３】
2020516140.tif 000068
【図１４】
2020516140.tif 000069
【図１５】
2020516140.tif 000070
【図１６】
2020516140.tif 000071
【図１７】
2020516140.tif 000072
【図１８】
2020516140.tif 000073
【図１９】
2020516140.tif 000074
【図２０】
2020516140.tif 000075
【図２１】
2020516140.tif 000076
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
物理アップリンク共有チャネル、ＰＵＳＣＨ、上でセミパーシステントチャネル状態情報、ＳＰ  ＣＳＩ、を送信するユーザ装置（１４）であって、
ＰＵＳＣＨ上での少なくともひとつのＳＰ  ＣＳＩレポート設定で前記ユーザ装置（１４）を設定するための制御シグナリングメッセージを受信することであって、前記メッセージがＳＰ  ＣＳＩレポーティング周期を特定する、受信することと、
前記少なくともひとつのＳＰ  ＣＳＩレポート設定を特定し活性化する物理レイヤ制御シグナリングを受信することであって、前記少なくともひとつのＳＰ  ＣＳＩレポート設定は少なくともひとつのＳＰ  ＣＳＩレポートセッティングを含み、前記少なくともひとつのＳＰ  ＣＳＩレポートセッティングは、前記少なくともひとつのＳＰ  ＣＳＩレポート設定のそれぞれのスロットオフセットを含む、受信することと、を行うよう構成された処理回路（３２）と、
複数のＳＰ  ＣＳＩレポートを送信するよう構成された送信器回路（２８）であって、前記レポートは前記ＳＰ  ＣＳＩレポーティング周期で送信され、かつ、前記物理レイヤ制御シグナリングおよび前記制御シグナリングメッセージにしたがって送信される、送信器回路（２８）と、を備えるユーザ装置（１４）。
【請求項２】
前記処理回路（３２）はさらに、以前に活性化されたＳＰ  ＣＳＩレポート設定を不活性化するための物理レイヤ制御シグナリングを受信するよう構成される請求項１に記載のユーザ装置（１４）。
【請求項３】
前記制御シグナリングメッセージは無線リソース制御、ＲＲＣ、メッセージである請求項１に記載のユーザ装置（１４）。
【請求項４】
前記少なくともひとつのＳＰ  ＣＳＩレポート設定は、少なくともひとつのＳＰ  ＣＳＩリソースセッティングまたは少なくともひとつのＳＰ  ＣＳＩリソースセッティングへの関連を含む請求項１から３のいずれか一項に記載のユーザ装置（１４）。
【請求項５】
前記少なくともひとつのＳＰ  ＣＳＩレポートセッティングは少なくともひとつのＣＳＩフィードバックタイプを含む請求項１に記載のユーザ装置（１４）。
【請求項６】
前記少なくともひとつのＳＰ  ＣＳＩレポートセッティングは、前記ＳＰ  ＣＳＩが測定され報告されるべき少なくともひとつの周波数帯域を含む請求項１に記載のユーザ装置（１４）。
【請求項７】
前記少なくともひとつのＳＰ  ＣＳＩレポート設定はさらに、特別セル無線ネットワークテンポラリ識別子、Ｃ−ＲＮＴＩを含む請求項１から６のいずれか一項に記載のユーザ装置（１４）。
【請求項８】
前記少なくともひとつのＳＰ  ＣＳＩリソースセッテイングは、チャネル測定のリソースおよび干渉測定のリソースのうちの少なくともひとつを含む請求項１から６のいずれか一項に記載のユーザ装置（１４）。
【請求項９】
前記物理レイヤ制御シグナリングは、物理ダウンリンク制御チャネル、ＰＤＣＣＨ、上のダウンリンク制御情報、ＤＣＩ、である請求項１に記載のユーザ装置（１４）。
【請求項１０】
前記物理レイヤ制御シグナリングは、複数のＳＰ  ＣＳＩレポートを運ぶＰＵＳＣＨのリソース割り当ておよび変調についての情報を含む請求項１または９に記載のユーザ装置（１４）。
【請求項１１】
前記物理制御シグナリングは符号化レートを含む請求項１、９および１０のいずれか一項に記載のユーザ装置（１４）。
【請求項１２】
前記特定することは、前記ダウンリンク制御情報、ＤＣＩ、における前記少なくともひとつのＳＰ  ＣＳＩレポート設定についての情報を含む請求項１から１１のいずれか一項に記載のユーザ装置（１４）。
【請求項１３】
前記活性化することは、前記ダウンリンク制御情報、ＤＣＩ、におけるビットフィールドの組み合わせによって暗に示される請求項１から１２のいずれか一項に記載のユーザ装置（１４）。
【請求項１４】
前記特別セル無線ネットワークテンポラリ識別子、Ｃ−ＲＮＴＩ、を用いることによって、前記ダウンリンク制御情報、ＤＣＩ、に対応する巡回冗長検査、ＣＲＣ、ビットをスクランブルし、オプションで、前記特別Ｃ−ＲＮＴＩは、前記少なくともひとつのＳＰ  ＣＳＩレポート設定を活性化するか不活性化するために用いられる前記ＤＣＩをスクランブルするためだけに用いられる請求項１から１３のいずれか一項に記載のユーザ装置（１４）。
【請求項１５】
前記少なくともひとつのＳＰ  ＣＳＩレポート設定の活性化または不活性化のうちの少なくともひとつは、前記物理レイヤ制御シグナリングにおける前記ダウンリンク制御情報、ＤＣＩ、に対応する巡回冗長検査、ＣＲＣ、ビットをスクランブルする際に用いられる前記特別セル無線ネットワークテンポラリ識別子、Ｃ−ＲＮＴＩ、によって部分的に示される請求項１から１４のいずれか一項に記載のユーザ装置（１４）。
【請求項１６】
異なるユーザ装置からの複数のＳＰ  ＣＳＩレポートは前記ＰＵＳＣＨにおいて多重化可能である請求項１から１５のいずれか一項に記載のユーザ装置（１４）。
【請求項１７】
前記多重化は空間多重化である請求項１６に記載のユーザ装置（１４）。
【請求項１８】
複数のＳＰ  ＣＳＩレポートの異なるコンポーネントは独立して符号化される請求項１から１７のいずれか一項に記載のユーザ装置（１４）。
【請求項１９】
前記処理回路はさらに、ＳＰ  ＣＳＩを測定することおよび送信することの少なくともひとつの特徴を特定するための、物理レイヤ制御シグナリングを受信するよう構成される請求項１から１８のいずれか一項に記載のユーザ装置（１４）。
【請求項２０】
前記少なくともひとつのＳＰ  ＣＳＩレポート設定は少なくともひとつのＳＰ  ＣＳＩリソースセッティングへの関連性を含む請求項１から１９のいずれか一項に記載のユーザ装置（１４）。
【請求項２１】
物理アップリンク共有チャネル、ＰＵＳＣＨ、上でセミパーシステントチャネル状態情報、ＳＰ  ＣＳＩ、を送信するユーザ装置（１４）における方法であって、
ＰＵＳＣＨ上での少なくともひとつのＳＰ  ＣＳＩレポート設定で前記ユーザ装置（１４）を設定する制御シグナリングメッセージを受信することであって、前記メッセージがＳＰ  ＣＳＩレポーティング周期を特定する、受信すること（Ｓ１４４）と、
前記少なくともひとつのＳＰ  ＣＳＩレポート設定を特定し活性化する物理レイヤ制御シグナリングを受信することあって、前記少なくともひとつのＳＰ  ＣＳＩレポート設定は少なくともひとつのＳＰ  ＣＳＩレポートセッティングを含み、前記少なくともひとつのＳＰ  ＣＳＩレポートセッティングは、前記少なくともひとつのＳＰ  ＣＳＩレポート設定のそれぞれのスロットオフセットを含む、受信すること（Ｓ１４６）と、
複数のＳＰ  ＣＳＩレポートを送信することであって、前記レポートは前記周期で送信され、かつ、前記物理レイヤ制御シグナリングおよび前記制御シグナリングメッセージにしたがって送信される、送信すること（Ｓ１４８）と、を含む方法。
【請求項２２】
以前に活性化されたＳＰ  ＣＳＩレポート設定を不活性化するための物理レイヤ制御シグナリングを受信することをさらに含む請求項２１に記載の方法。
【請求項２３】
前記制御シグナリングメッセージは無線リソース制御、ＲＲＣ、メッセージである請求項２１に記載の方法。
【請求項２４】
前記少なくともひとつのＳＰ  ＣＳＩレポート設定は、少なくともひとつのＳＰ  ＣＳＩリソースセッティングまたは少なくともひとつのＳＰ  ＣＳＩリソースセッティングへの関連を含む請求項２１から２３のいずれか一項に記載の方法。
【請求項２５】
前記少なくともひとつのＳＰ  ＣＳＩレポートセッティングは少なくともひとつのＣＳＩフィードバックタイプを含む請求項２３に記載の方法。
【請求項２６】
前記少なくともひとつのＳＰ  ＣＳＩレポートセッティングは、前記ＳＰ  ＣＳＩが測定され報告されるべき少なくともひとつの周波数帯域を含む請求項２３に記載の方法。
【請求項２７】
前記少なくともひとつのＳＰ  ＣＳＩレポート設定はさらに、特別セル無線ネットワークテンポラリ識別子、Ｃ−ＲＮＴＩを含む請求項２１から２６のいずれか一項に記載の方法。
【請求項２８】
前記少なくともひとつのＳＰ  ＣＳＩリソースセッテイングは、チャネル測定のリソースおよび干渉測定のリソースのうちの少なくともひとつを含む請求項２１または２４に記載の方法。
【請求項２９】
前記物理レイヤ制御シグナリングは、物理ダウンリンク制御チャネル、ＰＤＣＣＨ、上のダウンリンク制御情報、ＤＣＩ、である請求項２１に記載の方法。
【請求項３０】
前記物理レイヤ制御シグナリングは、複数のＳＰ  ＣＳＩレポートを運ぶＰＵＳＣＨのリソース割り当ておよび変調についての情報を含む請求項２１または２９に記載の方法。
【請求項３１】
前記物理制御シグナリングは符号化レートを含む請求項２１、２９および３０のいずれか一項に記載の方法。
【請求項３２】
前記特定することは、前記ダウンリンク制御情報、ＤＣＩ、における前記少なくともひとつのＳＰ  ＣＳＩレポート設定についての情報を含む請求項２１から３１のいずれか一項に記載の方法。
【請求項３３】
前記活性化することまたは不活性化することのうちの少なくともひとつは、前記ダウンリンク制御情報、ＤＣＩ、に対応するビットの組み合わせによって暗に示される請求項２１から３２のいずれか一項に記載の方法。
【請求項３４】
前記特別セル無線ネットワークテンポラリ識別子、Ｃ−ＲＮＴＩ、を用いることによって、前記ダウンリンク制御情報、ＤＣＩ、に対応する巡回冗長検査、ＣＲＣ、ビットをスクランブルし、オプションで、前記特別Ｃ−ＲＮＴＩは、前記少なくともひとつのＳＰ  ＣＳＩレポート設定を活性化するか不活性化するために用いられる前記ＤＣＩをスクランブルするためだけに用いられる請求項２１から３３のいずれか一項に記載の方法。
【請求項３５】
前記少なくともひとつのＳＰ  ＣＳＩレポート設定の活性化または不活性化のうちの少なくともひとつは、前記物理レイヤ制御シグナリングにおける前記ダウンリンク制御情報、ＤＣＩ、に対応する巡回冗長検査、ＣＲＣ、ビットをスクランブルする際に用いられる前記特別セル無線ネットワークテンポラリ識別子、Ｃ−ＲＮＴＩ、によって部分的に示される請求項２１から３４のいずれか一項に記載の方法。
【請求項３６】
異なるユーザ装置からの前記複数のＳＰ  ＣＳＩレポートは前記ＰＵＳＣＨにおいて多重化可能である請求項２１から３５のいずれか一項に記載の方法。
【請求項３７】
前記多重化は空間多重化である請求項３６に記載の方法。
【請求項３８】
前記複数のＳＰ  ＣＳＩレポートの異なるコンポーネントは独立して符号化される請求項２１から３７のいずれか一項に記載の方法。
【請求項３９】
前記物理レイヤ制御シグナリングは、ＳＰ  ＣＳＩを測定することおよび送信することの少なくともひとつの特徴を特定する請求項２１から３８のいずれか一項に記載の方法。
【請求項４０】
物理アップリンク共有チャネル、ＰＵＳＣＨ、上でセミパーシステントチャネル状態情報、ＳＰ  ＣＳＩ、を適応的に設定する基地局（１２）であって、
前記ＰＵＳＣＨ上での少なくともひとつのＳＰ  ＣＳＩレポート設定でユーザ装置（１４）を設定するための制御シグナリングメッセージを送信することであって、前記メッセージがＳＰ  ＣＳＩレポーティング周期を特定する、送信することと、
前記少なくともひとつのＳＰ  ＣＳＩレポート設定を特定し活性化する物理レイヤ制御シグナリングを送信することあって、前記少なくともひとつのＳＰ  ＣＳＩレポート設定は少なくともひとつのＳＰ  ＣＳＩレポートセッティングを含み、前記少なくともひとつのＳＰ  ＣＳＩレポートセッティングは、前記少なくともひとつのＳＰ  ＣＳＩレポート設定のそれぞれのスロットオフセットを含む、送信することと、を行うよう構成された処理回路（２０）と、
複数のＳＰ  ＣＳＩレポートを受信するよう構成された受信器回路（１８）であって、前記レポートは前記周期で送信され、かつ、前記物理レイヤ制御シグナリングおよび前記制御シグナリングメッセージにしたがって送信される、受信器回路（１８）と、を備える基地局（１２）。
【請求項４１】
前記処理回路（２０）はさらに、以前に活性化されたＳＰ  ＣＳＩレポート設定を不活性化するための物理レイヤ制御シグナリングを送信するよう構成される請求項４０に記載の基地局（１２）。
【請求項４２】
前記制御シグナリングメッセージは無線リソース制御、ＲＲＣ、メッセージである請求項４０に記載の基地局（１２）。
【請求項４３】
前記物理レイヤ制御シグナリングは、ＳＰ  ＣＳＩを測定することおよび送信することの少なくともひとつの特徴を特定する請求項４０から４２のいずれか一項に記載の基地局。
【請求項４４】
物理アップリンク共有チャネル、ＰＵＳＣＨ、上でセミパーシステントチャネル状態情報、ＳＰ  ＣＳＩ、を適応的に設定する基地局（１２）における方法であって、
前記ＰＵＳＣＨ上での少なくともひとつのＳＰ  ＣＳＩレポート設定でユーザ装置（１４）を設定するための制御シグナリングメッセージを送信することであって、前記メッセージがＳＰ  ＣＳＩレポーティング周期を特定する、送信すること（Ｓ１５０）と、
前記少なくともひとつのＳＰ  ＣＳＩレポート設定を特定し活性化する物理レイヤ制御シグナリングを送信することあって、前記少なくともひとつのＳＰ  ＣＳＩレポート設定は少なくともひとつのＳＰ  ＣＳＩレポートセッティングを含み、前記少なくともひとつのＳＰ  ＣＳＩレポートセッティングは、前記少なくともひとつのＳＰ  ＣＳＩレポート設定のそれぞれのスロットオフセットを含む、送信すること（Ｓ１５２）と、
複数のＳＰ  ＣＳＩレポートを受信することであって、前記レポートは前記周期で送信され、かつ、前記物理レイヤ制御シグナリングおよび前記制御シグナリングメッセージにしたがって送信される、受信すること（Ｓ１５４）と、を含む方法。
【請求項４５】
以前に活性化されたＳＰ  ＣＳＩレポート設定を不活性化するための物理レイヤ制御シグナリングを送信することをさらに含む請求項４４に記載の方法。
【請求項４６】
前記制御シグナリングメッセージは無線リソース制御、ＲＲＣ、メッセージである請求項４４に記載の方法。
【請求項４７】
前記物理レイヤ制御シグナリングは、ＳＰ  ＣＳＩを測定することおよび送信することの少なくともひとつの特徴を特定する請求項４４から４６のいずれか一項に記載の方法。
【請求項４８】
物理アップリンク共有チャネル、ＰＵＳＣＨ、上でセミパーシステントチャネル状態情報、ＳＰ  ＣＳＩ、を送信するユーザ装置（１４）であって、
ＰＵＳＣＨ上での少なくともひとつのＳＰ  ＣＳＩレポート設定で前記ユーザ装置（１４）を設定する制御シグナリングメッセージを受信することであって、前記メッセージがＳＰ  ＣＳＩレポーティング周期を特定する、受信することと、
前記少なくともひとつのＳＰ  ＣＳＩレポート設定を特定し活性化する物理レイヤ制御シグナリングを受信することあって、前記少なくともひとつのＳＰ  ＣＳＩレポート設定は少なくともひとつのＳＰ  ＣＳＩレポートセッティングを含み、前記少なくともひとつのＳＰ  ＣＳＩレポートセッティングは、前記少なくともひとつのＳＰ  ＣＳＩレポート設定のそれぞれのスロットオフセットを含む、受信することと、を行うよう構成された受信器モジュール（４８）と、
複数のＳＰ  ＣＳＩレポートを送信するよう構成された送信器モジュール（５０）であって、前記レポートは前記周期で送信され、かつ、前記物理レイヤ制御シグナリングおよび前記制御シグナリングメッセージにしたがって送信される、送信器モジュール（５０）と、を備えるユーザ装置（１４）。
【請求項４９】
前記物理レイヤ制御シグナリングは、ＳＰ  ＣＳＩを測定することおよび送信することの少なくともひとつの特徴を特定する請求項４８に記載のユーザ装置。
【請求項５０】
物理アップリンク共有チャネル、ＰＵＳＣＨ、上でセミパーシステントチャネル状態情報、ＳＰ  ＣＳＩ、を適応的に設定する基地局（１２）であって、
前記ＰＵＳＣＨ上での少なくともひとつのＳＰ  ＣＳＩレポート設定でユーザ装置（１４）を設定するための制御シグナリングメッセージを送信することであって、前記メッセージがＳＰ  ＣＳＩレポーティング周期を特定する、送信することと、
前記少なくともひとつのＳＰ  ＣＳＩレポート設定を特定し活性化する物理レイヤ制御シグナリングを送信することあって、前記少なくともひとつのＳＰ  ＣＳＩレポート設定は少なくともひとつのＳＰ  ＣＳＩレポートセッティングを含み、前記少なくともひとつのＳＰ  ＣＳＩレポートセッティングは、前記少なくともひとつのＳＰ  ＣＳＩレポート設定のそれぞれのスロットオフセットを含む、送信することと、を行うよう構成された送信器モジュール（４４）と、
複数のＳＰ  ＣＳＩレポートを受信するよう構成された受信器モジュール（４２）であって、前記レポートは前記周期で送信され、かつ、前記物理レイヤ制御シグナリングおよび前記制御シグナリングメッセージにしたがって送信される、受信器モジュール（４２）と、を備える基地局（１２）。
【請求項５１】
前記物理レイヤ制御シグナリングは、ＳＰ  ＣＳＩを測定することおよび送信することの少なくともひとつの特徴を特定する請求項５０に記載の基地局。
【国際調査報告】
2020516140.tif 000077
2020516140.tif 000078
2020516140.tif 000079